(57)【要約】【課題】遊技盤の着脱時における遊技盤側の外周部材と遊技盤装着部との干渉を極力防止できる遊技機を提供する。【解決手段】遊技機本体の遊技盤装着部１５に遊技盤１７を装着するときに、遊技盤装着部１５のヒンジ５，６側の係合部２６に遊技盤１７のヒンジ５，６側を係合させて、遊技盤１７の係合部２６側を支点に遊技盤装着部１５側へと回動させて装着する。遊技盤１７の前面に配置された外周部材１１６と、遊技盤装着部１５のヒンジ５，６側との少なくとも一方に、遊技盤１７を遊技盤装着部１５に対して斜め方向に挿入して係合部２６に係合させたときに、外周部材１１６と遊技盤装着部１５とのヒンジ５，６側の端部同士の干渉を避ける干渉回避部３２６を備える。【選択図】図５５
2020069251.tif 000002
【特許請求の範囲】
【請求項１】
遊技機本体にヒンジ廻りに開閉可能な遊技盤装着部に遊技盤を装着する場合に、前記遊技盤装着部の前記ヒンジ側の係合部に前記遊技盤の前記ヒンジ側を係合させて、前記遊技盤の前記係合部側を支点に前記遊技盤装着部側へと回動させて装着可能にした遊技機において、
前記遊技盤の前面に配置された外周部材と、前記遊技盤装着部の前記ヒンジ側との少なくとも一方に、
前記遊技盤を前記遊技盤装着部に対して斜め方向に挿入して前記係合部に係合させたときに、前記外周部材と前記遊技盤装着部との前記ヒンジ側の端部同士の干渉を避ける干渉回避部を備えた
ことを特徴とする遊技機。
【請求項２】
前記遊技盤は、その遊技領域に対して前記ヒンジ側に配置された前記外周部材を備え、
前記干渉回避部は、前記外周部材の前記ヒンジ側の端部に備えた
ことを特徴とする請求項１に記載の遊技機。
【請求項３】
前記外周部材の前記ヒンジ側は、前記遊技盤の前記ヒンジ側の端部近傍に配置されており、
前記干渉回避部では、前記外周部材のヒンジ側の前部側が該外周部材のヒンジ側の後部側よりも内側に配置されている
ことを特徴とする請求項１又は２に記載の遊技機。
【請求項４】
前記干渉回避部は、前記外周部材のヒンジ側の後部側から該外周部材のヒンジ側の前部側へと傾斜する傾斜状である
ことを特徴とする請求項１〜３の何れかに記載の遊技機。
【請求項５】
前記係合部は、前記遊技盤の遊技領域の略中央部分から上下方向に外れた位置に配置されており、
前記干渉回避部は、前記遊技盤の遊技領域の略中央部分に対応して前記外周部材に設けられ、
前記外周部材の前記干渉回避部以外の前記ヒンジ側は切り欠き状である
ことを特徴とする請求項１〜４の何れかに記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機は、遊技機本体にヒンジ廻りに開閉自在に枢着された前枠を備え、この前枠の遊技盤装着部に遊技盤を着脱自在に装着している。遊技盤を遊技盤装着部に装着するに際しては、一般に次のような手法が採用されている（特許文献１）。即ち、先ず最初に、遊技盤装着部の前側から遊技盤のヒンジ側の端部を遊技盤装着部内に斜め方向に配置して、遊技盤装着部内のヒンジ側の後壁部と、その前側に配置された上下一対の係合部との間に遊技盤のヒンジ側の端部を斜め方向に挿入する。そして、遊技盤のヒンジ側を係合部に係合させた後に、遊技盤と係合部との係合部分を支点として、遊技盤を遊技盤装着部側へと回動させながら、遊技盤のヒンジと反対側を遊技盤装着部内に押し込み、その状態て遊技盤を締結手段により遊技盤装着部に締結する。
【先行技術文献】
【特許文献】
【０００３】
【特許文献１】特開２０１５−１４３号公報
【発明の概要】
【発明が解決しようとする課題】
【０００４】
遊技盤の前面には、遊技領域の外周側を飾る外周部材が装着されているため、遊技盤のヒンジ側の端部を遊技盤装着部の後壁部と係合部との間に挿入する際には、遊技盤を遊技盤装着部の前側に斜め方向に配置し、その状態で遊技盤のヒンジ側の端部を遊技盤装着部の後壁部と係合部との間に合わせて挿入することが望ましい。
しかし、近年の遊技機では、遊技領域の大型化に伴って外周部材が遊技盤のヒンジ側の端部近傍に位置するため、遊技盤を遊技盤装着部の前側に斜め方向に配置した状態で、その遊技盤のヒンジ側の端部を後壁部と係合部との間に挿入して行くときに、外周部材のヒンジ側の前端部が遊技盤装着部のヒンジ側の側枠部と干渉する問題がある。そのため外周部材と遊技盤装着部の側枠部とが干渉しないように慎重に作業を行う必要があり、遊技盤の着脱時の作業性が低下する欠点がある。
また外周部材と遊技盤装着部とが干渉しないようするためには、外周部材のヒンジ側の端縁を遊技盤のヒンジ側の端縁から大きく離して配置すればよい。しかし、この場合には外周部材全体の位置が遊技盤の中央側に寄るため、遊技盤の遊技領域を十分に確保し得なくなる。
更に遊技盤装着部の係合部の突出長さを大にすれば、外周部材と遊技盤装着部との干渉を避けることも可能である。しかし、係合部の長さを大にすれば、遊技盤と係合部との係合部分を支点に遊技盤を回動させる場合に、遊技盤の回動に伴って両者の係合位置がヒンジ側へと移動することになり、遊技盤を遊技盤装着部内へとスムーズに挿入し得なくなる。また遊技盤の回動に伴って遊技盤が左右方向に移動するため、遊技盤の着脱時に遊技盤側のコネクタと遊技盤装着部側のコネクタとのコネクタ同士を着脱することが困難になる欠点がある。
本発明は、このような問題点に鑑み、遊技盤の着脱時における遊技盤側の外周部材と遊技盤装着部との干渉を極力防止できる遊技機を提供することを目的とする。
【課題を解決するための手段】
【０００５】
本発明は、遊技機本体にヒンジ廻りに開閉可能な遊技盤装着部に遊技盤を装着する場合に、前記遊技盤装着部の前記ヒンジ側の係合部に前記遊技盤の前記ヒンジ側を係合させて、前記遊技盤の前記係合部側を支点に前記遊技盤装着部側へと回動させて装着可能にした遊技機において、前記遊技盤の前面に配置された外周部材と、前記遊技盤装着部の前記ヒンジ側との少なくとも一方に、前記遊技盤を前記遊技盤装着部に対して斜め方向に挿入して前記係合部に係合させたときに、前記外周部材と前記遊技盤装着部との前記ヒンジ側の端部同士の干渉を避ける干渉回避部を備えたものである。
前記遊技盤は、その遊技領域に対して前記ヒンジ側に配置された前記外周部材を備え、前記干渉回避部は、前記外周部材の前記ヒンジ側の端部に備えてもよい。前記外周部材の前記ヒンジ側は、前記遊技盤の前記ヒンジ側の端部近傍に配置されており、前記干渉避部では、前記外周部材のヒンジ側の前部側が該外周部材のヒンジ側の後部側よりも内側に配置されていることもある。前記干渉回避部は、前記外周部材のヒンジ側の後部側から該外周部材のヒンジ側の前部側へと傾斜する傾斜状であってもよい。前記係合部は、前記遊技盤の遊技領域の略中央部分から上下方向に外れた位置に配置されており、前記干渉回避部は、前記遊技盤の遊技領域の略中央部分に対応して前記外周部材に設けられ、前記外周部材の前記干渉回避部以外の前記ヒンジ側は切り欠き状であってもよい。
【発明の効果】
【０００６】
本発明によれば、遊技盤の着脱時における遊技盤側の外周部材と遊技盤装着部との干渉を極力防止できる利点がある。
【図面の簡単な説明】
【０００７】
【図１】本発明の第１の実施形態を示すパチンコ機の正面図である。
【図２】同パチンコ機の前枠、遊技盤側の正面図である。
【図３】同外枠と前枠との分解斜視図である。
【図４】同遊技盤の正面図である。
【図５】同パチンコ機の要部の拡大断面図である。
【図６】同前扉の分解斜視図である。
【図７】同前扉の金属製扉枠の正面図である。
【図８】同前扉の金属製扉枠の背面図である。
【図９】同図７の９Ａ−９Ａ矢視拡大断面図である。
【図１０】同図７の１０Ａ−１０Ａ矢視拡大断面図である。
【図１１】同図７の１１Ａ−１１Ａ矢視拡大断面図である。
【図１２】同図７の１２Ａ−１２Ａ矢視拡大断面図である。
【図１３】同図７の１３Ａ−１３Ａ矢視拡大断面図である。
【図１４】同図７の１４Ａ−１４Ａ矢視拡大断面図である。
【図１５】同図７の１５Ａ−１５Ａ矢視拡大断面図である。
【図１６】同ガラスユニット取り付け部の拡大断面図である。
【図１７】同ガラスユニット下部の拡大断面図である。
【図１８】同ガラスユニット上部の拡大断面図である。
【図１９】同スピーカ取り付け部の拡大断面図である。
【図２０】同スピーカ取り付け部の正面図である。
【図２１】同スピーカ取り付け部の拡大断面図である。
【図２２】同第１外周部材と外レールとの分解斜視図である。
【図２３】同第１外周部材の背面図である。
【図２４】同内レールの背面図である。
【図２５】同第１外周部材、外レール、内レールの断面図である。
【図２６】同戻り球防止手段の断面図である。
【図２７】同第１外周部材、外レール、内レールの始端側の断面図である。
【図２８】同内レールの端部側取り付け部の断面図である。
【図２９】同内レールの中間側取り付け部の断面図である。
【図３０】同第１外周部材、外レール、内レールの取り付け状態の断面図である。
【図３１】同第１外周部材、外レールの取り付け状態の断面図である。
【図３２】同大入賞手段周辺の正面断面図である。
【図３２−１】同大入賞手段の正面図である。
【図３３】同大入賞手段周辺の平面断面図である。
【図３４】同大入賞手段周辺の側面断面図である。
【図３５】同大入賞手段の要部の断面図である。
【図３６】同アウト口周辺の正面断面図である。
【図３７】同アウト口周辺の平面断面図である。
【図３８】同図３６の３８Ａ矢視断面図である。
【図３９】同図３６の３９Ａ矢視断面図である。
【図４０】同図３６の４０Ａ矢視断面図である。
【図４１】同外レール、緩衝部材等の正面断面図である。
【図４２】同緩衝部材周辺の側面断面図である。
【図４３】同内レールの平面断面図である。
【図４４】同右打ち通路側の正面図である。
【図４５】同右打ち通路側の斜視図である。
【図４６】同右打ち通路側の側面断面図である。
【図４７】同右打ち通路側の平面断面図である。
【図４８】同右打ち通路側の平面断面図である。
【図４９】本発明の第２の実施形態を示す緩衝部材側の正面断面図である。
【図５０】同緩衝部材周辺の側面断面図である。
【図５１】本発明の第３の実施形態を示す緩衝部材側の正面断面図である。
【図５２】本発明の第４の実施形態を示す緩衝部材側の正面断面図である。
【図５３】本発明の第５の実施形態を示す緩衝部材側の正面断面図である。
【図５４】同緩衝部材側の側面断面図である。
【図５５】本発明の第６の実施形態を示す遊技盤装着過程の平面断面図である。
【図５５−１】同遊技盤の正面図である。
【図５６】同（ａ）は第１外周部材側の正面図、（ｂ）はその要部の拡大断面図である。
【図５７】同要部の拡大断面図である。
【図５８】同遊技盤装着過程の拡大断面図である。
【図５９】本発明の第７の実施形態を示し、（ａ）は第１外周部材の一部破断正面図、（ｂ）はその要部の拡大断面図である。
【図６０】同要部の拡大断面図である。
【図６１】同要部の拡大断面図である。
【図６２】本発明の第８の実施形態を示す要部の拡大断面図である。
【図６３】本発明の第９の実施形態を示す要部の拡大断面図である。
【図６４】同遊技盤装着過程の拡大断面図である。
【図６５】本発明の第１０の実施形態を示す要部の拡大断面図である。
【図６６】同遊技盤装着過程の拡大断面図である。
【図６７】本発明の第１１の実施形態を示す要部の拡大断面図である。
【図６８】同遊技盤装着過程の拡大断面図である。
【図６９】本発明の第１２の実施形態を示す内レールの背面図である。
【図７０】同内レールの取り付け状態の側面断面図である。
【図７１】同内レールの取り付け状態の平面断面図である。
【図７２】同内レールの取り付け状態の平面断面図である。
【図７３】本発明の第１３の実施形態を示す内レールの背面図である。
【図７４】同内レールの取り付け状態の側面断面図である。
【図７５】同内レールの取り付け状態の平面断面図である。
【図７６】同内レールの斜視図である。
【図７７】本発明の第１４の実施形態を示すアウト口周辺の正面断面図である。
【図７８】同アウト口周辺の平面断面図である。
【図７９】同アウト口周辺の側面断面図である。
【図８０】本発明の第１５の実施形態を示すアウト口周辺の側面断面図である。
【図８１】本発明の第１６の実施形態を示す第１傾斜通路の正面断面図である。
【図８２】同第１傾斜通路の平面断面図である。
【図８３】同第１傾斜通路の側面断面図である。
【図８４】本発明の第１７の実施形態を示す大入賞手段側の平面断面図である。
【図８５】同大入賞手段側の側面断面図である。
【図８６】本発明の第１８の実施形態を示す前扉の分解斜視図である。
【図８７】同金属製扉枠の背面図である。
【図８８】同前扉の上部側の平面断面図である。
【図８９】同前扉の上部側の側面断面図である。
【図９０】同前扉の中間部側の平面断面図である。
【図９１】同前扉の下部側の側面断面図である。
【図９２】同ガラスユニット側の側面断面図である。
【図９３】本発明の第１９の実施形態を示すスピーカ取り付け部の断面図である。
【図９４】同スピーカ等のアース構造の説明図である。
【図９５】本発明の第２０の実施形態を示す第１外周部材、外レールの分解斜視図である。
【図９６】同第１外周部材、外レールの平面断面図である。
【図９７】同第１外周部材、外レールの側面断面図である。
【図９８】本発明の第２１の実施形態を示す右打ち通路側の正面図である。
【図９９】同要部の平面断面図である。
【図１００】本発明の第２２の実施形態を示す右打ち通路側の正面図である。
【図１０１】同要部の平面断面図である。
【図１０２】本発明の第２３の実施形態を示す右打ち通路側の正面図である。
【図１０３】同要部の平面断面図である。
【図１０４】本発明の第２４の実施形態を示す右打ち通路側の正面図である。
【図１０５】同要部の平面断面図である。
【図１０６】同要部の側面断面図である。
【図１０７】本発明の第２５の実施形態を示す右打ち通路側の正面図である。
【図１０８】同要部の平面断面図である。
【図１０９】同要部の側面断面図である。
【図１１０】本発明の第２６の実施形態を示す金属製扉枠の正面図である。
【図１１１】同要部の平面断面図である。
【図１１２】本発明の第２７の実施形態を示す緩衝部材側の正面断面図である。
【図１１３】同緩衝部材周辺の側面断面図である。
【図１１４】本発明の第２８の実施形態を示す緩衝部材周辺の側面断面図である。
【図１１５】本発明の第２９の実施形態を示す遊技盤の正面図である。
【図１１６】同下部レールの斜視図である。
【図１１７】同図１１５の１１７Ａ矢視拡大断面図である。
【図１１８】同図１１５の１１８Ａ矢視拡大断面図である。
【図１１９】同図１１５の１１９Ａ矢視拡大断面図である。
【図１２０】本発明の第３０の実施形態を示す要部の拡大断面図である。
【図１２１】本発明の第３１の実施形態を示す遊技盤の正面図である。
【図１２２】同遊技盤の正面断面図である。
【図１２３】同図１２２の１２３Ａ矢視断面図である。
【発明を実施するための最良の形態】
【０００８】
以下、本発明の実施形態を図面に基づいて詳述する。図１〜図４８は本発明をパチンコ機１に採用した第１の実施形態を例示している。パチンコ機１は、図１、図２に示すように、遊技島に固定される矩形状の外枠２と、この外枠２の前側に配置される前枠３とを備え、その前枠３の前側に前扉４が開閉自在に配置されている。
【０００９】
前枠３は第１ヒンジ５を介して外枠２に開閉及び着脱自在に枢着され、前扉４は第２ヒンジ６を介して前枠３に開閉及び着脱自在に枢着されており、これら前枠３及び前扉４はヒンジ５，６と反対側の施錠手段７によって外枠２、前枠３に対して閉状態で施錠可能となっている。なお、外枠２と前枠３とにより遊技機本体が構成されている。
【００１０】
外枠２は、図３に示すように、左右両側に上下方向に配置された左縦枠材（ヒンジ側縦枠材）１２及び右縦枠材（反ヒンジ側縦枠材）１３と、この左縦枠材１２及び右縦枠材１３の上下両端を左右に連結する上横枠材１０及び下横枠材１１と、下横枠材１１の前側に前向きに配置され且つ左縦枠材１２及び右縦枠材１３を連結する飾り部材１４とにより矩形状に形成されている。
【００１１】
前枠３は、図２、図３に示すように、外枠２に対応する矩形枠状であり、その上部側に遊技盤装着部１５が、下部側に下部装着部１６が夫々設けられている。前枠３には、図５に示すように、上下の第２ヒンジ６間の端縁に横断面コ字状の補強部材２５が上下方向に設けられている。遊技盤装着部１５には、図２、図３に示すように、遊技盤１７が前側から着脱自在に装着され、また下部装着部１６には発射手段１８と下部スピーカ１９とが左右に配置されている。
【００１２】
遊技盤装着部１５は、図２、図３、図５に示すように、左右両側に上下方向に配置された左枠部（ヒンジ側枠部）２０及び右枠部（反ヒンジ側枠部）２１と、この左枠部２０及び右枠部２１の上部側を左右に連結する上枠部２２と、左枠部２０及び右枠部２１の下部側を連結し且つ遊技盤１７を受ける下枠部２３と、各枠部２０〜２３に一体に形成され且つ遊技盤１７が前側から当接する後壁部２４とを備えている。
【００１３】
左枠部２０の内側には、図５に示すように、後壁部２４との間に遊技盤１７のヒンジ側端部１７ａを挿入可能に所定の間隔をおいて上下一対の係合部２６が設けられている。また左枠部２０側の後壁部２４には、遊技盤装着部１５内の遊技盤１７を後側から係合部２６側へと付勢する板バネ等の付勢手段２７が設けられている。遊技盤装着部１５の反ヒンジ側には、図２、図３に示すように、この遊技盤装着部１５内の遊技盤１７を締結して固定する上下一対の固定手段２８が後壁部２４等に設けられている。
【００１４】
固定手段２８は、支軸（図示省略）廻りに起伏操作可能な固定レバー２９を備えており、この固定レバー２９を倒したときに遊技盤１７の反ヒンジ側端部を遊技盤装着部１５内に固定し、また固定レバー２９を起こしたときに遊技盤１７の反ヒンジ側端部を遊技盤装着部１５から前側へと押し出すようになっている。
【００１５】
遊技盤装着部１５に遊技盤１７を装着する際には、図５に二点鎖線で示すように、遊技盤１７を遊技盤装着部１５に対して斜め方向に向けて、そのヒンジ側端部１７ａを後壁部２４と係合部２６との間に挿入した後、遊技盤１７の反ヒンジ側を遊技盤装着部１５側へと押圧する。
【００１６】
すると遊技盤１７のヒンジ側端部１７ａが付勢手段２７により係合部２６側に付勢されるので、遊技盤１７が付勢手段２７に抗しながら係合部２６の近傍を回動中心として反時計方向（図５の１７ｂ矢示方向）へと回動するため、遊技盤１７を遊技盤装着部１５内へと押し込むことができる。その後、上下の固定手段２８により遊技盤１７の反ヒンジ側を締め付けることにより、遊技盤装着部１５内の遊技盤１７をガタツキなく固定することができる。
【００１７】
なお、遊技盤装着部１５内の遊技盤１７を取り外す場合には、上下の固定手段２８による遊技盤１７の固定を解除した後に、遊技盤１７の反ヒンジ側を手前側に引き出す等、装着時の逆の手順で行えばよい。
【００１８】
発射手段１８は遊技球を１個ずつ遊技盤１７側へと発射するためのものであり、図３に示すように、下部装着部１６の左右方向の略中央に配置された発射板３１と、発射板３１に固定された発射レール３２と、発射レール３２上の遊技球を発射位置に規制するストッパ部３３と、発射板３１に前後方向に駆動軸３４を介して枢支され且つ発射レール３２上の遊技球を発射方向に打撃する打撃槌３５と、駆動軸３４を介して打撃槌３５を駆動する駆動ソレノイド等の発射駆動手段３６とを備えている。
【００１９】
前扉４は、図１〜図３に示すように、前枠３の遊技盤装着部１５及び下部装着部１６の前側に対応して配置されている。この前扉４は、図６に示すように、略矩形状に構成された金属製扉枠３９と、この金属製扉枠３９の前面に装着された装飾部材である前扉カバー４０と、遊技盤１７の遊技領域４１を視認可能に前扉カバー４０に形成された視認窓４２と、視認窓４２を塞ぐガラスユニット４３（図８参照）とを備えている。
【００２０】
金属製扉枠３９は板金製であって、図７、図８に示すように、左右両側に略平行に配置された上下方向の左縦部材（ヒンジ側縦部材）４４及び右縦部材（反ヒンジ側縦部材）４５と、上下両側に平行に配置され且つ左縦部材４４及び右縦部材４５の上下両端を左右に連結する左右方向の上横部材４６及び下横部材４７とを備え、これら左縦部材４４、右縦部材４５、上横部材４６及び下横部材４７を上下、左右の四隅の結合部ＵＬ，ＵＲ，ＬＬ，ＬＲで結合して矩形状に構成されている。
【００２１】
四隅の結合部ＵＬ，ＵＲ，ＬＬ，ＬＲには、図６〜図１５に示すように、対応する各部材４４〜４７相互間に前後に重合する重合部４８ｕｌ，４８ｕｒ，４９ｌｌ，４９ｌｒと被重合部５０ｕｌ，５０ｕｒ，５１ｌｌ，５１ｌｒとが設けられており、その重合部４８ｕｌ，４８ｕｒ，４９ｌｌ，４９ｌｒと被重合部５０ｕｌ，５０ｕｒ，５１ｌｌ，５１ｌｒとがネジ（締結手段）５２〜５５により前後方向に締結されている。
【００２２】
上側の左結合部（ヒンジ側結合部）ＵＬ及び右結合部（反ヒンジ側結合部）ＵＲには、図７、図８、図９、図１３〜図１５に示すように、前後に重合する重合部４８ｕｌ，４８ｕｒ及び被重合部５０ｕｌ，５０ｕｒの他に、上横部材４６と左右縦部材４４，４５とが左右方向及び／又は上下方向の重合面方向に当接する当接部５６ｕｌ，５６ｕｒ及び被当接部５７ｕｌ，５７ｕｒを備えている。
【００２３】
また下側の左結合部（ヒンジ側結合部）ＬＬと右結合部（反ヒンジ側結合部）ＬＲとの内、その一方の左結合部ＬＬは、前後に重合する重合部４９ｌｌ及び被重合部５１ｌｌの他に、下横部材４７と左縦部材４４とが左右方向及び斜め方向の重合面方向に当接する当接部５８ｌｌ及び被当接部５９ｌｌを備え、その他方の右結合部ＬＲには、前後に重合する重合部４９ｌｒ及び被重合部５１ｌｒがあるが、下横部材４７が右縦部材４５に対して左右方向及び／又は上下方向の重合面方向に当接しない構成になっている。
【００２４】
上横部材４６は板状であって、図７〜図９に示すように、上端側に断面コ字状の補強部４６ａが左右方向に設けられ、また左右両端側に上下方向の広幅部４６ｂｌ，４６ｂｒができるように下縁側がアーチ状になっており、その広幅部４６ｂｌ，４６ｂｒ等に上下方向に所定の間隔をおいて重合部４８ｕｌ，４８１ｕｒ，４８２ｕｒと当接部５６ｕｌ，５６ｕｒとが設けられている。左縦部材４４及び右縦部材４５は断面コ字状である。
【００２５】
上横部材４６の左結合部ＵＬ側には、図７〜図９に示すように、前側に屈曲する当接部５６ｕｌと、この当接部５６ｕｌから左右方向の外側に突出する重合部４８ｕｌとが広幅部４６ｂｌの内端側に上下方向に所定の間隔をおいて設けられている。一方、断面コ字状の左縦部材４４の左結合部ＵＬ側には、上横部材４６の広幅部４６ｂｌに対応する広幅状の被重合部５０ｕｌが設けられ、その被重合部５０ｕｌの内端側に被当接部５７ｕｌが設けられている。
【００２６】
そして、この左結合部ＵＬでは、上横部材４６の当接部５６ｕｌが左縦部材４４の被当接部５７ｕｌに対して重合面方向の左右方向に当接され、その当接状態で上横部材４６の重合部４８ｕｌが左縦部材４４の前面側の被重合部５０ｕｌに対して重合されネジ５２により前後方向に締結されている。
【００２７】
上横部材４６の右結合部ＵＲ側には、前側に屈曲する当接部５６ｕｒと、この当接部５６ｕｒから左右方向の外側に突出する第１重合部４８１ｕｒとが広幅部４６ｂｒの内端側に上下方向に所定の間隔をおいて設けられ、補強部４６ａの前面側から外下側にＬ字状に突出する第２重合部４８２ｕｒが設けられている。一方、右縦部材４５の右結合部ＵＲ側には、断面コ字状部分の前面に第１被重合部５０１ｕｒが、その内側に被当接部５７ｕｒが夫々設けられると共に、上横部材４６の第２重合部４８２ｕｒに対応して上端側から内側へとＬ字状に突出する第２被重合部５０２ｕｒが設けられている。
【００２８】
そして、この右結合部ＵＲでは、上横部材４６の当接部５６ｕｒが右縦部材４５の被当接部５７ｕｒに重合面方向の左右方向に当接され、その当接状態で上横部材４６の重合部４８１ｕｒ，４８２ｕｒが右縦部材４５の前面側の被重合部５０１ｕｒ，５０２ｕｒに対して重合されネジ５３により前後方向に締結されている。
【００２９】
左縦部材４４及び右縦部材４５は断面コ字状である。左縦部材４４の上端側には、図９〜図１１に示すように、内側に突出するように被重合部５０ｕｌが設けられ、その被重合部５０ｕｌの先端が被当接部５７ｕｌとなっている。右縦部材４５の上端側には、前面に被重合部５０ｕｒが設けられ、また内側が被当接部５７ｕｒとなっている。
【００３０】
下横部材４７は板状であって、その左結合部ＬＬ側には、図８、図９、図１１、図１２に示すように、屈曲状に形成された当接部５８ｌｌを介して左右方向の両側に突出する重合部４９ｌｌが設けられている。当接部５８ｌｌは左縦部材４４の被当接部５９ｌｌに内側から重合面方向の左右及び斜め方向に当接され、また当接部５８ｌｌの両側の各重合部４９ｌｌが左縦部材４４の被重合部５１ｌｌに重合されてネジ５４により締結されている。
【００３１】
なお、左縦部材４４の下端側は傾斜部４４ａを介して左右幅が広がる幅広状になっており、下横部材４７側の当接部５８ｌｌも傾斜部４４ａ及びその上下両側で左縦部材４４に当接する形状になっている。
【００３２】
下横部材４７の右結合部ＬＲ側には、屈曲部４７ａを介して左右方向の外側に突出する重合部４９ｌｒが設けられており、その屈曲部４７ａと右縦部材４５との間に所定の間隔が設けられ、重合部４９ｌｒが右縦部材４５の前面側の被重合部５１ｌｒに重合されてネジ５５により締結されている。
【００３３】
前扉４の金属製扉枠３９を製造するに際しては、適宜板金材を用いてプレス成型等により所定形状の左右縦部材４４，４５及び上下横部材４６，４７を作り、その左右縦部材４４，４５及び上下横部材４６，４７を上下、左右の四隅の結合部ＵＬ，ＵＲ，ＬＬ，ＬＲで結合して矩形状に組み立てる。
【００３４】
その場合、上側の左右結合部ＵＬ，ＵＲ、下側の左結合部ＬＬは、対応する部材４４〜４７同士の当接部５６ｕｌ，５６ｕｒ，５８ｌｌを被当接部５７ｕｌ，５７ｕｒ，５９ｌｌに対して左右方向に当接させた状態で、その重合部４８ｕｌ，４８ｕｒ，４９ｌｌを被重合部５０ｕｌ，５０ｕｒ，５１ｌｌに重合させてネジ５２〜５４により前後方向に締結する。また下側の右結合部ＬＲは、その下横部材４７の重合部４９ｌｒを右縦部材４５の被重合部５１ｌｒに重合させてネジ５５により前後方向に締結する。
【００３５】
また上下、左右の四隅の結合部ＵＬ，ＵＲ，ＬＬ，ＬＲの内、その上側の左右結合部ＵＬ，ＵＲと下側の左結合部ＬＬとの三箇所で、対応する部材４４〜４７同士の当接部５６ｕｌ，５６ｕｒ，５８ｌｌを被当接部５７ｕｌ，５７ｕｒ，５９ｌｌに対して左右方向に当接させているため、四隅の結合部ＵＬ，ＵＲ，ＬＬ，ＬＲにおいて、その対応する部材４４〜４７同士の重合部４８ｕｌ，４８ｕｒ，４９ｌｌと被重合部５０ｕｌ，５０ｕｒ，５１ｌｌとを重合させてネジ５２〜５４により前後方向に締結する構成を採用しているにも拘わらず、金属製扉枠３９の剛性を容易に確保することができる。
【００３６】
更に上下、左右の四隅の結合部ＵＬ，ＵＲ，ＬＬ，ＬＲの内、その下側の右結合部ＬＲは、左右方向の当接構造を採用せずに重合部４９ｌｒと被重合部５１ｌｒとを重合させてネジ５５により前後方向に締結しているため、他の三隅の結合部ＵＬ，ＵＲ，ＬＬの当接構造に多少の製作誤差がある場合でも、この下側の右結合部ＬＲにおいてその誤差を吸収することができる。また下側の右結合部ＬＲでは、前扉４の荷重が圧縮方向に加わるため、当接構造を採用しなくても、金属製扉枠３９の剛性の極端な低下を阻止することができる。
【００３７】
金属製扉枠３９の前側には、図１、図６に示すように、装飾部材を構成する前扉カバー４０が装着されている。前扉カバー４０は、図６に示すように左縦部材４４、右縦部材４５、上横部材４６、下横部材４７に対応して左側部カバー６０、右側部カバー６１、上部カバー６２、下部ユニット６３に別れている。左側部カバー６０、右側部カバー６１、上部カバー６２、下部ユニット６３は、図９〜図１５に示すように、合成樹脂製の取り付け枠材６４〜６７を介して金属製扉枠３９の前側に装着されている。
【００３８】
上部カバー６２の内部には、左右一対の上部スピーカ６８と、この上部スピーカ６８間に配置されたＬＥＤその他の上部演出ユニット６９とが設けられている。左右側部カバー６０，６１の内部には、その下部に下部スピーカ７０が配置され、その下部スピーカ７０の上側にＬＥＤその他の側部演出ユニット（図示省略）が設けられている。
【００３９】
取り付け枠材６４〜６７は左縦部材４４、右縦部材４５、上横部材４６、下横部材４７に対応して分割され、ネジ等を介して金属製扉枠３９の前側に着脱自在に装着されている。なお、取り付け枠材６４〜６７は４分割の他、２分割又は３分割でもよいし、一体に構成してもよい。
【００４０】
下部ユニット６３は、図６に示すように中央部が前側に突出する平面視略三角形状であり、この下部ユニット６３には、操作演出用の演出操作ボタン７１と、発射用の遊技球を貯留する上皿（発射球貯留部）７２と、余剰球を貯留する下皿（余剰球貯留部）７３とが上下に設けられ、また演出操作ボタン７１に対して下皿７３と反対側で下部スピーカ１９の前側に発射手段１８の操作用の発射ハンドル７４が設けられている。
【００４１】
上皿７２は演出操作ボタン７１の左右一側から後側に跨がって形成されている。下皿７３は上皿７２から溢流した溢流球、発射手段１８による発射後に遊技領域４１まで到達せずに失速して戻るファール球等を余剰球として貯留可能である。発射ハンドル７４は遊技者が把持して発射手段１８を作動させるためのものであり、遊技者が発射ハンドル７４を把持して回動操作したときに、球送り手段（図示省略）を介して上皿７２の遊技球が１個ずつ発射レール３２上に供給され、その操作量に応じた打撃力で打撃槌３５が発射レール３２上の遊技球を打撃して遊技盤１７側へと発射するようになっている。
【００４２】
なお、前扉４は視認窓４２及びガラスユニット４３等を備えた上部側のガラス扉と、上皿７２、下皿７３、演出操作ボタン７１及び発射ハンドル７４等を備えた下部側の開閉扉とに二分割して、ガラス扉と開閉扉とが別々に開閉するように構成することも可能である。
【００４３】
ガラスユニット４３は、図８〜図１０、図１６〜図１８に示すように、所定の間隔を置いて配置された前後２枚のガラス板７６と、このガラス板７６を外周側から保持する保持部材７７とを備え、取り付け枠材６４〜６６の裏側において、下側の左右一対の係合手段７８を介して下横部材４７の受け部７９上に載置され、上側が左右一対の締結手段８０により締結されている。
【００４４】
係合手段７８は、保持部材７７に形成された係合突部８１と、下横部材４７の受け部７９に形成され且つ係合突部８１が係合する係合凹部８２とを有する。締結手段８０は、ガラスユニット４３の上部側の左右両側に配置されており、取り付け枠材６６等に前後方向の支軸８４廻りに回動自在な締結部材８５を有し、締結部材８５を支軸８４廻りに廻して保持部材７７の被締結部８６を締め付けて固定するようになっている。
【００４５】
ガラスユニット４３を装着する際には、ガラスユニット４３の下側を係合手段７８を介して下横部材４７の受け部７９上に載置した後、係合手段７８を支点としてガラスユニット４３の上部側を前側へと回動させて、ガラスユニット４３の外周部分を取り付け枠材６４〜６６の裏面に当接させる。そして、その後に左右の締結手段８０によりガラスユニット４３を締め付けて固定すればよい。
【００４６】
前枠３と扉枠３９には、図５に示すように、両者の間からピアノ線等の不正部材の挿入を阻止する第１阻止手段８９が上下の第２ヒンジ６間に設けられている。この第１阻止手段８９は、前枠３の左枠部２０の端縁に設けられた横断面コ字状の補強部材２５と、扉枠３９の端縁に設けられた板金製の第１阻止部材９０とを備えており、前扉４を第２ヒンジ６廻りに前枠３側に閉じたときに、補強部材２５と第１阻止部材９０との間に微少間隙の迷路を形成するようになっている。第１阻止部材９０は、扉枠３９の左縦部材４４の一部を外側に屈曲して設けられている。補強部材２５、第１阻止部材９０は上下の第２ヒンジ６間の略全長に上下方向に配置されている。
【００４７】
このような構成の第１阻止手段８９を設けることにより、前扉４を前枠３側に閉じた状態において、前枠３と扉枠３９との間を経てピアノ線等の不正部材をガラスユニット４３の裏側へと挿入しようとしても、補強部材２５と第１阻止部材９０との間に微少間隙の迷路があるため、その迷路によって不正部材のガラスユニット４３の裏側への進入を阻止することができる。
【００４８】
上横部材４６の前面には、図１９〜図２１に示すように、ネジ等により取り付け枠材６６が装着され、その取り付け枠材６６に上部カバー６２と左右一対の上部スピーカ６８とが取り付けられている。上部カバー６２は、裏側に突出する複数の上部カバー６２用の取り付けボス９２と、上部スピーカ６８に対応する音出し用の開口部９３と、開口部９３の周辺から裏側に突出するスピーカカバー９６用の取り付けボス９４とを備え、上部カバー６２用の取り付けボス９２に螺合するネジ９５により上横部材４６に固定されている。
【００４９】
開口部９３はスピーカカバー９６により塞がれている。スピーカカバー９６はネット、多孔板等の金属板をプレス成型して構成された金属製であって、上部スピーカ６８を外周から取り囲む筒状部９７と、筒状部９７の後端にフランジ部（又は取り付け部）９８と、上部スピーカ６８の前面に対応して筒状部９７の前端に形成されたカバー部９９とを一体に備えている。
【００５０】
カバー部９９は前側に突出する球面状であって、多数の小孔が設けられており、外周部分が上部カバー６２の開口部９３の後端側周縁に裏側から当接している。フランジ部９８は、スピーカカバー９６用の取り付けボス９４に取り付けネジ１００により固定され、またアース部材１０１を介して上横部材４６に電気的に接続されている。
【００５１】
アース部材１０１は板金製であって、その近傍に配置された上部カバー６２用の長い取り付けボス９２を補強する機能を有し、その取り付けボス９２の近傍に前後方向に配置されている。このアース部材１０１は、前後方向に配置された帯板部１０３と、この帯板部１０３の前後両端から異なる方向に屈曲する接続部１０４，１０５を備え、その一方の接続部１０４がフランジ部９８と共に取り付けネジ１００により取り付けボス９４に固定され、他方の接続部１０５がネジ９５により上横部材４６、取り付けボス９２に固定されている。
【００５２】
左右一対のスピーカカバー９６の内、その一方のスピーカカバー９６は、図２１に示すように、アース線１０７を介して上部演出ユニット６９のプリント基板に接続されており、スピーカカバー９６自体がアース回路の一部を構成している。アース線１０７はスピーカカバー９６と共に取り付けネジ１００により取り付けボス９４に共締めされている。上横部材４６は右縦部材４５、アース線１０８等を介してアースされている。
【００５３】
このような構成を採用すれば、アース部材１０１、上横部材４６を介してスピーカカバー９６をアースできる。またスピーカカバー９６用の取り付けボス９４にアース部材１０１を取り付けネジ１００により共締めしているので、構造的にも簡略化することができる。
【００５４】
更に上部カバー６２用の取り付けボス９２の近傍に、上横部材４６に接続された板金製のアース部材１０１があるため、そのアース部材１０１により取り付けボス９２を補強することが可能である。従って、上部カバー６２の裏側に突出量の大きい取り付けボス９２を設けざるを得ないような場合でも、本来の上部カバー６２用の取り付けボス９２と、その近傍に配置された取り付けボス９４及びアース部材１０１との両者を介して、上部カバー６２を上横部材４６に確実に取り付けることができる。
【００５５】
遊技盤１７の前面には、図４に示すように、打ち込まれた遊技球を流下させながら遊技を行う遊技領域４１と、発射手段１８によって発射された遊技球を遊技領域４１の上部側へと案内する案内通路１１０とが設けられている。
【００５６】
案内通路１１０は、遊技盤１７の前面に配置された円弧状の内レール１１１と外レール１１２との間に形成されており、下部側の球受入れ部１１３側で発射手段１８からの遊技球を受け入れて上側へと案内し、内レール１１１の上端側の球打ち込み部１１４側から遊技領域４１内に遊技球を打ち込むようになっている。
【００５７】
内レール１１１、外レール１１２は、遊技領域４１の内外方向に所定の間隔を置いて配置されている。また案内通路１１０の通路幅は、球受入れ部１１３側が広く、球打ち込み部１１４側が狭くなっている。案内通路１１０の球打ち込み部１１４側の端部には、遊技領域４１から案内通路１１０側への遊技球の戻りを防止する戻り球防止手段１１５が内レール１１１の上端部側に対応して設けられている。
【００５８】
遊技盤１７の前面には、遊技領域４１の外周側に合成樹脂等の樹脂製の第１、第２外周部材１１６，１１７が配置され、また遊技領域４１の中央部に液晶式等の画像表示手段１１８と、この画像表示手段１１８の前側に対応するセンターケース１１９とが前後に対応して装着されている。
【００５９】
第１、第２外周部材１１６，１１７は遊技領域４１の外周側を飾るためのものであり、この第１、第２外周部材１１６，１１７には、黒色等の透明又は不透明な合成樹脂製のものが使用されている。例えば、外周部材１１６，１１７と内レール１１１との組み合わせとしては、外周部材１１６，１１７と内レール１１１とが共に黒色透明の場合、外周部材１１６，１１７が黒色不透明で内レール１１１が黒色透明の場合、外周部材１１６，１１７が黒色透明で内レール１１１が黒色不透明な場合等がある。
【００６０】
なお、第１、第２外周部材１１６，１１７は黒色以外の色でもよい。また第１外周部材１１６と第２外周部材１１７との二つが周方向に設けられているが、外周部材１１６，１１７は、周方向に一つ又は三つ以上であってもよい。
【００６１】
画像表示手段１１８は液晶式等であって、演出図柄表示手段１２０、操作誘導表示手段１２１等を構成している。なお、演出図柄表示手段１２０は回転リール式であってもよい。センターケース１１９は画像表示手段１１８の表示画面に対応する表示窓１２２と、遊技盤１７の前面に当接して遊技盤１７から前側に突出し且つ表示窓１２２を取り囲むケース本体部１２３とを有し、ケース本体部１２３の前面に普通図柄表示手段１２４、特別図柄表示手段１２５等が設けられている。
【００６２】
遊技領域４１には、センターケース１１９の左右両側に左打ち通路１２６と右打ち通路１２７とが設けられており、ケース本体部１２３の上端側の左右略中央に左打ち通路１２６と右打ち通路１２７との境界となる球衝突頂部１２８が設けられている。そして、遊技領域４１に打ち込まれた遊技球は、球衝突頂部１２８よりも左側に衝突した場合には左打ち通路１２６を経て、球衝突頂部１２８の上側を通過した場合には右打ち通路１２７を経て夫々流下するようになっている。
【００６３】
また遊技領域４１には、左打ち通路１２６の下側近傍に普通入賞手段１３０が配置され、右打ち通路１２７側の途中に普通図柄始動手段１３１が、右打ち通路１２７の下側近傍に大入賞手段１３２が夫々配置されている。センターケース１１９の下側には特別図柄始動手段１３３とアウト口１３４とが配置されている。
【００６４】
ケース本体部１２３の上部側には、画像表示手段１１８の表示画面の上部側、その他の適当箇所に可動演出手段１３５が設けられており、その可動演出手段１３５の昇降、その他の演出動作により、遊技状態に応じて所定の演出を行うようになっている。またケース本体部１２３の下部側には、左打ち通路１２６を流下する遊技球が入球可能なワープ口１３６と、表示窓１２２の下側に配置され且つワープ口１３６に入球した遊技球を特別図柄始動手段１３３の上側近傍へと落下させるステージ部１３７とが設けられている。
【００６５】
外レール１１２は、図２２に示すように、ステンレス帯板等の弾性及び耐摩耗性を有する金属製帯板であり、第１外周部材１１６の内周面に着脱可能に装着されている。内レール１１１は、図４、図２４に示すように、透明又は不透明な合成樹脂材料等により金型成型した樹脂製であり、レール長手方向の上下両端側の取り付け部１３８，１３９が遊技盤１７の前面に位置決め突起１４０，１４１と取り付けネジ（固定手段）１４２，１４３とにより遊技盤１７に当接して固定され、レール長手方向の中間部分の取り付け部１４４が一つ又は複数の突起部（位置決め突起）１４５を介して遊技盤１７に誘導可能に取り付けられている。
【００６６】
このように外レール１１２を弾性及び耐摩耗性を有する金属製とすることにより、発射手段１８から発射された遊技球が衝突したときの衝撃、遊技球が摺動するときの摩耗等による外レール１１２の損傷を防止でき、外レール１１２の耐久性が向上する。
【００６７】
また内レール１１１を透明又は不透明な樹脂製とすることにより、ステンレス等の金属製のものに比較して意匠性の向上を容易に確保できる利点がある。例えば、遊技盤１７の前面には、図４に示すように、キャラクタ、その他の装飾絵柄１４６を印刷したセル板等の装飾シート１４７が貼着されており、その装飾シート１４７には内レール１１１の両側の遊技領域４１と案内通路１１０とに跨がって装飾絵柄１４６が表示されている。
【００６８】
このような場合に、キャラクタ等の装飾絵柄１４６の前側に配置される内レール１１１に無色透明、着色透明等の光透過性を有するものを使用することにより、内レール１１１を介してその背後のキャラクタ等の装飾絵柄１４６を視認可能であり、内レール１１１が遊技領域４１と案内通路１１０とに跨がる装飾絵柄１４６の一体感を阻害するようなこともない。また内レール１１１に黒色等の光透過性のないものを使用する場合でも、遊技盤１７側のキャラクタ等の装飾絵柄１４６と調和を取ることも可能である。
【００６９】
普通図柄始動手段１３１は普通図柄表示手段１２４による図柄始動を開始させるためのもので、図４に示すように通過ゲートにより構成され、右打ち通路１２７を流下する遊技球の通過を検出するようになっている。普通図柄表示手段１２４は普通図柄を変動表示するためのもので、例えば「○」「×」の二種類の普通図柄に対応する２個のＬＥＤ等の発光体により構成されている。
【００７０】
この普通図柄表示手段１２４は普通図柄始動手段１３１が遊技球を検出することを条件に２個の発光体が所定時間交互に点滅して、普通図柄始動手段１３１による遊技球の検出時に取得された当たり判定乱数値が予め定められた当たり判定値と一致する場合に、当たり態様に対応する「○」側の発光体が発光した状態で、それ以外の場合に外れ態様に対応する「×」側の発光体が発光した状態で夫々点滅を終了する。
【００７１】
特別図柄始動手段１３３は特別図柄表示手段１２５による図柄変動を開始させるためのもので、上始動入賞手段１３３ａと下始動入賞手段１３３ｂとを上下に備えている。上始動入賞手段１３３ａは非開閉式である。下始動入賞手段１３３ｂは遊技球が入球不可能（又は入球困難）な閉状態と入球可能（又は入球容易）な開状態とに切り換え可能な開閉式であり、普通図柄表示手段１２４の変動後の停止図柄が当たり態様となって普通利益状態が発生したときに、閉状態から開状態へと所定時間開放するようになっている。
【００７２】
特別図柄表示手段１２５は１個又は複数個の表示手段、例えば特別図柄を変動表示可能なセグメント式等の１個の表示手段により構成されており、特別図柄始動手段１３３の上始動入賞手段１３３ａ又は下始動入賞手段１３３ｂに遊技球が入賞することを条件に特別図柄を所定時間変動表示して、始動入賞手段１３３ａ，１３３ｂへの入賞時に取得した大当たり判定乱数値が予め定められた大当たり判定値と一致する場合に、特別図柄が所定の大当たり態様（特定態様）で、それ以外の場合に外れ態様で夫々停止する。
【００７３】
演出図柄表示手段１２０は特別図柄表示手段１２５による特別図柄の変動表示と並行して演出図柄を変動表示するもので、１個又は複数個（例えば左右方向に３個）の演出図柄１２０ａ〜１２０ｃを各種の演出画像と共に画像表示手段１１８の表示画面に変動表示可能に構成されている。
【００７４】
演出図柄１２０ａ〜１２０ｃは、特別図柄始動手段１３３の始動入賞手段１３３ａ，１３３ｂの何れかに遊技球が入賞した場合に、特別図柄の変動開始と同時に複数種類の変動パターンの何れかに従って変動を開始して、特別図柄の停止と同期して略同時に停止する。なお、演出図柄１２０ａ〜１２０ｃは特別図柄が外れ態様で停止する場合には外れ演出態様で停止し、特別図柄が大当たり態様で停止する場合には大当たり演出態様で停止する。
【００７５】
大入賞手段１３２は、遊技球が入賞可能な開状態と入賞不可能な閉状態とに切り換え可能な開閉式であって、特別図柄表示手段１２５の変動後の特別図柄が大当たり態様となって特別利益状態が発生したときに、所定の開放パターンに従って１回又は複数回開放してその上側から遊技球を入賞させるようになっている。
【００７６】
この大入賞手段１３２は、図３２〜図３５に示すように、遊技盤１７の前側で入賞口ケース１５０に上向き開口状に形成された入賞口１５１と、前後方向に出退して上向き開口状の入賞口１５１の上端側を開閉可能であり且つ入賞口１５１上に突出して入賞口１５１を閉じた状態のときに遊技球を左方向に案内可能な開閉部材１５２と、開閉部材１５２の左右両側に配置され且つ遊技球を左方向に案内可能な第１球案内通路（上手側球案内通路）１５３、第２球案内通路（下手側球案内通路）１５４とを備えている。
【００７７】
なお、下手側の第２球案内通路１５４は第１球案内通路１５３よりも短くなっているが、第１球案内通路１５３と同じか又は長くしてもよいし、省略してもよい。
【００７８】
第１、第２球案内通路１５３，１５４は、遊技盤１７の前面に当接して配置された取り付け板１５５側の後通路壁１５５ａと、この後通路壁１５５ａの前側に所定の間隔をおいて略平行に配置された前板１５６側の前通路壁１５６ａと、前後通路壁１５５ａ，１５６ａ間に左下がりの傾斜状に配置された底通路壁１５７，１５８とを備えている。
【００７９】
各底通路壁１５７，１５８は、遊技球が第１球案内通路１５３から開閉部材１５２、第２球案内通路１５４へと移動するように、開閉部材１５２と略同じ傾斜角度で左下がりに連続状、又は所定の段差を介して段違い状に設けられている。
【００８０】
取り付け板１５５、前板１５６は、左右方向に長い菱矩形状である。取り付け板１５５は取り付けネジ等の固定具３８により遊技盤１７の前面に取り付けられ、また取り付け板１５５には、上端側に後通路壁１５５ａが形成されると共に、入賞口ケース１５０と前板１５６が取り付けネジネジ等の固定具２２１により取り付けられている。
【００８１】
前板１５６には、開閉部材１５２の左右両側から入賞口１５１の左右両側を経て入賞口１５１の下側を取り囲む囲繞壁１５９が一体に設けられ、その囲繞壁１５９の上部側が各球案内通路１５３，１５４の底通路壁１５７，１５８となり、その底通路壁１５７，１５８よりも上側の上端側が前通路壁１５６ａとなっている。そのため底通路壁１５７，１５８は前通路壁１５６ａと一体であり、後通路壁１５５ａとは別体となっている。
【００８２】
なお、遊技球は、囲繞壁１５９の右壁部１５９ａと第２外周部材１１７の後述の側部レール１８７との間、囲繞壁１５９の下壁部１５９ｂと第２外周部材１１７の後述の下部レール１８８との間を通過可能である。
【００８３】
各底通路壁１５７，１５８の上面は、図３５に示すように、この底通路壁１５７，１５８と一体の前通路壁１５６ａ側の高さが高く、別体の後通路壁１５５ａ側の高さが低くなっており、左右方向の同一位置ではその前後で高低差ｈがある。なお、底通路壁１５７，１５８は一体の前通路壁１５６ａ側の板厚を厚くし、底通路壁１５７，１５８と別体構造の後通路壁１５５ａ側の板厚を薄くして、底通路壁１５７，１５８の前後の高低差ｈを確保している。
【００８４】
また第１球案内通路１５３には底通路壁１５７の終端側に、第２球案内通路１５４には底通路壁１５８の始端側に夫々対応して後通路壁１５５ａに突起１６０，１６１が設けられている。この突起１６０，１６１は底通路壁１５７、開閉部材１５２上の遊技球と接触してその移動方向を変える等、遊技球の移動に抵抗を付与するものであり、開閉部材１５２の左右両側で後通路壁１５５ａに設けられている。
【００８５】
入賞口１５１は後通路壁１５５ａから前側に突出する入賞口ケース１５０の上側に左右方向に長く形成されている。入賞口ケース１５０は入賞通路ケース１６２、後部ケース１６３と結合して後通路壁１５５ａに取り付けられている。入賞通路ケース１６２には、入賞口１５１から入賞した遊技球を遊技盤１７の裏側へと誘導する誘導通路１６４と、入賞口１５１から入賞した遊技球を検出する入賞検出スイッチ１６５とが設けられている。
【００８６】
開閉部材１５２は入賞通路ケース１６２に形成された左右一対の摺動案内部１６６により前後方向に摺動自在に支持され、後部ケース１６３に装着されたソレノイド等の駆動源１６７により前後方向に開閉駆動されるようになっている。駆動源１６７と開閉部材１５２は、後部ケース１６３内の連動機構１６８を介して連動されている。連動機構１６８は、駆動源１６７に連動して前後方向に移動可能な連動部材１６９と、後部ケース１６３に支軸１７０により前後揺動自在に枢着され且つ連動部材１６９に連動連結された揺動アーム１７１とを備え、揺動アーム１７１が開閉部材１５２の後端側に連結されている。なお、駆動源１６７には、開閉部材１５２を閉状態に付勢するためのバネ等の付勢手段（図示省略）が設けられている。
【００８７】
このような構成の大入賞手段１３２では、開閉部材１５２は通常、入賞口１５１の上側を閉じた閉状態にあり、第１球案内通路１５３の底通路壁１５７上に落下した遊技球は、その第１球案内通路１５３の底通路壁１５７から開閉部材１５２を経て第２球案内通路１５４の底通路壁１５８上へと左方向に順次案内されて行く。開閉部材１５２上に落下した遊技球も、同様に第２球案内通路１５４へと左方向に順次案内されて行く。
【００８８】
特別図柄表示手段１２５の変動後の特別図柄が大当たり態様となって特別利益状態が発生すると、駆動源１６７の駆動により開閉部材１５２が前後方向に出退して入賞口１５１が所定の開放パターンで開放する。そして、開閉部材１５２が後退して入賞口１５１が開放すれば、第１球案内通路１５３の底通路壁１５７からの遊技球が入賞口１５１へと入賞する。
【００８９】
第１球案内通路１５３において、その底通路壁１５７上に落下した遊技球は、底通路壁１５７が傾斜角度α１５７で左下りに傾斜し傾斜角度β１５７で後下りに傾斜しているため、その底通路壁１５７の傾斜に従って後通路壁１５５ａ側へと１５７ａ矢示方向に移動する。そのため第１球案内通路１５３の底通路壁１５７上に落下する遊技球の多くは、底通路壁１５７の終端側に達するまでに後通路壁１５５ａに沿って１５７ｂ矢示方向に移動して、その終端側で遊技球が突起１６０に接触するように案内することができる。
【００９０】
従って、底通路壁１５７の終端側では、突起１６０との抵抗を受けて遊技球を入賞口１５１側へと１５７ｃ矢示方向に移動させることができるので、その遊技球を入賞口１５１の前部側へと入賞させることが可能である。
【００９１】
また閉状態の開閉部材１５２上に遊技球が載った直後に開閉部材１５２が後退して入賞口１５１を開放するような場合には、遊技球は後退する開閉部材１５２上を左方向へと移動するため、第２球案内通路１５４の始端側の突起１６１と接触し易くなる。そして、遊技球が突起１６１に接触すれば、その突起１６１の抵抗を受けるため、遊技球が入賞口１５１に入賞し易くなる。
【００９２】
第２球案内通路１５４の底通路壁１５８上の遊技球も、第１球案内通路１５３の底通路壁１５７と同様にその傾斜の影響を受けながら後通路壁１５５ａ側に沿って左方向へと移動する。
【００９３】
更に底通路壁１５７，１５８は一体の前通路壁１５６ａ側の板厚が大であり、底通路壁１５７，１５８と別体構造の後通路壁１５５ａ側の板厚が小であるため、前通路壁１５６ａと底通路壁１５７，１５８とを含む前板１５６を金型成型するに際しても、容易に成型することができる利点がある。
【００９４】
後通路壁１５５ａ、誘導通路１６４等を含む取り付け板１５５、前通路壁１５６ａ、囲繞壁１５９等を含む前板１５６、入賞ケース１５０等は、無色透明又は着色透明の合成樹脂材料により成型されている。前板１５６の前面には、図３２−１に示すように、装飾性の低下を防止するために、球案内通路１５３，１５４と入賞口１５１と誘導通路１６４とに要求される遊技球の視認性の程度の違いに応じて、遊技球の視認性を低下させる第１視認性低下手段１９５と第２視認性低下手段１９８と第３視認性低下手段１９９とが設けられている。
【００９５】
このように前板１５６の前面に第１視認性低下手段１９５、第２視認性低下手段１９８、第３視認性低下手段１９９を設けることにより、対象部位毎に要求される視認性を確保しながら、前板１５６の前面側の対象部位毎にその視認性に応じた装飾性、意匠性を持たせることが可能である。従って、前板１５６に無色透明又は着色透明の合成樹脂材料を採用した場合でも、大入賞手段１３２の前面側の視認性と装飾性との両方を同時に達成することができる。
【００９６】
第１視認性低下手段１９５は球案内通路１５３，１５４の前側に配置されている。球案内通路１５３，１５４は、そこを通過する遊技球に対して遊技者が求める視認性の程度が開閉部材１５２の下側の入賞口１５１側に比較して遥かに高いので、視認性の低下度合いが低く視認性（透過性）の高い第１視認性低下手段１９５が球案内通路１５３，１５４の前通路壁１５６ａ側に対応して設けられている。従って、遊技者は、第１視認性低下手段１９５、前通路壁１５６ａを通して比較的容易に球案内通路１５３，１５４を通過する遊技球を視認することができる。
【００９７】
第２視認性低下手段１９８は入賞口１５１側の前側に配置され、第３視認性低下手段１９９は誘導通路１６４を含む囲繞壁１５９の内側部分に配置されている。入賞口１５１側の前側と、誘導通路１６４を含む囲繞壁１５９の内側部分とを比較した場合、入賞検出スイッチ１６５を通過して遊技盤１７の裏側に誘導されるに過ぎない誘導通路１６４側の遊技球に比較して、入賞口１５１はどの程度の遊技球が入賞しているのか等と遊技者が遊技球に対して求める視認性の程度が高い。そのため視認性の低下度合いが中程度の第２視認性低下手段１９８が入賞口１５１の前側に略対応して設けられている。
【００９８】
従って、入賞口１５１を前側から見た場合、球案内通路１５３，１５４の前側の第１視認性低下手段１９５よりは視認性が低下するものの、第２視認性低下手段１９８を通して入賞口１５１内の遊技球の入賞状況を視認することができる。
【００９９】
一方、誘導通路１６４の前側を含む囲繞壁１５９の内側部分に対応して第３視認性低下手段１９９が設けられている。第３視認性低下手段１９９は第２視認性低下手段１９８よりも視認性の低下度合いが高く視認性（透過性）が低くなっている。
【０１００】
第１視認性低下手段１９５は、遊技球の視認性を重視したもので、装飾的又は意匠的デザインを施した無色透明又は着色透明のシール材等が使用されている。なお、この第１視認性低下手段１９５は、遊技球の視認性を大きく損なわない程度のものが望ましく、視認性の低下度合い零を含むものである。
【０１０１】
第２視認性低下手段１９８は、装飾的又は意匠的デザインを施したもので、第１視認性低下手段１９５よりは視認性の低下度合いが高く視認性（透過性）の低いシール材等が使用されている。
【０１０２】
第３視認性低下手段１９９には、第２視認性低下手段１９８よりも更に装飾性又は意匠性を重視したもので、第２視認性低下手段１９８よりも視認性の低下度合いが高く視認性（透過性）の低いシール材等が使用されている。なお、第３視認性低下手段１９９には専ら装飾性を重視した装飾シール、遮光性シール、印刷、金属メッキ等を採用可能であり、遊技球を視認不能にするものでもよい。
【０１０３】
第１視認性低下手段１９５の視認性の低下度合いをＸ１、第２視認性低下手段１９８の視認性の低下度合いをＸ２、第３視認性低下手段１９９の視認性の低下度合いをＸ３とした場合、その各低下度合いはＸ１（＝０％を含む）＜Ｘ２＜Ｘ３（＝１００％を含む）の関係にある。
【０１０４】
なお、第１視認性低下手段１９５、第２視認性低下手段１９８、第３視認性低下手段１９９としては、実施形態に例示する以外のものを利用することも可能である。例えば、文字、その他の絵柄を印刷したシール材を使用して、その絵柄の濃淡の違いにより視認性の低下度合いを変えてもよいし、文字、絵柄を構成する線の間隔、太さ、その他の密度の違いにより視認性の低下度合いを変えてもよい。勿論、文字、絵柄を構成する線の濃淡と、文字、絵柄を構成する線の密度とを組み合わせてもよい。更に文字を視認性阻害部とし、その文字間を非視認性阻害部としてもよい。
【０１０５】
更に第１視認性低下手段１９５、第２視認性低下手段１９８、第３視認性低下手段１９９としては、前板１５６の前面にシール等を後付けにより設ける他、前板１５６の成型時にその該当部分にシボ加工、梨地加工、その他の加工を施すことによって、視認性の低下度合いに変化を持たせてもよい。また前板１５６の成型後のローレット加工、シルク加工を利用してもよい。
【０１０６】
前板１５６に第１視認性低下手段１９５、第２視認性低下手段１９８、第３視認性低下手段１９９を設ける場合、図３２−１に示すように前板１５６の全域に各視認性低下手段１９５、１９８、１９９を隙間なく設けているが、各視認性低下手段１９５、１９８、１９９相互間に必要に応じて隙間を設けることも可能である。
【０１０７】
第３視認性低下手段１９９は、誘導通路１６４の前側に対応する部分と、その部分を除く囲繞壁１５９の内側部分とに分けて、囲繞壁１５９の内側部分に対応する部分は内部を視認不能に遮光し、誘導通路１６４の前側に対応する部分は、内部の視認性は低いが、多少は視認できるようにしてもよい。
【０１０８】
第１外周部材１１６は、図２、図４、図２２、図２３に示すように、案内通路１１０の始端側である球受入れ部１１３の外側から上部側に跨がって遊技領域４１の左外周に配置される左外周部分（ヒンジ側外周部分）１７３と、左外周部分１７３の上部側から右打ち通路１２７の上部側である終端側に跨がって配置される上外周部分１７４とを一体に備えた合成樹脂等の樹脂製である。この第１外周部材１１６には、その左外周部分１７３及び上外周部分１７４の内周壁１７５に沿って外レール１１２が円弧状に配置され、また外レール１１２に沿って右打ち通路１２７の始端側に打ち込まれた遊技球が衝突する緩衝部材２１４が外レール１１２の終端側の内周に配置されている。
【０１０９】
左外周部分１７３は上下両側が広幅部１７３ａとなっており、その中間部分が狭幅部１７３ｂとなっている。上外周部分１７４は左右両側が広幅部１７４ａとなっており、その中間部分が狭幅部１７４ｂとなっている。なお、左外周部分１７３は、上下一対の係合部２６間に配置されており、その上下両側で係合部２６が遊技盤１７に係合するようになっている。
【０１１０】
第１外周部材１１６は、図２５、図２７、図３０に示すように、内外に配置された内周壁１７５及び外周壁１７６と、その前側を覆う前面壁１７７と、前面壁１７７の裏側に縦横等の所定方向に配置された補強リブ１７８とを一体に備え、遊技盤１７側へと後方に突出する周方向に複数の位置決め突起１７９と、周方向に複数の取り付け部１８０とを有し、その位置決め突起１７９を遊技盤１７の位置決め孔１８１に挿入して位置決めし、取り付け部１８０に前側から挿通して遊技盤１７に螺合する取り付けネジ等の固定具１８２により取り付けられている。従って、第１外周部材１１６は、位置決め突起１７９、取り付け部１８０、固定具１８２を介して遊技盤１７の前面に固定状に容易且つ確実に取り付けることができる。
【０１１１】
位置決め突起１７９は前面壁１７７及び／又は内周壁１７５及び外周壁１７６を連結する補強リブ１７８から遊技盤１７側へと後方に突出しており、遊技盤１７の位置決め孔１８１に圧入されている。なお、位置決め突起１７９は遊技盤１７の位置決め孔１８１に単に挿入するだけでもよい。取り付け部１８０は前面壁１７７から遊技盤１７側へと後方に凹入状に形成された凹入部１８３の後端に設けられており、その取り付け部１８０に凹入部１８３側から固定具１８２が挿入されている。
【０１１２】
第２外周部材１１７は、図２、図４に示すように、遊技領域４１に対して内レール１１１と反対側で第１外周部材１１６の上外周部分１７４側から下部側に跨がって遊技領域４１の右外周に配置される右外周部分（反ヒンジ側外周部分）１８５と、右外周部分１８５の下部側から内レール１１１の下端側に跨がって遊技領域４１の下外周に配置される下外周部分１８６とを一体に備えた合成樹脂等の樹脂製であり、第１外周部材１１６と同様に遊技盤１７に取り付けられている。
【０１１３】
この第２外周部材１１７には、右打ち通路１２７の外周側に配置される側部レール１８７が右外周部分１８５に設けられ、遊技領域４１の下側に配置され且つ遊技領域４１を流下したアウト球を集めてアウト口１３４へと案内する下部レール１８８が下外周部分１８６に設けられている。
【０１１４】
即ち、第２外周部材１１７の下外周部分１８６には、図３６〜図４０に示すように、左右両側からアウト口１３４の前側に跨がって下部レール１８８が一体に設けられている。この下部レール１８８は、遊技領域４１から流下するアウト球をアウト口１３４の前側へと左右方向に集める左右一対のレール部１８８ａ，１８８ｂと、アウト口１３４の前側で左右のレール部１８８ａ，１８８ｂ間に下側へと凹入して配置され且つ各レール部１８８ａ，１８８ｂからのアウト球をアウト口１３４へと案内する案内凹部１８９と、案内凹部１８９から後方に突出して遊技盤１７のアウト口１３４の内周側に配置され且つ案内凹部１８９内の遊技球を遊技盤１７の裏側へと誘導する横長樋状の誘導通路部１９０と、遊技盤１７のアウト口１３４の周縁部分を前側から覆う前飾り部１９１と、レール部１８８ａ，１８８ｂの案内凹部１８９側端部で前飾り部１９１の前側近傍に設けられ且つレール部１８８ａ，１８８ｂから案内凹部１８９へと移動するアウト球の前飾り部１９１側への接触を阻止する接触阻止部１９２ａ，１９２ｂと、接触阻止部１９２ａ，１９２ｂの前側で各レール部１８８ａ，１８８ｂ上に設けられ且つレール部１８８ａ，１８８ｂから案内凹部１８９へと移動するアウト球を迂回させる迂回部１９３ａ，１９３ｂとを一体に備えている。
【０１１５】
案内凹部１８９の後側には、この案内凹部１８９から後方に突出して遊技盤１７のアウト口１３４の内周側に配置され且つ案内凹部１８９内の遊技球を遊技盤１７の裏側へと移動する横長樋状の誘導通路部１９０が一体に設けられている。
【０１１６】
左右のレール部１８８ａ，１８８ｂの内、案内通路１１０側のレール部１８８ａは内レール１１１に連続するように円弧状に構成され、案内通路１１０と反対側のレール部１８８ｂは傾斜状に構成されている。レール部１８８ａ，１８８ｂの球案内面１８８１ａ，１８８１ｂは前端側が後端側よりも外周側に広がっており、前後方向の線分上の断面が傾斜状になっている。
【０１１７】
各レール部１８８ａ，１８８ｂの球案内面１８８１ａ，１８８１ｂは、前側が後側よりも遊技領域４１の外周側に低くなる前下がり状に傾斜しており、図３８、図３９、図４０に示すように、左右両側からアウト口１３４の前側の案内凹部１８９に近づくに連れてその傾斜角度が略連続状に大になっている。そして、レール部１８８ａ，１８８ｂの案内凹部１８９側の傾斜角度が大きい部分の内、前飾り部１９１の前側近傍の後部側が接触阻止部１９２ａ，１９２ｂとなり、その接触阻止部１９２ａ，１９２ｂの前側が迂回部１９３ａ，１９３ｂとなっている。図３８、図３９及び図４０は、図３６の３８Ａ矢視断面図、３９Ａ矢視断面図、４０Ａ矢視断面図である。
【０１１８】
因みに図３６のレール部１８８ａの３８ａ矢視位置の傾斜角度α３８と、３９ａ矢視位置の傾斜角度α３９と、４０ａ矢視位置の傾斜角度α４０との関係を見た場合、それらはα３８＜α３９＜α４０となっており、レール部１８８ａの案内凹部１８９側の端部の傾斜角度α４０が大になっている。そして、傾斜角度α３９、α４０と傾斜角度が大きい部分の後部側が接触阻止部１９２ａとなり、その迂回部１９３ａとなっている。
【０１１９】
なお、レール部１８８ａ，１８８ｂの接触阻止部１９２ａ，１９２ｂとその前側の迂回部１９３ａ，１９３ｂは、傾斜角度が連続的に滑らかに変化するように形成しているが、接触阻止部１９２ａ，１９２ｂが迂回部１９３ａ，１９３ｂから段部を介して突出するように形成してもよい。案内凹部１８９、誘導通路部１９０には、前後方向の突条１９４が左右方向に複数本設けられている。
【０１２０】
遊技領域４１を流下中に入賞手段１３０，１３２等に入賞しなかった遊技球は、アウト球として下部レール１８８のレール部１８８ａ，１８８ｂ上に流下し、その流下位置に応じてレール部１８８ａ，１８８ｂ上を図３７のＸ１８８矢示方向に移動する。そして、レール部１８８ａ，１８８ｂ上のアウト球は、ガラス板７６に沿って左右両側から中央の案内凹部１８９へと移動した後、誘導通路部１９０を経てアウト口１３４から遊技盤１７の裏側へと排出されて行く。
【０１２１】
レール部１８８ａ，１８８ｂの案内凹部１８９側近傍部分の傾斜角度はα３９、α４０と大であって、前飾り部１９１に近い後部側が一段と高い接触阻止部１９２ａ，１９２ｂとなり、この接触阻止部１９２ａ，１９２ｂの前側が低い迂回部１９３ａ，１９３ｂとなっている。そのため左右両側のレール部１８８ａ，１８８ｂから中央の案内凹部１８９へと移動するアウト球は、接触阻止部１９２ａ，１９２ｂによって前飾り部１９１の前面側への接近を阻止されることになり、ガラス板７６により案内されながら接触阻止部１９２ａ，１９２ｂの前側の迂回部１９３ａ，１９３ｂを経由して案内凹部１８９へと図３７のＸ１９３矢示方向に移動する。
【０１２２】
従って、アウト球が前飾り部１９１の前面に接触しなくなるか、接触する機会が少なくなるため、アウト球との接触による前飾り部１９１の前面側の擦過痕、汚れ等を防止することができる。
【０１２３】
なお、レール部１８８ａの上面は左右方向の全体が前下がり状に傾斜しているが、前飾り部１９１のレール部１８８ａに接続する部分に対応して接触阻止部１９２ａ，１９２ｂがあり、その前側に迂回部１９３ａ，１９３ｂがあればよい。
【０１２４】
第１外周部材１１６の外周壁１７６は、図２３に示すように、遊技領域４１の上側に遊技盤１７の上縁に沿って左右方向に形成された上縁部１７６ａと、案内通路１１０に対して遊技領域４１と反対側に遊技盤１７の側縁に沿って上下方向に形成された側縁部１７６ｂとを有する。そして、この側縁部１７６ｂ側には、図４、図５、図２２に示すように、第１外周部材１１６とガラスユニット４３との間から遊技領域４１へのピアノ線等の不正部材の挿入を阻止する第２阻止手段１９６が上下方向に設けられている。
【０１２５】
この第２阻止手段１９６は、ゴム等の弾性部材により構成され且つ第１外周部材１１６の側縁部１７６ｂに貼着され第２阻止部材１９７を備えている。第２阻止部材１９７は、第１外周部材１１６の前面壁１７７から前側に突出して外側へと屈曲する封止部１９７ａを有し、その封止部１９７ａは前扉４を閉じたときにガラスユニット４３のガラス板７６に接触して弾性変形し、第１外周部材１１６とガラスユニット４３との隙間を封止するようになっている。
【０１２６】
従って、仮に前枠３と前扉４との間からガラスユニット４３の裏側へと不正部材が挿入されるような事態が発生したとしても、この第２阻止部材１９７により、それ以上の不正部材の進入を阻止することができる。特に第１外周部材１１６の上下方向の略中央部分では、第１外周部材１１６の左右幅が狭くなっているが、その外側に第２阻止部材１９７があるため、第１外周部材１１６の左右幅の狭い部分を突破して不正部材が遊技領域４１内まで挿入されるようなことを防止できる。
【０１２７】
外レール１１２は、図４、図２２、図２３に示すように、第１外周部材１１６の内周壁１７５に沿って球受入れ部１１３の始端側と右打ち通路１２７の上側近傍との間に円弧状に設けられており、レール長手方向の両端に配置された始端側係止手段２００、終端側係止手段２０１と、この始端側係止手段２００、終端側係止手段２０１間に配置された複数の幅方向位置決め手段２０２とを介して第１外周部材１１６の内周壁１７５に沿って着脱自在に装着されている。
【０１２８】
始端側係止手段２００は外レール１１２の始端側を第１外周部材１１６に係脱可能に係止するためのもので、図２３、図２７、図４１に示すように、外レール１１２の始端側に設けられた始端側当接部２０３及び始端側係止部２０４と、第１外周部材１１６の内周壁１７５に設けられた始端側挿入口２０５、始端側被当接部２０６及び始端側被係止部２０７とを有する。始端側当接部２０３は外レール１１２の始端側に屈曲形成されており、この始端側当接部２０３の先端側が始端側係止部２０４となっている。始端側挿入口２０５は外レール１１２の始端側が挿脱自在であり、外レール１１２の始端側当接部２０３が始端側挿入口２０５内でレール長手方向に始端側被当接部２０６に当接され、また始端側係止部２０４が内周壁１７５の始端側被係止部２０７に内側から係止されている。
【０１２９】
終端側係止手段２０１は外レール１１２の終端側を第１外周部材１１６に係脱可能に係止するためのもので、図２３、図４１に示すように、外レール１１２側の終端に形成された終端側当接部２０９と、第１外周部材１１６内に形成され且つ外レール１１２の終端側を収容する終端側収容部２１０と、終端側収容部２１０の奥側に形成され且つ外レール１１２の終端側当接部２０９がレール長手方向に当接する終端側被当接部２１１とを有する。
【０１３０】
外レール１１２の終端側当接部２０９の近傍には、図２３、図４１に示すように、この終端側当接部２０９よりも始端側当接部２０３側に弾性変形部２１２が設けられている。弾性変形部２１２は外レール１１２の一部を内外方向の少なくとも一方へと突出してＵ字状、Ω状等の湾曲状に湾曲形成されたものであって、この弾性変形部２１２の外レール１１２の長手方向への弾性変形により、外レール１１２の始端側当接部２０３と終端側当接部２０９との間の長さが第１外周部材１１６の始端側被当接部２０６と終端側被当接部２１１との間隔に一致するように長さ調整可能である。
【０１３１】
そのため外レール１１２を第１外周部材１１６の内周に沿って装着する場合には、外レール１１２の終端部分に弾性変形部２１２を備えておき、この弾性変形部２１２をレール長手方向に拡大し又は縮小すべく弾性変形させることによって、第１外周部材１１６の始端側被当接部２０６と終端側被当接部２１１との間隔に一致するように、外レール１１２の始端側当接部２０３と終端側当接部２０９との間の長さを調整することができる。
【０１３２】
例えば、外レール１１２の始端側当接部２０３と終端側当接部２０９との間隔が第１外周部材１１６の始端側被当接部２０６と終端側被当接部２１１との間隔よりも大であれば、弾性変形部２１２の開放端間の間隔がレール長手方向に狭くなるように、また逆に外レール１１２の始端側当接部２０３と終端側当接部２０９との間隔が第１外周部材１１６の始端側被当接部２０６と終端側被当接部２１１との間隔よりも小であれば、弾性変形部２１２の開放端間の間隔がレール長手方向に広がるように、夫々弾性変形部２１２をレール長手方向に弾性変形させればよい。
【０１３３】
従って、外レール１１２の始端側当接部２０３と終端側当接部２０９との間隔、第１外周部材１１６の始端側被当接部２０６と終端側被当接部２１１との間隔等に多少のバラツキがあっても、そのバラツキに関係することなく外レール１１２を第１外周部材１１６の内周に沿って容易且つ確実に取り付けることができる。
【０１３４】
第１外周部材１１６の終端側には、外周壁１７６と、緩衝部材２１４の内周側に連続状に配置された球案内壁２１５と、その両者間に配置された中間壁２１６とが設けられており、その外周壁１７６と中間壁２１６との間に、外レール１１２の弾性変形部２１２を含む終端側を収容する終端側収容部２１０が設けられている。終端側被当接部２１１は外周壁１７６と中間壁２１６とを連結して設けられ、またこの終端側被当接部２１１には、外レール１１２の終端側当接部２０９の移動を規制する突起部２１７が設けられている。
【０１３５】
第１外周部材１１６の終端側収容部２１０内には、弾性変形部２１２の近傍で外レール１１２の内外方向の位置を規制する規制手段２１８が設けられている。この規制手段２１８は終端側当接部２０９と弾性変形部２１２との間に配置されており、終端側当接部２０９よりも弾性変形部２１２に近い側に配置された外側規制部２１９と、終端側当接部２０９と外側規制部２１９との間に配置された内側規制部２２０とを備えている。
【０１３６】
外側規制部２１９は外周壁１７６から中間壁２１６側に、内側規制部２２０は中間壁２１６から外周壁１７６側に夫々突出しており、その外側規制部２１９の突出高さは弾性変形部２１２の外側への屈曲量よりも大になっている。外側規制部２１９、内側規制部２２０は、その終端部分が緩衝部材２１４の近傍の外レール１１２の延長線上に位置するように、外レール１１２の終端部分の内外方向の両側に当接している。
【０１３７】
なお、終端側収容部２１０は第１外周部材１１６の前面壁１７７の裏側に設けられており、この終端側収容部２１０内に弾性変形部２１２、規制手段２１８等が設けられている。外側規制部２１９、内側規制部２２０は、少なくとも一方が外レール１１２に当接すればよい。
【０１３８】
このように外レール１１２の弾性変形部２１２の近傍に規制手段２１８を設けて、この規制手段２１８により外レール１１２の内外方向の位置を規制することにより、弾性変形部２１２を含む外レール１１２の終端部分を所定位置に安定的に位置させることができるので、外レール１１２の終端側に弾性変形部２１２があるにも拘わらず、その外レール１１２を第１外周部材１１６に沿って所定位置に配置することができる。
【０１３９】
また規制手段２１８は終端側当接部２０９と弾性変形部２１２との間に配置することにより、外レール１１２の弾性変形部２１２と終端側当接部２０９との中間部分が安定するため、その外レール１１２の終端部分の弾性変形部２１２に対する向きが悪い場合にも、弾性変形部２１２の弾性力が外レール１１２の浮き上がり方向に作用する等の問題がなく、外レール１１２を第１外周部材１１６に沿って所定位置に配置することができる。
【０１４０】
特に規制手段２１８の外側規制部２１９を終端側当接部２０９よりも弾性変形部２１２に近い側に配置し、内側規制部２２０を終端側当接部２０９と外側規制部２１９との間に配置することにより、外レール１１２の弾性変形部２１２を含む終端部分の位置を最適位置に保つことができる。
【０１４１】
また外レール１１２の弾性変形部２１２、規制手段２１８は、第１外周部材１１６の前面壁１７７の裏側に形成された終端側保持部２１３内に配置されているため、第１外周部材１１６の前側に弾性変形部２１２、規制手段２１８が露出することがなく、第１外周部材１１６の周辺をスッキリと仕上げることができる。
【０１４２】
幅方向位置決め手段２０２は、外レール１１２を第１外周部材１１６の内周壁１７５に対してレール幅方向に位置決めするためのものであって、図２２に示すように、始端側係止手段２００と終端側係止手段２０１との間の外レール１１２の中間部分にレール長手方向に所定間隔を置いて複数設けられている。
【０１４３】
この各幅方向位置決め手段２０２は、図２７、図３０、図３１に示すように、外レール１１２に形成されたレール長手方向に長い長孔状の位置決め孔２２３と、第１外周部材１１６の内周壁１７５に突出形成され且つ位置決め孔２２３に係合する位置決め突起２２４とを備えており、また遊技盤１７の前面と外レール１１２の後端縁とが直接接触しないように、遊技盤１７の前面と外レール１１２の後端縁との間に所定の間隙ｓ１１２（図３１参照）を置いて、外レール１１２を第１外周部材１１６の内周壁１７５に対してレール幅方向に位置決めしている。なお、各幅方向位置決め手段２０２は、外レール１１２により案内される遊技球と干渉しないように、遊技盤１７の前面から遊技球の半径ｒ以内の範囲内に配置されている。
【０１４４】
位置決め突起２２４は、位置決め孔２２３のレール長手方向の略中央に位置しており、位置決め孔２２３と位置決め突起２２４との間には、レール長手方向の相対移動を許容するように、位置決め突起２２４の両側にレール長手方向に所定の隙間ｓ２０２（図３１参照）が設けられている。
【０１４５】
第１外周部材１１６の内周壁１７５の前端には、外レール１１２を前側から覆う覆い部２２２が設けられている。この覆い部２２２は、外レール１１２の板厚と同程度か、若干厚いか又は薄い程度のリブ状であって、外レール１１２の前端縁が露出しないようにレール長手方向の全長又はその一部に設けられている。
【０１４６】
このように第１外周部材１１６に覆い部２２２を一体に設けることにより、その樹脂製の覆い部２２２によって外レール１１２の前端縁を被覆できるため、仮に前扉４の裏側から突出する何等かの突出部材があっても、前扉４を閉じた際に、その突出部材が金属製の外レール１１２の前端縁に直接衝突して損傷するようなことを防止できる利点がある。
【０１４７】
また遊技盤１７の組み立て工程において、外レール１１２を遊技盤１７に装着した後に、何等かの部材が外レール１１２側へと前側から接近するような事態が発生した場合にも、樹脂製の覆い部２２２によって、その部材の外レール１１２への衝突を防止できる利点がある。
【０１４８】
外レール１１２を第１外周部材１１６の内周壁１７５に沿って装着する場合には、先ず外レール１１２の始端側を始端側挿入口２０５に挿入し、始端側当接部２０３を始端側被当接部２０６に当接させて、外レール１１２の始端側を始端側係止手段２００により第１外周部材１１６の始端側に係止する。次に始端側係止手段２００を支点として、外レール１１２を第１外周部材１１６の内周壁１７５に沿って円弧状に湾曲させる一方、外レール１１２の終端側の弾性変形部２１２をレール長手方向に収縮させながら、その終端側当接部２０９、弾性変形部２１２を含む外レール１１２の終端側部分を終端側収容部２１０内に挿入して、外レール１１２の終端側を終端側係止手段２０１により第１外周部材１１６の終端側に係止する。
【０１４９】
終端側係止手段２０１においては、外レール１１２の終端側当接部２０９と弾性変形部２１２との間の終端側部分を規制手段２１８の外側規制部２１９と内側規制部２２０との間に嵌め込み、弾性変形部２１２等を含む外レール１１２のレール長手方向の弾性力により終端側当接部２０９に当接させる。また外レール１１２が第１外周部材１１６の内周壁１７５に沿って円弧状に湾曲した状態において、各幅方向位置決め手段２０２により外レール１１２の中間側を第１外周部材１１６の内周壁１７５に対してレール幅方向に位置決めする。
【０１５０】
このようにして始端側係止手段２００、終端側係止手段２０１及び幅方向位置決め手段２０２を介して、外レール１１２を第１外周部材１１６の内周側に装着すれば、外レール１１２の第１外周部材１１６に対する装着を容易且つ確実に行うことができる。この場合、外レール１１２には、レール長手方向に弾性変形可能な弾性変形部２１２を設けておけば、外レール１１２、第１外周部材１１６のレール長手方向の寸法等に多少のバラツキがあっても、そのバラツキを容易に吸収できるため、外レール１１２の装着作業が容易であると共に、外レール１１２の装着精度の向上を図ることができる。
【０１５１】
また幅方向位置決め手段２０２は、外レール１１２側の長孔状の位置決め孔２２３と、これに挿入される第１外周部材１１６の内周壁１７５側の位置決め突起２２４との間にレール長手方向の隙間ｓ２０２があるため、外レール１１２を第１外周部材１１６の内周壁１７５に沿って円弧状に湾曲させながら、その位置決め孔２２３に位置決め突起２２４を嵌め込んで行くことができる。
【０１５２】
従って、幅方向位置決め手段２０２の位置決め孔２２３と位置決め突起２２４との間にレール幅方向に大きな遊びを設ける必要もなく、幅方向位置決め手段２０２により外レール１１２を第１外周部材１１６の内周壁１７５に対して確実に位置決めすることができる。
【０１５３】
第１外周部材１１６には、図２２、図２３、図２７、図４１に示すように、外レール１１２のレール長手方向の少なくとも一部に対応して始端側衝撃吸収部２２５、終端側衝撃吸収部２２６等の衝撃吸収部２２５，２２６が設けられている。この衝撃吸収部２２５，２２６は、外レール１１２自体が遊技領域４１の内外方向に弾性変形して遊技球の衝撃を直接的又は間接的に吸収するものである。
【０１５４】
始端側衝撃吸収部２２５は、発射手段１８から発射された遊技球が案内通路１１０の球受入れ部１１３に入って外レール１１２に衝突する始端側領域Ｓ２２５に設けられており、遊技球の衝撃を外レール１１２により直接吸収し緩和するようになっている。
【０１５５】
また終端側衝撃吸収部２２６は、外レール１１２に沿って案内される遊技球が緩衝部材２１４に衝突する終端側領域Ｓ２２６に設けられており、遊技球が緩衝部材２１４に衝突したときの衝撃を緩衝部材２１４を介して外レール１１２により間接的に吸収し緩和するようになっている。
【０１５６】
始端側衝撃吸収部２２５では、図２７に示すように、第１外周部材１１６の内周壁１７５に外側へと凹入する凹部２２７が形成され、その凹部２２７内にレール長手方向に所定間隔を置いて複数の突起部２２８がレール幅方向に設けられ、その突起部２２８が外レール１１２の外側面に当接されている。そのため始端側衝撃吸収部２２５の外レール１１２は、突起部２２８によって外側から間欠的に支持されるのみであって、外レール１１２の外側は凹部２２７により開放状になっている。
【０１５７】
また始端側衝撃吸収部２２５のレール長手方向の両側には、レール長手方向に遊び（＝ｓ２０２）を有する幅方向位置決め手段２０２が設けられており、その幅方向位置決め手段２０２では、外レール１１２が第１外周部材１１６の内周壁１７５に対してレール長手方向に相対移動可能である。なお、始端側衝撃吸収部２２５の両側の幅方向位置決め手段２０２によって、第１外周部材１１６と外レール１１２とのレール長手方向の相対移動を許容する相対移動許容手段が構成されている。
【０１５８】
このような構成の始端側衝撃吸収部２２５を設けておけば、発射手段１８から発射された遊技球が案内通路１１０の球受入れ部１１３から入って外レール１１２に衝突したときの衝撃を吸収し緩和することができる。即ち、発射手段１８から発射された遊技球は、案内通路１１０の球受入れ部１１３から入って外レール１１２の始端側衝撃吸収部２２５に対して図２７のＸ２２５矢示方向に衝突する。始端側衝撃吸収部２２５では、外レール１１２の外側が開放状であるため、その遊技球の衝突は外レール１１２自体に加わる。
【０１５９】
一方、始端側衝撃吸収部２２５の両側の幅方向位置決め手段２０２は、外レール１１２と第１外周部材１１６の内周壁１７５との相対移動を許容するため、始端側衝撃吸収部２２５の外レール１１２はそれ自体の弾性に抗しながら外側へと弾性変形することになる。遊技球が通過した後は、始端側衝撃吸収部２２５の外レール１１２はそれ自体の弾性力によって元の位置まで戻り、次の遊技球の衝突に備える。
【０１６０】
従って、始端側衝撃吸収部２２５では、遊技球が外レール１１２に衝突する都度、その衝撃力に応じて外レール１１２自体の弾性力に抗しながら外レール１１２が外側へと弾性変形するので、この外レール１１２の弾性変形により遊技球の衝撃を吸収し緩和することができる。
【０１６１】
また始端側衝撃吸収部２２５では、外レール１１２は遊技球の衝撃を受けて板厚方向に移動又は振動するが、幅方向位置決め手段２０２が第１外周部材１１６の内周壁１７５に対して外レール１１２を位置決めして、遊技盤１７の前面と外レール１１２の後端縁との間に所定の隙間ｓ１１２を確保しているので、外レール１１２が遊技盤１７の前面に近接状態で内外方向に移動するにも拘わらず、その外レール１１２が遊技盤１７の前面を削る等の擦過痕の発生を防止することができる。
【０１６２】
更に始端側衝撃吸収部２２５の凹部２２７の中間には、所定間隔をおいて突起部２２８があり、この突起部２２８により外レール１１２を外側から支持しているため、始端側衝撃吸収部２２５のレール長手方向の長さを十分に確保しながらも、遊技球が衝突した際に外レール１１２が板厚方向に不安定に振動するようなこともなく、遊技球をスムーズに上側へと案内することができる。
【０１６３】
なお、始端側衝撃吸収部２２５の凹部２２７間の突起部２２８は、始端側衝撃吸収部２２５のレール長手方向の長さに応じて、その長さが短ければ１つでもよいし、長ければ複数でもよい。始端側衝撃吸収部２２５が短い場合には、突起部２２８はなくてもよい。また始端側衝撃吸収部２２５の凹部２２７の外レール１１２からの深さは、外レール１１２に対する遊技球の衝撃の大きい箇所では大きくし、外レール１１２に対する遊技球の衝撃の小さい箇所では小さくしてもよい。
【０１６４】
更に幅方向位置決め手段２０２は、始端側衝撃吸収部２２５のレール長手方向の両側に設けてもよいが、レール長手方向の少なくとも一方にあれば十分である。また始端側衝撃吸収部２２５をレール長手方向に長く構成する等によって、始端側衝撃吸収部２２５内において、外レール１１２が局部的に板厚方向に弾性変形可能な場合には、始端側衝撃吸収部２２５の両側で外レール１１２を第１外周部材１１６の内周壁１７５に対して相対移動可能にする必要はない。
【０１６５】
終端側衝撃吸収部２２６は、図２３、図４１に示すように、緩衝部材２１４の外側から終端側収容部２１０内の外レール１１２の終端側領域Ｓ２２６に跨がって設けられている。第１外周部材１１６の内周壁１７５の終端側には、緩衝部材２１４の上手側近傍から緩衝部材２１４の外側に対応する部分に、円弧状の外レール１１２から外側に離間する離間部２２９が設けられている。
【０１６６】
緩衝部材２１４と最終端側の規制手段２１８との間は、外レール１１２が内周壁１７５から離間する離間部２２９となっており、その離間部２２９により外レール１１２の外側が開放状態になっている。従って、終端側衝撃吸収部２２６は、その離間部２２９によって構成されている。
【０１６７】
なお、離間部２２９は、緩衝部材２１４から始端側へと離れるに従って、内周壁１７５と外レール１１２との間隔が徐々に小さくなっている。しかし、離間部２２９は、段階的に変化するようにしてもよいし、１個の凹部で構成してもよい。
【０１６８】
このように終端側領域Ｓ２２６に終端側衝撃吸収部２２６を設けておけば、遊技球が緩衝部材２１４に衝突した際に、その緩衝部材２１４を介して加わる衝撃により、外レール１１２が外側へと板厚方向に弾性変形して、その衝撃を吸収し緩和することができる。
【０１６９】
緩衝部材２１４は、図２３、図４１、図４２に示すように、ゴム等の弾性材料により構成された中実材であって、外レール１１２の終端部側の下側で第１外周部材１１６の終端側収容部２１０の上手側近傍に配置され、第１外周部材１１６に一体に形成された取り付け台２３１の裏側に着脱自在に取り付けられており、遊技球の衝突時の衝撃を弾性変形により緩和する一方、その遊技球の衝突時の衝撃力を外レール１１２に伝えて外レール１１２の弾性変形により吸収し緩和するようになっている。
【０１７０】
この緩衝部材２１４は、本体部２３４と、この本体部２３４の上手側から外レール１１２側へと突出して外レール１１２に近接又は当接する突出部２３５と、最上手側に突出部２３５から本体部２３４に跨がって傾斜状に形成された球衝突部２３６とを有する。球衝突部２３６は外レール１１２から離れるに従って下手側となるように外レール１１２に対して所定角度で傾斜する傾斜面となっており、遊技球の慣性力の大小に応じてその何れかの部分に衝突するようになっている。
【０１７１】
取り付け台２３１は、緩衝部材２１４の本体部２３４を球衝突方向の下手側（レール長手方向の終端側）から受ける受け部２３７と、緩衝部材２１４を前側から覆う前覆い部２３８と、この前覆い部２３８から遊技盤１７側へと緩衝部材２１４に挿通して緩衝部材２１４を保持する保持突起２３９とを備えている。
【０１７２】
受け部２３７は中間壁２１６と、球案内壁２１５と、この両者を球衝突方向と略直角に連結する連結壁２３３とによりコ字状に構成され、この受け部２３７内に緩衝部材２１４の本体部２３４の下手側が遊技盤１７側から嵌め込まれている。保持突起２３９は外レール１１２から遊技球の半径ｒと略同じ又はそれ以上離れた位置で受け部２３７の開放端側の略中央に配置され、緩衝部材２１４に形成された通孔２４０に挿通されている。
【０１７３】
取り付け台２３１は遊技盤１７側が開放状であり、この取り付け台２３１に取り付けられた緩衝部材２１４は、遊技盤１７の前面に当接している。従って、緩衝部材２１４は、取り付け台２３１の前覆い部２３８と遊技盤１７とにより前後両側から挟まれた状態で取り付け台２３１に取り付けられている。なお、緩衝部材２１４は前覆い部２３８と遊技盤１７との間で前後に遊動しない程度に保持すれば十分である。
【０１７４】
遊技に際して右打ち通路１２７に遊技球を集中させる場合には、左打ち通路１２６に遊技球を集中させる左打ち時とは異なり、発射ハンドル７４の回動量を大にして発射手段１８により遊技球を強く打撃しながら遊技領域４１へと打ち込む。遊技領域４１内に打ち込まれた遊技球は、外レール１１２に沿ってセンターケース１１９の上側を通過して右打ち通路１２７側へと飛行した後、緩衝部材２１４の球衝突部２３６に衝突してから、右打ち通路１２７内を下方へと流下する。
【０１７５】
遊技球が緩衝部材２１４の球衝突部２３６に衝突すると、緩衝部材２１４が弾性変形して遊技球の衝撃力を吸収し緩和することができる。即ち、遊技球が球衝突部２３６に対してＸ２３６矢示方向に衝突した場合、球衝突部２３６に対して直角方向に衝撃力Ｆが加わる。この衝撃力Ｆは緩衝部材２１４を受け部２３７側へと押圧する力Ｆ１と、緩衝部材２１４を外レール１１２側へと押圧する力Ｆ２とに分解でき、緩衝部材２１４に遊技球が衝突した際の衝撃力Ｆの内、その一部の力Ｆ１を受け部２３７が、力Ｆ２を外レール１１２が夫々分担することとなる。
【０１７６】
このように遊技球が緩衝部材２１４に衝突したときの衝撃の一部を外レール１１２側で受け持つことにより、緩衝部材２１４を介して取り付け台２３１の受け部２３７側に加わる衝撃力を大幅に軽減できるため、取り付け台２３１の受け部２３７側でその衝撃の全てに抗する場合に比較して緩衝部材２１４の劣化を少なくできると共に、取り付け台２３１の受け部２３７等の損傷を防止することができる。
【０１７７】
また緩衝部材２１４に遊技球が衝突した際に、力Ｆ２によって緩衝部材２１４が外レール１１２側へと押圧されるが、緩衝部材２１４が外レール１１２に対して押圧する部位は終端側衝撃吸収部２２６に対応しており、この終端側衝撃吸収部２２６で外レール１１２が外側へと弾性変形するので、その弾性変形により緩衝部材２１４に加わる衝撃を緩和することができる。そのために遊技球が衝突した際の緩衝部材２１４自体の負担を軽減することができる。
【０１７８】
更に保持突起２３９は外レール１１２から遊技球の半径ｒと略同じ又はそれ以上離れた位置に配置されているため、保持突起２３９により緩衝部材２１４を仮止めしているにも拘わらず、遊技球が球衝突部２３６に衝突した際に、その遊技球の衝撃力により、緩衝部材２１４が保持突起２３９廻りに外レール１１２側へと回動し押圧する分力が発生し易くなり、外レール１１２による衝撃の緩和効果を増大させることができる。
【０１７９】
取り付け台２３１では、本体部２３４の一部を受け部２３７に嵌め込んだ状態で緩衝部材２１４を前覆い部２３８に当接させて、その緩衝部材２１４に挿通する保持突起２３９により仮止め状態に保持しているため、第１外周部材１１６の取り付け台２３１に緩衝部材２１４を容易に仮止めすることができる。また第１外周部材１１６を遊技盤１７に装着した後は、その緩衝部材２１４は取り付け台２３１の前覆い部２３８と遊技盤１７とにより前後両側から挟まれているので、緩衝部材２１４を所定位置に確実に保持することができる。
【０１８０】
内レール１１１は透明な合成樹脂材料等により正面視円弧状に金型成型された樹脂製であって、図２４、図４３に示すように、遊技盤１７から前側へと突出する前側部分よりも遊技盤１７に近い後側部分の肉厚が大に構成されており、この内レール１１１の後端側には、この後端側を外周部２４５と内周部２４６とに分ける溝部２４７がレール長手方向に形成されている。
【０１８１】
即ち、内レール１１１は、図２４、図４３に示すように、遊技盤１７から起立し且つ前側よりも遊技盤１７側の肉厚が大に構成された起立壁２４８と、この起立壁２４８の後端側の外周から内外方向の外側に突出してレール長手方向に設けられた突条部２４９と、起立壁２４８の後端側から遊技盤１７側へと後方に突出するレール長手方向に一つ又は複数の位置決め突起１４０，１４１とを備えている。
【０１８２】
起立壁２４８の内外周面は、内周面２４８ａの前端側が外周面２４８ｂ側に傾斜し、外周面２４８ｂの前側が内周面２４８ａ側に傾斜しており、内周面２４８ａの傾斜角度が外周面２４８ｂ側の傾斜角度よりも大である。なお、外周面２４８ｂは遊技盤１７に対して略垂直にしてもよい。また外周面２４８ｂの傾斜角度は、内周面２４８ａの傾斜角度よりも大にしてもよい。その場合、内周面２４８ａは遊技盤１７に対して略垂直にしてもよい。
【０１８３】
起立壁２４８のレール長手方向の両端には、球受入れ部１１３側の取り付け部１３９と、球打ち込み部１１４側の取り付け部１３８とがあり、その各取り付け部１３８，１３９が位置決め突起１４０，１４１と取り付けネジ１４２，１４３とにより遊技盤１７に位置決め状態に固定されている。
【０１８４】
起立壁２４８の取り付け部１３９側は、第２外周部材１１７の球受入れ部１１３側と連続するように徐々に厚肉状に構成され、また取り付け部１３８側も戻り球防止手段１１５側へと徐々に厚肉状に構成されている。なお、起立壁２４８は、両取り付け部１３８，１３９間でレール長手方向に略同一の肉厚でもよい。
【０１８５】
突条部２４９は起立壁２４８の後端側を補強するためのものであって、案内通路１１０内でファール球が発生した場合にも、その遊技球と干渉しないように遊技盤１７の前面から遊技球の半径ｒ未満の位置で起立壁２４８の外周側に配置されており、この突条部２４９とその前側の起立壁２４８の外周面との間は円弧状に形成されている。
【０１８６】
溝部２４７は図２４、図４３に示すようにＶ状、台形状等の後広がり状であって、その深さは遊技球の半径ｒ未満となっている。そのため溶融状態の合成樹脂材料を成型金型内に充填して内レール１１１を金型成型する場合、内レール１１１は起立壁２４８の外周側に突条部２４９があり、遊技盤１７に近い後端側の肉厚が大であるにも拘わらず、その溝部２４７によって内レール１１１の後端側の内周部２４６側、外周部２４５側の肉厚を薄くできるので、合成樹脂材料の硬化時に発生し易い成型歪みを防止できる利点がある。
【０１８７】
溝部２４７はレール長手方向に複数に分割されており、そのレール長手方向に隣り合う溝部２４７間には、外周部２４５と内周部２４６とを一体に連結する長連結部２５０、短連結部２５１等の連結部が配置されている。従って、内レール１１１のレール長手方向の全体にわたって１つの溝部２４７を設ける場合には、突条部２４９と反対側の外周部２４５又は内周部２４６の剛性が低下することになり、突条部２４９を設けたことの意義がなくなるが、溝部２４７の中間部分に連結部２５０，２５１を設けることによって、内レール１１１の剛性の低下を防止することができる。
【０１８８】
長連結部２５０はレール長手方向の長さが長く、これに対して短連結部２５１はレール長手方向の長さが短くなっている。長連結部２５０は両端の取り付け部１３８，１３９間に２つ（複数）設けられている。短連結部２５１は、取り付け部１３８，１３９と長連結部２５０との間に１つ設けられ、また中間の両長連結部２５０間に２つ設けられている。なお、長連結部２５０、短連結部２５１の数は、１以上であればよい。
【０１８９】
長連結部２５０には、図２４、図２９に示すように、遊技盤１７側へと後側に突出する突起部１４５と、この突起部１４５の両側に配置され且つ遊技盤１７の前面に当接する突部２５２とが設けられている。突起部１４５は遊技盤１７に凹入状又は貫通状に形成された挿入孔（位置決め孔）２５３内に僅かの遊びを介して挿入されている。
【０１９０】
内レール１１１を遊技盤１７に装着する場合には、各取り付け部１３８，１３９の位置決め突起１４０，１４１を遊技盤１７の位置決め孔１４０ａ，１４１ａに挿入して位置決めすると共に、中間の突起部１４５を挿入孔２５３に遊びを介して挿入する。そして、内レール１１１を所定の取り付け位置に位置決めした後、その両端の各取り付け部１３８，１３９を取り付けネジ１４２，１４３等により遊技盤１７に固定すればよい。従って、このような構成の内レール１１１を採用すれば、内レール１１１を所定の取り付け位置に容易且つ確実に装着することができる。
【０１９１】
また内レール１１１の両端の取り付け部１３８，１３９を取り付けネジ１４２，１４３で遊技盤１７に固定しているにも拘わらず、取り付け部１３８，１３９間の中間部分では、突起部１４５を挿入孔２５３に遊びｗ３を介して挿入しているため、案内通路１１０側又は遊技領域４１側から内レール１１１に遊技球が衝突するようなことがあっても、その遊びｗ３の範囲内で内レール１１１の中間部分がレール板厚方向に弾性変形して、遊技球の衝突時に内レール１１１に加わる衝撃を吸収し緩和することができる。
【０１９２】
更に突起部１４５と挿入孔２５３との間に遊びｗ３を設けることにより、遊技球が突起部１４５の近傍で内レール１１１に衝突した場合にも、その遊びｗ３により内レール１１１に対する衝撃を緩和できるため、突起部１４５の起立壁２４８側の付け根部分に亀裂が入る等の問題が生じることもない。突起部１４５と挿入孔２５３との間の遊び量は、極僅かでも一定の衝撃吸収効果がある。
【０１９３】
取り付け部１３８，１３９及び突部２５２は、起立壁２４８の後端面２４８ｃよりも遊技盤１７側に僅かに突出しており、内レール１１１を遊技盤１７の前面に装着したときに、取り付け部１３８，１３９及び突部２５２が遊技盤１７の前面に当接して、取り付け部１３８，１３９及び突部２５２の相互間では、起立壁２４８の後端面２４８ｃが遊技盤１７の前面から突出高さｈ２５２（図２９参照）だけ浮き上がっている。
【０１９４】
従って、内レール１１１と遊技盤１７との間には、取り付け部１３８，１３９及び突部２５２の突出高さｈ２５２に相当する微少な隙間ｓ２５２（＝ｈ２５２）ができるので、遊技球の衝突時の弾性変形により内レール１１１が遊技盤１７の前面に沿ってレール板厚方向に振動するようなことがあっても、遊技盤１７の前面に内レール１１１の擦過痕が生じるようなことはない。
【０１９５】
内レール１１１の突部２５２は、図２４に示すように、内レール１１１の後端面２４８ｃのレール板厚方向の寸法よりも小であり、突部２５２と内レール１１１の後端面２４８ｃの両端縁との間隔ｗ１，ｗ２は、突起部１４５と挿入孔２５３との遊び量ｗ３以上となっている。なお、突起部１４５は挿入孔２５３内に圧入、その他により密嵌状に挿入してもよい。
【０１９６】
内レール１１１を遊技盤１７に装着する場合、内レール１１１の両端の取り付け部１３８，１３９を位置決め突起１４０，１４１と取り付けネジ１４２，１４３とで固定し、また中間部分に突起部１４５等を設けずに、その中間の一つ又は複数の取り付け部を取り付けネジ、位置決め突起等の固定具により遊技盤１７に対して固定状に取り付けることも可能である。
【０１９７】
この場合には内レール１１１に遊技球が衝突しても、その衝撃によって内レール１１１がレール板厚方向に弾性変形し難くなるため、起立壁２４８の後端面を遊技盤１７の前面に当接させても、内レール１１１が遊技盤１７の前面を擦って摩耗する等の問題が生じることはない。
【０１９８】
戻り球防止手段１１５は、内レール１１１の上端の球打ち込み部１１４側に配置されている。この戻り球防止手段１１５は、図４、図２５、図２６に示すように、内レール１１１の上端側に前後方向の支軸２６０により回動自在に枢支された戻り球防止片２６１と、この戻り球防止片２６１を戻り球阻止位置に付勢する付勢手段２６２とを備えている。
【０１９９】
戻り球防止片２６１は、内レール１１１の取り付け部１３８と前側の押え部材２６３との間に配置されている。この戻り球防止片２６１は下部側に支持用基部２６４を有し、その支持用基部２６４が支軸２６０により枢支され、また支軸２６０の下側に付勢手段２６２用の重錘２６５が設けられている。支軸２６０は取り付け部１３８の位置決め突起１４０と押え部材２６３とに跨がって挿通されている。
【０２００】
なお、取り付け部１３８の位置決め突起１４０は、遊技盤１７の位置決め孔１４０ａに挿入されているので、その位置決め突起１４０に支軸２６０を挿通することにより、支軸２６０の取り付け部１３８に対する挿通量を長くすることができる。そのため支軸２６０の取り付け部１３８に対する挿通量を十分に確保しながらも、取り付け部１３８と押え部材２６３との間隔を大にでき、支軸２６０により戻り球防止片２６１を安定的に支持することができる。
【０２０１】
取り付け部１３８には、遊技領域４１内に打ち込まれた遊技球が戻り球防止片２６１の支持用基部２６４に衝突しないように、その支持用基部２６４を遊技領域４１側から覆う保護壁２６７が設けられている。この保護壁２６７は内レール１１１の起立壁２４８の上端側に一体に連結されており、その両者間には押え部材２６３用の取り付けボス２６８が設けられている。
【０２０２】
押え部材２６３は、戻り球防止片２６１の支持用基部２６４及び保護壁２６７を前側から覆う形状であり、取り付けネジ２６９により取り付けボス２６８に前側から固定されている。保護壁２６７には、支持用基部２６４が当接して戻り球防止片２６１を戻り球阻止位置に規制するストッパ部２７０が設けられている。
【０２０３】
戻り球防止片２６１は、通常時には付勢手段２６２の重錘２６５の付勢により、支持用基部２６４がストッパ部２７０に当接して案内通路１１０の球打ち込み部１１４内に下側から突出する戻り球阻止位置にある。そのため遊技領域４１内に打ち込まれた遊技球が、遊技領域４１内のセンターケース１１９、その他に衝突して球打ち込み部１１４側に衝突するようなことがあっても、その遊技球は戻り球防止片２６１に当って遊技領域４１の左打ち通路１２６へと流下するだけであり、案内通路１１０側への遊技球の戻りを防止することができる。
【０２０４】
発射手段１８により発射されて案内通路１１０内を打ち込み方向に移動する遊技球が戻り球防止片２６１に衝突すると、この戻り球防止片２６１が重錘２６５の重みに抗して支軸２６０廻りに時計方向に回動して遊技球の通過を許容するため、遊技球を遊技領域４１へと打ち込むことができる。なお、遊技球が通過すれば、重錘２６５の付勢により戻り球防止片２６１が支軸２６０廻りに反時計方向に回動して戻り球阻止位置に復帰する。
【０２０５】
右打ち通路１２７は、図４、図４４に示すように、緩衝部材２１４の下側位置と遊技領域４１が最大左右幅となる上下略中央位置よりも上側に離れた位置との間に配置されており、この右打ち通路１２７に流下速度制限手段２７５が設けられている。
【０２０６】
即ち、右打ち通路１２７は、図４４〜図４７に示すように、センターケース１１９と第１、第２外周部材１１６，１１７との間に円弧状に設けられており、センターケース１１９の外周側に配置された内周通路壁２７６と、第１、第２外周部材１１６，１１７の内周に近接して配置された外周通路壁２７７と、内周通路壁２７６と外周通路壁２７７との後端を連結し且つ遊技盤１７の前面に当接する後通路壁２７８とを有する。内周通路壁２７６と外周通路壁２７７は、左右に略等間隔に配置されている。
【０２０７】
流下速度制限手段２７５は右打ち通路１２７内で遊技球の流下速度を制限するためのもので、内周通路壁２７６の外周面に周方向に所定間隔を置いて配置された前後方向の内突条部２７９と、外周通路壁２７７の内周面に周方向に所定間隔を置いて配置された前後方向の外突条部２８０とを上下方向に交互に備えている。内突条部２７９、外突条部２８０は１／２〜１／４程度の截頭半円錐状であって、内外周通路壁２７６，２７７の前後幅と略同一長さで前後方向に設けられており、その後端側の突出高さｈ１０、上下幅ｗ１０が前端側の突出高さｈ２０、上下幅ｗ２０よりも大であり、後端側から前端側へと突出高さ、上下幅が徐々に小さくなっている。
【０２０８】
従って、右打ち通路１２７の横断平面視での内周通路壁２７６、外周通路壁２７７、内突条部２７９及び外突条部２８０の相対関係を見た場合、図４７に示すように、内周通路壁２７６と外周通路壁２７７は左右に略平行であるのに対して、１／２〜１／４程度の截頭半円錐状の内突条部２７９、外突条部２８０は、その突出端間の間隔が前広がり状になっている。
【０２０９】
このような構成の流下速度制限手段２７５では、右打ち通路１２７を流下する遊技球は、内周通路壁２７６の内突条部２７９と、外周通路壁２７７の外突条部２８０とに交互に衝突しながら順次流下するので、その内突条部２７９と外突条部２８０とによって遊技球の流下速度を制限することができる。従って、一般的には右打ち通路１２７側へ遊技球を集中させる場合には、左打ち通路１２６の場合と異なって速い速度で遊技球が発射されるが、狭い右打ち通路１２７内を通過するときに、その流下速度を十分に制限することができる。
【０２１０】
また内外周通路壁２７６，２７７の内外突条部２７９，２８０は、その後端側の突出高さ、上下幅が最大であり、その後端側から前端側へと突出高さ、上下幅が徐々に低くなっているので、内外突条部２７９，２８０に衝突を繰り返しながら流下する間に、その内外突条部２７９，２８０によって遊技球に対して前側のガラスユニット４３側への力を与えることができる。そのため右打ち通路１２７内を流下する遊技球に対して複雑な運動の速度制限作用を与えることができる。
【０２１１】
特に右打ち通路１２７は遊技領域４１の略上下中央位置よりも上側に位置しており、内周通路壁２７６が上向き凸円弧状であり、この内周通路壁２７６に複数の截頭半円錐状の内突条部２７９が通路長手方向に所定の間隔で配置されているため、遊技球が内突条部２７９に衝突する毎にガラスユニット４３側への力を与えることができる。そして、この内周通路壁２７６に対して所定の間隔で円弧状に対向する外周通路壁２７７にも、複数の截頭半円錐状の外突条部２８０が内突条部２７９と交互にあるため、遊技球が外突条部２８０に衝突する毎に同様にガラスユニット４３側への力を与えることができる。
【０２１２】
更に内外周通路壁２７６，２７７の内外突条部２７９，２８０は、内外周通路壁２７６，２７７を連結する後通路壁２７８側の突出高さ、突出幅が最大であり、前側になるに伴って突出高さ、突出幅が小さくなっているので、内外突条部２７９，２８０を含む内外周通路壁２７６，２７７、後通路壁２７８がセンターケース１１９と一体であるにも拘わらず容易に成型することができる。
【０２１３】
遊技領域４１の内、右打ち通路１２７の下端から下部レール１８８までの範囲が実質的に遊技に供される右領域部４１ａとなっている。この右領域部４１ａは、図４に示すように、センターケース１１９と第２外周部材１１７の側部レール１８７との間に上下方向に長く設けられている。右領域部４１ａの上部側には、右打ち通路１２７の下側近傍に球案内手段２９０が、この球案内手段２９０の下側近傍に普通図柄始動手段１３１が夫々設けられ、また右領域部４１ａの下部側に大入賞手段１３２が設けられている。
【０２１４】
球案内手段２９０は、遊技領域４１の上下方向の略中央位置よりも上側で右打ち通路１２７の下側近傍に配置されており、右打ち通路１２７の下端から流下する遊技球を受けて普通図柄始動手段１３１側に案内するようになっている。
【０２１５】
この球案内手段２９０は、図４４〜図４７に示すように、後側が開放する箱状の突出部２９１と、この突出部２９１の上面に設けられた球案内部２９２と、突出部２９１の上下両側に設けられた取り付け部２９３とを有し、突出部２９１の開口縁及び取り付け部２９３が遊技盤１７の前面に当接して、その取り付け部２９３が取り付けネジ２９４により遊技盤１７の前面に取り付けられている。
【０２１６】
球案内部２９２を含む突出部２９１は、右打ち通路１２７からの遊技球の衝撃に耐え得るように取り付け部２９３に比較して十分な厚さを有する。球案内部２９２は平面視略矩形状であって、右打ち通路１２７から流下した遊技球をセンターケース１１９側へと左右方向の中央側に案内すべく、所定の傾斜角度α２９２でセンターケース１１９側へと左右方向に傾斜するとともに、その傾斜角度α２９２未満の傾斜角度β２９２で前下がりに傾斜している。この球案内部２９２の前下がりの傾斜角度β２９２は、球案内部２９２が前側のガラス板７６から遊技球の半径ｒと略同程度離れた部位Ｐ１と、取り付け部２９３から遊技球の半径ｒと略同程度離れた部位Ｐ２との間の案内領域Ｓで遊技球を左右方向に案内可能な角度である。
【０２１７】
突出部２９１は正面視五角形状であるが、その球案内部２９２が傾斜角度β２９２で前下りに傾斜するだけでなく、他の外周部も前側が中央寄りに傾斜状になっている。そのため球案内部２９２は後端側の左右長さに対して前端側の左右長さが短くなっており、上流端縁２９２ａ、下流端縁２９２ｂは、平面視において遊技盤１７に直角な線分に対して傾斜角度γで内向きに傾斜した状態になっている。
【０２１８】
右打ち通路１２７を通過した遊技球は、所定の慣性力を持ったままで球案内手段２９０の球案内部２９２上に落下し、その球案内部２９２の傾斜に沿って案内されて行く。このとき球案内部２９２が傾斜角度α２９２，β２９２で傾斜した状態にあるため、球案内部２９２上の遊技球は、図４８に示すように、その傾斜角度α２９２による力Ｘ１と、傾斜角度β２９２による力Ｘ２との合成力Ｘ１２を受けながら案内されることになる。
【０２１９】
従って、遊技球は、右打ち通路１２７内で流下速度制限手段２７５の内外突条部２７９，２８０により複雑な速度制限作用を受けながら、不規則な慣性力を持った状態で球案内手段２９０の球案内部２９２上に落下するにも拘らず、その落下後の球案内部２９２の傾斜角度α２９２、β２９２により、落下後の遊技球の安定化を図ることができる。勿論、遊技球は球案内部２９２上に流下した時点で所定の慣性力を持っているため、合成力Ｘ１２の影響を受けながらも案内領域Ｓの幅内で案内方向（左方向）に自由に移動可能である。
【０２２０】
また球案内部２９２の下流端縁２９２ｂは、平面視において遊技盤１７に直角な線分に対して傾斜角度γで内向きに傾斜しているため、球案内部２９２の下流端縁２９２ｂから離れるときにも、下流端縁２９２ｂ側の傾斜角度γにより、遊技球に対してガラス板７６側への慣性力を付与することができる。
【０２２１】
更に突出部２９１は球案内部２９２が傾斜角度β２９２で前下りに傾斜するだけでなく、他の外周面も前側が中央寄りに傾斜状になっているため、金型成型により容易に成型することが可能である。
【０２２２】
このような構成の球案内手段２９０は、次の通り要約することができる。即ち、球案内手段２９０は、遊技盤１７の前面に当接する取り付け部２９３と、この取り付け部２９３から前側に突出する球案内部２９２とを有し、遊技領域４１内を流下する遊技球を球案内部２９２により、遊技盤１７に沿って左右方向に案内する。球案内部２９２は、この球案内部２９２の左右方向の傾斜角度α２９２未満の傾斜角度β２９２で前下がりに傾斜しており、球案内部２９２が遊技領域４１の前側のガラス板７６から遊技球の半径ｒと略同程度離れた部位Ｐ１と、取り付け部２９３から遊技球の半径ｒと略同程度離れた部位Ｐ２との間で遊技球を左右方向に案内可能な角度である。球案内部２９２は、取り付け部２９３側の左右方向の長さよりもガラス板７６側の左右方向の長さが短くなっている。球案内部２９２は、上手側と下手側との傾斜角度β２９２が略同じであるが、上手側又は下手側の傾斜角度を下手側又は上手側よりも大にしてもよい。
【０２２３】
図４９、図５０は本発明の第２の実施形態を例示する。緩衝部材２１４は上下方向に長い縦長矩形状であって、取り付け台２３１の受け部２３７に当接する当接面２９５と、この当接面２９５と反対側の球衝突部２３６とが略平行な平坦状に形成され、その当接面２９５が上下方向に平坦状の受け部２３７に当接した状態で、前覆い部２３８から遊技盤１７側に突出する長さの異なる長保持突起２９６と短保持突起２９７との２本により保持されている。緩衝部材２１４には、２本の保持突起２９６，２９７に対応して２個の通孔２９８，２９９が形成されている。
【０２２４】
遊技球が緩衝部材２１４の球衝突部２３６に対して衝突する際の衝撃は、外レール１１２に近い上部側が外レール１１２から遠い下部側よりも大である。そのため衝撃の大きい上側に対応して短保持突起２９７が配置され、衝撃の小さい下側に対応して長保持突起２９６が配置されている。長保持突起２９６は、球衝突部２３６に遊技球が衝突する範囲の略全長に跨がる前後方向の長さを有し、短保持突起２９７は球衝突部２３６に遊技球が衝突する範囲から外れた位置に対応する長さ、又は遊技球が衝突する範囲の内の前側の一部に対応する長さである。
【０２２５】
従って、緩衝部材２１４の下部側を長保持突起２９６により取り付け台２３１に確実に保持し、緩衝部材２１４の上部側の外レール１１２の長手方向の移動を短保持突起２９７により受け止めることができる。
【０２２６】
また緩衝部材２１４の上部側には、遊技球の衝突領域に対応して短保持突起２９７の先端側に中空状の通孔２９９の余剰部分があり、この通孔２９９の余剰部分により中空部が形成されるため、緩衝部材２１４の上部側が下部側に比較して弾性変形し易くなり、球衝突部２３６の上部側に大きな衝撃力が加わる場合にも、その衝撃を十分に吸収し緩和することができる。
【０２２７】
更に通孔２９９に挿通する短保持突起２９７の先端側の余剰部分を利用して衝撃吸収用の中空部を構成しているため、専用の中空部を設ける場合に比較して容易に製作することが可能であり、容易且つ安価に実施できる利点がある。
【０２２８】
なお、この実施形態でも、球衝突部２３６側に遊技球が衝突した場合には、緩衝部材２１４の上部側は、その弾性変形により外レール１１２側へと押圧する。この実施形態では、外レール１１２が内周壁１７５に当接しており、第１の実施形態の終端側衝撃吸収部２２６に相当するものがないが、第１の実施形態と同様に構成してもよい。
【０２２９】
外レール１１２は終端側にＵ字状の弾性変形部２１２を有し、その弾性変形部２１２の終端側が第１外周部材１１６の終端側収容部２１０内に突出する被当接部３００に当接されている。外レール１１２は弾性変形部２１２よりも終端側に逆Ｕ字状に屈曲する屈曲部３０１があり、その屈曲部３０１内に被当接部３００が配置されている。他の構成は、第１の実施形態と略同様である。
【０２３０】
図５１は本発明の第３の実施形態を例示する。緩衝部材２１４は、外レール１１２のレール長手方向に長く構成されている。第１外周部材１１６の取り付け台２３１には、コ字状の第１受け部３０３と、その下側の平坦状の第２受け部３０４とを備え、緩衝部材２１４の突部３０５が第１受け部３０３に入り、平坦部３０６が第２受け部３０４に当接する。保持突起２３９は、第１受け部３０３の上手側近傍に配置されている。
【０２３１】
緩衝部材２１４は保持突起２３９から球衝突部２３６までの長さが保持突起２３９から第１受け部３０３までの長さよりも大であり、また遊技球が球衝突部２３６に衝突したときに、緩衝部材２１４が外レール１１２側に弾性変形し易くなるように、保持突起２３９の位置、球衝突部２３６の角度が選択し決定されている。
【０２３２】
外レール１１２の終端側当接部２０９は、第１外周部材１１６の終端側被当接部２１１に対してレール長手方向に当接するが、その第１外周部材１１６の終端側被当接部２１１は、外レール１１２の終端側当接部２０９に遊技領域４１側への分力が生じる角度となっている。そのため外レール１１２の終端側当接部２０９と弾性変形部２１２との間に外レール１１２を規制する規制手段２１８があるが、外レール１１２は規制手段２１８を構成する外側規制部２１９と内側規制部２２０との内、内側規制部２２０に当接している。
【０２３３】
従って、外レール１１２は、規制手段２１８を構成する外側規制部２１９と内側規制部２２０との両者に当接するだけでなく、その外側規制部２１９と内側規制部２２０との何れか一方に当接してもよい。
【０２３４】
また外レール１１２の終端側当接部２０９が第１外周部材１１６の終端側被当接部２１１で一定位置に当接する場合には、規制手段２１８は外側規制部２１９と内側規制部２２０とが共に所定の間隔を置いて外レール１１２と対向するようにしてもよい。
【０２３５】
なお、外レール１１２は内周壁１７５に当接しているが、他の構成は、第１の実施形態と略同様である。
【０２３６】
図５２は本発明の第４の実施形態を例示する。第１外周部材１１６の取り付け台２３１には、第１受け部３０８と第２受け部３０９とがＶ字状に設けられ、その第２受け部３０９から外レール１１２に沿って上手側に伸びる第３受け部３１０とを有する。保持突起２３９は取り付け台２３１の第１〜第３受け部３０８〜３１０の近傍に配置されている。
【０２３７】
緩衝部材２１４には、第１、第２受け部３０８，３０９に当接する第１、第２当接部３１１，３１２がＶ字状に形成され、また第３受け部３１０に当接する第３当接部３１３が第３受け部３１０と平行に形成されている。緩衝部材２１４には、遊技球の衝突方向に対して傾斜状に形成された球衝突部２３６と、第３受け部３１０の上手側近傍で外レール１１２側に突出して当接する突出部３１４とが設けられている。
【０２３８】
この緩衝部材２１４においても、球衝突部２３６の上部側に遊技球が衝突した場合には、緩衝部材２１４の上部側が遊技球の衝撃により圧縮されて外レール１１２、第３受け部３１０側に弾性変形し外レール１１２、第３受け部３１０側に圧接するため、緩衝部材２１４及び外レール１１２により遊技球の衝撃に抗することができる。
【０２３９】
図５３、図５４は本発明の第５の実施形態を例示する。第１外周部材１１６の取り付け台２３１には、第１受け部３０８と第２受け部３０９とが鈍角状に設けられている。保持突起２３９は取り付け台２３１の第１、第２受け部３０８，３０９の近傍に配置されている。
【０２４０】
緩衝部材２１４には、第１、第２受け部３０８，３０９に当接する第１、第２当接部３１１，３１２が鈍角状に形成されている。また緩衝部材２１４は、外レール１１２に対して鋭角状に傾斜する球衝突部２３６を有し、その球衝突部２３６に対して反対側が外レール１１２に当接している。この緩衝部材２１４においても、球衝突部２３６に遊技球が衝突した場合には、緩衝部材２１４が遊技球の衝撃により圧縮されて外レール１１２側に圧接するため、緩衝部材２１４及び外レール１１２により遊技球の衝撃に抗することができる。なお、アース部材３１５の外レール１１２と接触する接触部３１５ａは適度な弾性を有する。他の構成は、第１、第２の実施形態と略同様である。
【０２４１】
第１外周部材１１６の終端側収容部２１０内には、外レール１１２に接触するアース部材３１５が設けられている。アース部材３１５は規制手段２１８の外側規制部２１９と終端側被当接部２１１との間で内側規制部２２０と反対側に配置され、第１外周部材１１６の取り付け部３１６にネジ３１７によりアース線３１８と共に固定されている。
【０２４２】
このように終端側収容部２１０内にアース部材３１５を設けて、このアース部材３１５を介して外レール１１２をアースするようにしてもよい。アース部材３１５を規制手段２１８の外側規制部２１９と終端側被当接部２１１との間で内側規制部２２０と反対側に配置することにより、外レール１１２をアース部材３１５に確実に接触させることができる。
【０２４３】
図５５〜図５８は本発明の第６の実施形態を例示する。図５５に示すように、前枠３の遊技盤装着部１５の裏側には枠側ジョイント部３２０が、遊技盤１７の裏側部材３２２には盤側ジョイント部３２１が夫々設けられており、遊技盤１７をヒンジ側端部１７ａの回動中心廻りに回動させて遊技盤装着部１５に着脱する際に、盤側ジョイント部３２１の盤側コネクタ３２３が枠側ジョイント部３２０の枠側コネクタ３２４に対して盤側コネクタ３２３の回動円の接線方向に着脱するようになっている。
【０２４４】
裏側部材３２２は遊技盤１７の裏側に突出する大入賞手段１３２等の裏側部分を覆う裏カバー等により構成されている。盤側コネクタ３２３、枠側コネクタ３２４は上下方向に長い縦長状に構成され、ヒンジ５，６とは反対側の端部に左右方向に所定の間隔をおいて複数設けられている。枠側コネクタ３２４と盤側コネクタ３２３との少なくとも一方は、各ジョイント部３２０，３２１に対してフローティング可能に設けられている。例えば、盤側コネクタ３２３は、裏側部材３２２に固定された盤側ジョイント部３２１の基板３２３ａに対して上下方向、左右方向にフローティング可能である。
【０２４５】
遊技盤装着部１５のヒンジ５，６側には、後壁部２４の前側に上下一対の係合部２６が配置されている。この一対の係合部２６は、遊技盤１７の前面の略円形状の遊技領域４１の略中央部分から上下に外れた位置、即ち遊技領域４１の上下両端側に対応して配置されている。
【０２４６】
第１外周部材１１６は、図５５−１に示すように、ヒンジ５，６側の左外周部分１７３と上外周部分１７４とを一体に備えた樹脂製であって、所定の高さを有し、遊技盤１７から前面に突出して装着されている。
【０２４７】
このような構成の第１外周部材１１６において、遊技領域４１よりもヒンジ５，６側の左外周部分１７３は、図５５−１、図５６、図５７に示すように、上下一対の係合部２６間に対応する左外側縁１７３ｃが、遊技盤１７の端縁に近接又は端縁と略一致する上下方向の直線状であり、この左外側縁１７３ｃに、遊技盤１７の着脱時に遊技盤装着部１５の左枠部２０との干渉を避ける逃げ部（干渉回避部）３２６が設けられている。
【０２４８】
なお、第１外周部材１１６の各係合部２６の近傍から逃げ部３２６と反対側の上下両端側には切り欠き部１１６ａが設けられており、この上下両端側は、遊技盤１７のヒンジ５，６側の端部から離れた切り欠き状となっている。
【０２４９】
逃げ部３２６は、遊技盤装着部１５に対して遊技盤１７を着脱する際に、遊技盤１７のヒンジ側端部１７ａが後壁部２４と係合部２６との間に挿入されて遊技盤１７が遊技盤装着部１５に対して斜め方向になって係合部２６に係合したときに、第１外周部材１１６の左外周部分１７３が左枠部２０と干渉しないようにするためのもので、左外周部分１７３の前側外周に形成されている。この逃げ部３２６は、左外周部分１７３の前後中間の外周壁１７６から前面壁１７７へと内側に傾斜する傾斜面３２７により構成されている。
【０２５０】
第１外周部材１１６の上下の係合部２６間の左外周部分１７３には、外レール１１２が遊技盤１７の端縁に最接近する部位に対応して狭幅部１７３ｂがあり、この狭幅部１７３ｂから上下両側に徐々に左右幅が広がる広幅部１７３ａがあるが、狭幅部１７３ｂとその周辺に補強手段が設けられている。
【０２５１】
左外周部分１７３は、上下の係合部２６間に設けられた直線状の外周壁１７６と、この外周壁１７６の内側に配置された円弧状の内周壁１７５と、内外周壁１７５，１７６の前面側の前面壁１７７と、これら内外周壁１７５，１７６及び前面壁１７７を補強する補強リブ３２８とを備えている。狭幅部１７３ｂ側とその周辺では、補強リブ３２８間の間隔を小さくして、その狭幅部１７３ｂを内側から補強する補強構造を採用している。
【０２５２】
直線状の外周壁１７６は遊技盤１７のヒンジ５，６側の端縁又は端縁近傍に配置されており、左外周部分１７３の後部側に設けられている。前面壁１７７は左外周部分１７３の前部側にあり、後部側の外周壁１７６よりも内側に配置されている。傾斜面３２７は外周壁１７６の前端から前面壁１７７へと内側に傾斜して配置されている。
【０２５３】
遊技盤装着部１５に遊技盤１７を装着するに際しては、図５８に示すように、遊技盤１７を遊技盤装着部１５に対して斜めにして遊技盤１７のヒンジ側端部１７ａを遊技盤装着部１５の後壁部２４と係合部２６との間に挿入した後、遊技盤１７のヒンジ５，６と反対側を遊技盤装着部１５へと１７ｂ矢示方向に押圧して、遊技盤１７を係合部２６との係合部分を支点（回動中心）としてその回動中心廻りに１７ｂ矢示方向（反時計方向）に回動させながら遊技盤装着部１５内に押し込む。そして、盤側コネクタ３２３が枠側コネクタ３２４に接近すると、両者が接線方向に円滑に接続する。遊技盤１７の押し込み後、固定手段２８により遊技盤１７を固定すればよい。遊技盤１７を取り外す場合には、逆の手順で行う。
【０２５４】
第１外周部材１１６のヒンジ側にある左外周部分１７３に逃げ部３２６を構成する傾斜面３２７を設けておけば、遊技盤１７のヒンジ側端部１７ａを遊技盤装着部１５内の後壁部２４と係合部２６との間に斜め方向に挿入した場合にも、その傾斜面３２７が左枠部２０に近接するだけで、第１外周部材１１６の左外周部分１７３が左枠部２０と直接干渉することはない。
【０２５５】
従って、遊技盤１７のヒンジ側端部１７ａを左枠部２０の近傍まで挿入することができるため、遊技盤装着部１５の係合部２６の突出量を大にする必要がなく、遊技盤１７を遊技盤装着部１５に容易に装着することができ、また盤側コネクタ３２３と枠側コネクタ３２４とを円滑に接続することができる。
【０２５６】
また逃げ部３２６を設けることにより、第１外周部材１１６の左外周部分１７３と左枠部２０との干渉を防止できるので、第１外周部材１１６全体を遊技盤１７のヒンジ５，６側に寄せて配置することが可能であり、遊技盤１７の前面の遊技領域４１を大型化することが可能である。
【０２５７】
しかも、逃げ部３２６は第１外周部材１１６の左外周部分１７３に設けた傾斜面３２７により構成しているため、構造的にも簡単であり、容易に実施することができる。更に逃げ部３２６を構成する傾斜面３２７を第１外周部材１１６の左外周部分１７３に設ける場合、左外周部分１７３の狭幅部１７３ｂの強度が問題になるが、狭幅部１７３ｂ及びその周辺部分の内部に補強リブ３２８を設けることにより、第１外周部材１１６の内周に外レール１１２があることと相俟って、第１外周部材１１６の左外周部分１７３に所定の強度を確保することができる。
【０２５８】
図５９〜図６１は本発明の第７の実施形態を例示する。第１外周部材１１６の左外周部分１７３を補強するに当たっては、図５９〜図６１に示すように、狭幅部１７３ｂから上下両側の広幅部１７３ａ側の近傍又は上下両側の広幅部１７３ａに跨がって上下方向に帯状金属板等の補強部材３２９を設けてもよい。
【０２５９】
逃げ部３２６を構成する傾斜面３２７は、左外周部分１７３の前側外周にあり、その傾斜面３２７の後側に凹部３３０が形成され、その凹部３３０内に補強部材３２９が配置されている。凹部３３０には上下両側に取り付け部３３１が設けられ、この取り付け部３３１に補強部材３２９がネジ３３２により固定されている。上下の取り付け部３３１間には、内周壁１７５から補強部材３２９側に突出して当接する当接リブ３３３が設けられている。他の構成は各実施形態と略同様である。
【０２６０】
このように金属製の補強部材３２９を設けて第１外周部材１１６の左外周部分１７３を補強してもよい。この場合には、左外周部分１７３の内外両側に金属製の外レール１１２と補強部材３２９とがあるため、左外周部分１７３を十分に補強することができる。また補強部材３２９は、逃げ部３２６の後側に凹部３３０を形成して、その凹部３３０内に配置しているので、その補強部材３２９が逃げ部３２６の機能を阻害するようなことはない。
【０２６１】
なお、補強部材３２９は、狭幅部１７３ｂとその周辺部分に設ける他、第１外周部材１１６の左外側縁１７３ｃに沿って係合部２６間の略全長に設けてもよい。
【０２６２】
図６２は本発明の第８の実施形態を例示する。第１外周部材１１６の左外周部分１７３を補強するに当たっては、図６２に示すように、左外周部分１７３と内レール１１１とを連結壁３３５により連結して、これらを断面Ｕ字状に構成してもよい。連結壁３３５は案内通路１１０の球受入れ部１１３と球打ち込み部１１４との間の略全体に設けることが望ましい。外レール１１２は第１外周部材１１６の内周に設けられている。他の構成は各実施形態と略同様である。
【０２６３】
このように球受入れ部１１３と球打ち込み部１１４との間で左外周部分１７３と内レール１１１とを連結壁３３５を介して断面Ｕ字状に連結することにより、第１外周部材１１６と内レール１１１との両者を補強することができる。また第１外周部材１１６と内レール１１１とが一体であるため、遊技盤１７に対する装着も容易にできる。
【０２６４】
図６３、図６４は本発明の第９の実施形態を例示する。第１外周部材１１６の左外周部分１７３の逃げ部３２６は、図６３に示すように、左外周部分１７３の外周側を段違い状又は階段状に構成することも可能である。この実施形態では、左外周部分１７３の外周側の前後中間に段差部３３６が設けられ、その段差部３３６の内端側に、内周壁１７５に沿って前側に突出する突出部３３７があり、段差部３３６の外端側から後側に突出する外周壁１７６が設けられている。外周壁１７６は、遊技盤１７の前端縁１７ｃと突出部３３７の前端外側縁３３７ｃとを結ぶ線分上に外周面が位置するように傾斜している。他の構成は各実施形態と略同様である。
【０２６５】
このように逃げ部３２６を段違い状又は階段状に構成した場合でも、遊技盤１７のヒンジ側端部１７ａを遊技盤装着部１５に対して斜め方向に挿入したときに、図６４に示すように、第１外周部材１１６の左外周部分１７３と遊技盤装着部１５の左枠部２０との干渉を防止することができる。
【０２６６】
従って、逃げ部３２６は、左外周部分１７３の外周側が、遊技盤１７の前端縁１７ｃと、この前端縁１７ｃから内側に偏位する突出部３３７の前端外側縁３３７ｃとを結ぶ線分から外側に突出しない構造であれば、中間の段差部３３６を介して段違い状又は階段状に構成することも可能である。
【０２６７】
なお、この実施形態では、遊技盤１７の前端縁１７ｃと、この前端縁１７ｃから内側に偏位する突出部３３７の前端外側縁３３７ｃとを結ぶ線分を条件に、その線分内に段違い状又は階段状に逃げ部３２６を設けているが、遊技盤１７を着脱する際に遊技盤装着部１５の左枠部２０と干渉しない範囲の傾斜線分であればよい。そのため傾斜線分の後端側は、左外周部分１７３の前後方向の中間位置でもよい。
【０２６８】
図６５、図６６は本発明の第１０の実施形態を例示する。この実施形態では、図６５に示すように、遊技盤装着部１５の左枠部（ヒンジ側枠部）２０に装着部側逃げ部３２６ａが、第１外周部材１１６の左外周部分（ヒンジ側部分）１７３に外周部材側逃げ部３２６ｂが夫々設けられ、これら装着部側逃げ部３２６ａと外周部材側逃げ部３２６ｂとにより逃げ部３２６が構成されている。
【０２６９】
外周部材側逃げ部３２６ｂは、係合部２６間において第１外周部材１１６の左外周部分１７３の前端外周に設けられており、左外周部分１７３の前端外周を切除して傾斜状に構成されている。装着部側逃げ部３２６ａは、少なくとも外周部材側逃げ部３２６ｂに対応して遊技盤装着部１５の左枠部２０に設けられている。この装着部側逃げ部３２６ａは、遊技盤１７よりも前側で外側へと凹入する凹部３３８を左枠部２０に設けることにより構成されている。
【０２７０】
なお、凹部３３８は遊技盤装着部１５の左枠部２０の前側部分に上下方向の略全体に設けてもよいし、外周部材側逃げ部３２６ｂに対応する部分にのみ設けてもよい。外枠２の左縦枠材１２は板金材又は金属型材等により構成されている。他の構成は各実施形態と略同様である。
【０２７１】
このように第１外周部材１１６に外周部材側逃げ部３２６ｂを、遊技盤装着部１５に装着部側逃げ部３２６ａを夫々設けた場合にも、図６６に示すように、遊技盤１７を遊技盤装着部１５に対して傾斜状にしたときに、その第１外周部材１１６の左外周部分１７３と遊技盤装着部１５の左枠部２０との干渉を防止することができる。
【０２７２】
また遊技盤装着部１５に装着部側逃げ部３２６ａを設けることにより、左外周部分１７３の前端側外周を僅かに切除する等によって、第１外周部材１１６に外周部材側逃げ部３２６ｂを構成することができる。そのため外周部材側逃げ部３２６ｂによる第１外周部材１１６の強度の低下を極力少なくすることができる。
【０２７３】
図６７、図６８は本発明の第１１の実施形態を例示する。この実施形態では、遊技盤装着部１５の左枠部２０と第１外周部材１１６の左外周部分（ヒンジ側部分）１７３との内、その遊技盤装着部１５に装着部側逃げ部３２６ａが設けられており、第１外周部材１１６には第１０の実施形態の外周部材側逃げ部３２６ｂに相当するものはない。他の構成は各実施形態と略同様である。
【０２７４】
このように遊技盤装着部１５に装着部側逃げ部３２６ａを設けた場合にも、遊技盤１７を遊技盤装着部１５に対して傾斜状にしたときに、図６８に示すように、第１外周部材１１６の左外周部分１７３と遊技盤装着部１５の左枠部２０との干渉を防止することができる。従って、逃げ部３２６は、遊技盤装着部１５と第１外周部材１１６との内、何れか一方に設けてもよいし、両方に設けてもよい。
【０２７５】
図６９〜図７２は本発明の第１２の実施形態を例示する。この実施形態の内レール１１１は、透明な合成樹脂材料等により正面視円弧状に金型成型された樹脂製であって、図６９に示すように下部レール１８８と一体に構成されている。そして、この内レール１１１は、下部レール１８８側を含む背面側が当接面３４０となっており、その当接面３４０が遊技盤１７の前面に当接して、両端側の取り付け部１３８，１３９の取り付けネジ１４２，１４３により遊技盤１７の前面に固定され、中間が位置決め突起３４１，３４２により位置決めされている。
【０２７６】
内レール１１１は、遊技盤１７から前側へと突出する前側部分よりも遊技盤１７に近い後側部分の肉厚が大に構成されており、その後端側の当接面３４０には、この当接面３４０を外周部２４５と内周部２４６とに分ける溝部２４７がレール長手方向に形成されている。
【０２７７】
内レール１１１は、図６９〜図７２に示すように、遊技盤１７から起立し且つ前側よりも遊技盤１７側の肉厚が大に構成された起立壁２４８と、この起立壁２４８の後端側の外周から内外方向の外側に突出してレール長手方向に設けられた突条部２４９と、起立壁２４８の後端側から遊技盤１７側へと後方に突出するレール長手方向に一つ又は複数の位置決め突起３４１，３４２とを備えている。当接面３４０は、起立壁２４８と突条部２４９とに跨がって形成されており、その当接面３４０側に外周部２４５と内周部２４６とに分ける溝部２４７がレール長手方向に設けられている。
【０２７８】
起立壁２４８の両端には当接面３４０と面一状に取り付け部１３８，１３９があり、その取り付け部１３８，１３９が取り付けネジ１４２，１４３により遊技盤１７に固定されている。突条部２４９は起立壁２４８を外周側から補強するためのものであって、遊技球と干渉しないように遊技盤１７の前面から遊技球の半径ｒ未満の位置で起立壁２４８の外周側に配置されている。
【０２７９】
溝部２４７は、図７１、７２に示すようにＶ状、台形状等の後広がり状であって、その深さは遊技球の半径ｒ未満となっている。溝部２４７は当接面３４０の内外幅方向の内、突条部２４９に近い外周寄りに配置されている。その内周部２４６は広幅であり、外周部２４５は内周部２４６よりも狭い狭幅となっている。従って、当接面３４０側に溝部２４７を設けることにより、内レール１１１の後部側の肉厚が大であるにも拘らず、溶融樹脂材料を使用して成型歪みの少ない内レール１１１を容易に製造することができる。
【０２８０】
溝部２４７はレール長手方向に複数に分割されており、そのレール長手方向に隣り合う溝部２４７間には、外周部２４５と内周部２４６とを一体に連結する連結部３４３，３４４が設けられ、その各連結部３４３，３４４に位置決め突起３４１，３４２が設けられている。そのため内レール１１１の当接面３４０側を溝部２４７を介して内周部２４６と外周部２４５とに分けているにも拘わらず、内レール１１１の剛性の低下等を防止することができる。
【０２８１】
位置決め突起３４１は大突起であり、位置決め突起３４２は小突起であって、その大小の位置決め突起３４１，３４２が交互に配置されている。大の位置決め突起３４１には肉厚調整穴３４１ａが凹入状に形成されている。各位置決め突起３４１，３４２は対応する位置決め孔３４５，３４６に夫々遊嵌状又は密嵌状に挿入されている。
【０２８２】
例えば、位置決め突起３４１を遊技盤１７の大の位置決め孔３４５に密嵌状に挿入し、位置決め突起３４２を遊技盤１７の小の位置決め孔３４６に遊嵌状に挿入した場合には、位置決め突起３４１、位置決め孔３４５に対応する部分では内レール１１１を略固定でき、また位置決め突起３４２、位置決め孔３４６に対応する部分では内レール１１１に遊びを持たせることができるので、位置決め突起３４２周辺の内レール１１１に内外方向の弾性を持たせて、遊技球が衝突したときの衝撃を内レール１１１の弾性変形により吸収することができる。
【０２８３】
また位置決め突起３４１で内レール１１１を遊技盤１７に対して固定状態に位置決めできるので、位置決め突起３４１の近傍で内レール１１１に遊技球が衝突した場合にも、その衝撃に対して十分に抗することができ、内レール１１１の不安定なグラツキ等を防止することができる。他の構成は各実施形態と略同様である。
【０２８４】
図７３〜図７６は本発明の第１３の実施形態を例示する。この実施形態の内レール１１１は、図７３に示すように、両端の取り付け部１３８，１３９から中間部分を含む背面側の略全体が面一状の当接面３４０となっており、その当接面３４０が遊技盤１７の前面に当接して、両端の取り付け部１３８，１３９が取り付けネジ１４２，１４３、位置決め突起１４０，１４１により遊技盤１７の前面に固定され、また中間が位置決め孔３４５に挿入される位置決め突起３４１により位置決めされている。なお、内レール１１１は、起立壁２４８と突条部２４９とを有する。
【０２８５】
位置決め突起３４１は、図７４〜図７６に示すように、内部に肉厚調整穴３４１ａを有し且つ内レール１１１の起立壁２４８及び突条部２４９から後方に一体に突出する中空筒状である。この位置決め突起３４１の基部側外周には、当接面３４０から凹入する周溝３４７が形成されている。肉厚調整穴３４１ａの深さは周溝３４７と同程度か、周溝３４７よりも若干深いか浅い程度である。他の構成は各実施形態と略同様である。
【０２８６】
このように起立壁２４８、突条部２４９を有する内レール１１１の当接面３４０側に一体に位置決め突起３４１を設けるに当たって、その位置決め突起３４１の基部側外周に周溝３４７を設けることにより、位置決め突起３４１の基部側での内レール１１１の体積を小さくすることができ、内レール１１１の成型歪みの発生を防止することができる。
【０２８７】
また位置決め突起３４１の基部側外周に周溝３４７を設けることによって、周溝３４７の深さ分だけ位置決め突起３４１の長さが大になるので、位置決め突起３４１の長さを実質的に長くできる。その結果、遊技球が起立壁２４８に衝突したときに位置決め突起３４１に加わる衝撃を軽減でき、位置決め突起３４１の付け根部分の剪断等を防止することができる。
【０２８８】
更に透明樹脂板等の遊技盤１７において、位置決め孔３４５の成形時にその口縁にバリ等が発生するようなことがあっても、位置決め突起３４１の基部側外周に周溝３４７を設けることにより、そのバリ等に関係なく内レール１１１の当接面３４０を確実に遊技盤１７の前面に当接させることができ、内レール１１１の部分的な浮き上がりを防止することかできる。
【０２８９】
図７７〜図７９は本発明の第１４の実施形態を例示する。この実施形態の下部レール１８８は、図７７〜図７９に示すように、遊技領域４１から流下するアウト球をアウト口１３４の前側へと左右方向に集める円弧状又は傾斜状のレール部１８８ａ，１８８ｂと、遊技盤１７のアウト口１３４の前側でレール部１８８ａ，１８８ｂから下側へと凹入して形成された案内凹部１８９と、案内凹部１８９から後方に突出して遊技盤１７のアウト口１３４の内周側に配置され且つ案内凹部１８９内の遊技球を遊技盤１７の裏側へと誘導する横長樋状の誘導通路部１９０と、レール部１８８ａ，１８８ｂの上側で誘導通路部１９０の前端外周に鍔状に形成され且つ遊技盤１７のアウト口１３４の周縁部分を前側から覆う前飾り部１９１とを一体に備えている。
【０２９０】
レール部１８８ａ，１８８ｂの上面には、前飾り部１９１の前側にアウト球の接触を阻止する接触阻止部１９２ａ，１９２ｂと、接触阻止部１９２ａ，１９２ｂの前側へとアウト球を迂回させて案内凹部１８９へと案内する迂回部１９３ａ，１９３ｂが案内凹部１８９の左右両側に設けられている。
【０２９１】
接触阻止部１９２ａ，１９２ｂは、迂回部１９３ａ，１９３ｂが前下り状に傾斜するのに対して、迂回部１９３ａ，１９３ｂの傾斜面から上側に緩やかに盛り上がる盛り上がり状に形成されている。そして、この接触阻止部１９２ａ，１９２ｂは、前飾り部１９１の左右方向の先端近傍又はその外方側近傍と案内凹部１８９の左右両側の前後中央部との間の平面視三角形状の範囲に設けられている。
【０２９２】
なお、誘導通路部１９０の後端は遊技盤１７から後方に突出しているが、遊技盤１７の板厚内に収まるようにしてもよい。また案内凹部１８９は突条１９４を省略して平滑凹面状にしてもよい。また誘導通路部１９０も同様に平滑状にしてもよい。
【０２９３】
このように接触阻止部１９２ａ，１９２ｂは、案内凹部１８９の左右両側に下部レール１８８の上面から上側へと盛り上がり状に形成した場合にも、その接触阻止部１９２ａ，１９２ｂによってアウト球の前飾り部１９１側への接触を阻止することができる。
【０２９４】
案内凹部１８９の左右両側では、その案内凹部１８９の近傍の下部レール１８８の傾斜角度がα４０と大であって、下部レール１８８上の遊技球がその前側に集中し易い上に、前飾り部１９１に近い後部側が一段と高く盛り上がる接触阻止部１９２ａ，１９２ｂとなり、その接触阻止部１９２ａ，１９２ｂの前側が迂回部１９３ａ，１９３ｂとなっている。
【０２９５】
そのため左右両側から中央の案内凹部１８９へと移動するアウト球は、接触阻止部１９２ａ，１９２ｂによって前飾り部１９１の前面側への接触を阻止されることになり、ガラス板７６により案内されながら下部レール１８８の前部側の迂回部１９３ａ，１９３ｂを経由して案内凹部１８９へと図７８のＸ１９３矢示方向に移動する。
【０２９６】
従って、アウト球が前飾り部１９１の前面に接触しなくなるか、接触する機会が少なくなるため、アウト球との接触による前飾り部１９１の前面側の擦過痕、汚れ等を防止することができる。
【０２９７】
なお、下部レール１８８の上面は左右方向の全体が前下がり状に傾斜しているが、アウト口１３４の前側から左右両側の一定範囲に、例えば左右の接触阻止部１９２ａ，１９２ｂとその前側に位置する迂回部１９３ａ，１９３ｂとを設ければよい。他の構成は各実施形態と略同様である。
【０２９８】
図８０は本発明の第１５の実施形態を例示する。下部レール１８８には、図８０に示すように、レール部１８８ａ，１８８ｂの案内凹部１８９側近傍に接触阻止部１９２ａ，１９２ｂと迂回部１９３ａ，１９３ｂとが設けられている。接触阻止部１９２ａ，１９２ｂは、レール部１８８ａ，１８８ｂの迂回部１９３ａ，１９３ｂの後部側から前飾り部１９１側へと高く円弧状に反り上がる反り上がり状に形成されている。なお、接触阻止部１９２ａ，１９２ｂは、前飾り部１９１の左右両側に対応する範囲に設けられている。
【０２９９】
このように迂回部１９３ａ，１９３ｂの後部側から前飾り部１９１側へと高く反り上がる形状の接触阻止部１９２ａ，１９２ｂを設けても、その接触阻止部１９２ａ，１９２ｂによってアウト球の前飾り部１９１側への接触を阻止することができる。従って、接触阻止部１９３ａ，１９３ｂは前飾り部１９１への遊技球の接触を阻止できるならば、その形状、構造は問題ではなく、任意の形状、構造を採用することが可能である。
【０３００】
図８１〜図８３は本発明の第１６の実施形態を例示する。この大入賞手段１３２は、図８１〜図８３に示すように、遊技盤１７の前側で入賞口ケース１５０に上向きに開口状に形成された入賞口１５１と、前後方向に出退して入賞口１５１の上側を開閉可能であり且つ入賞口１５１の上側に突出して入賞口１５１が閉状態のときに遊技球を左方向に案内可能な開閉部材１５２と、開閉部材１５２の右側に配置され且つ遊技球を左方向に案内可能な第１球案内通路１５３とを備え、第１球案内通路１５３には遊技球をジグザグ状に転動させるための突起１６０ａ〜１６０ｅが前後両側に設けられている。
【０３０１】
なお、開閉部材１５２の左側には、第１の実施形態と同様に第２球案内通路（図示省略）が設けられている。
【０３０２】
第１球案内通路１５３は、遊技盤１７の前面に装着された取り付け板１５５の上端側の後通路壁１５５ａと、この後通路壁１５５ａの前側に所定の間隔をおいて略平行に配置された前板１５６の上端側の前通路壁１５６ａと、前後通路壁１５５ａ，１５６ａ間に傾斜角度α１５７で左下がりの傾斜状に配置された底通路壁１５７とを備えている。
【０３０３】
前通路壁１５６ａには、開閉部材１５２の左右両側から入賞口１５１の左右両側を経て入賞口１５１の下側を取り囲む囲繞壁１５９が一体に設けられ、その囲繞壁１５９の上部側が第１球案内通路１５３の底通路壁１５７となっている。そのため底通路壁１５７は前通路壁１５６ａと一体であり、後通路壁１５５ａとは別体となっている。
【０３０４】
底通路壁１５７は、図８３に示すように、これと一体の前通路壁１５６ａ側の高さが高く、別体の後通路壁１５５ａ側の高さが低くなるように傾斜角度β１５７で後下りに傾斜しており、左右方向の同一位置ではその前後で高低差ｈがある。なお、底通路壁１５７は一体の前通路壁１５６ａ側の板厚を厚くし、別体の後通路壁１５５ａ側の板厚を薄くして、底通路壁１５７の前後の高低差ｈを確保している。
【０３０５】
また、第１球案内通路１５３には、後通路壁１５５ａ、前通路壁１５６ａに障害用の突起１６０ａ〜１６０ｅが設けられている。突起１６０ａ〜１６０ｅは、入賞口１５１の近傍の後通路壁１５５ａに突起１６０ｅが位置するように、後通路壁１５５ａと前通路壁１５６ａとに左右方向に交互に配置されており、底通路壁１５７上に落下した遊技球が突起１６０ａ〜１６０ｅに交互に衝突しながら入賞口１５１側へとジグザグ状に移動するようになっている。
【０３０６】
底通路壁１５７は、傾斜角度α１５７で左下りに傾斜し、且つ傾斜角度β１５７で後下りに傾斜しているため、遊技球が図８２のａ矢示方向、ｃ矢示方向へと左前向きに移動する場合と、ｂ矢示方向、ｄ矢示方向へと左後向きに移動する場合とでは、遊技球が実際に移動する移動経路の勾配が異なったものとなる。
【０３０７】
即ち、遊技球がａ矢示方向、ｃ矢示方向へと移動する場合の移動経路では、傾斜角度β１５７が傾斜角度α１５７に対して抑制的に作用して勾配が傾斜角度αよりも小となり、ｂ矢示方向、ｄ矢示方向へと移動する場合の移動経路では、傾斜角度α１５７に傾斜角度β１５７が加わって勾配が傾斜角度α１５７よりも大となる。
【０３０８】
従って、ａ矢示方向、ｃ矢示方向へと移動する場合と、ｂ矢示方向、ｄ矢示方向へと移動する場合の遊技球の移動速度を比較すると、ｂ矢示方向、ｄ矢示方向へと移動する場合の遊技球の移動速度が、ａ矢示方向、ｃ矢示方向へと移動する場合の遊技球の移動速度よりも速くなる。
【０３０９】
このような構成の第１球案内通路１５３を採用すれば、底通路壁１５７上に落下して入賞口１５１、開閉部材１５２側へと移動する遊技球は各突起１６０ａ〜１６０ｅに交互に衝突するため、移動速度を制限しながらジグザグ状に移動させることができる。そのため底通路壁１５７から開閉部材１５２上に移動した遊技球が開閉部材１５２上を通過する時間も長くなり、遊技球が開閉部材１５２を通過し終わるまでに開閉部材１５２が後退して、開閉部材１５２上を通過中の遊技球が入賞口１５１に入賞する可能性を大きくすることができる。
【０３１０】
しかも、第１球案内通路１５３の底通路壁１５７が傾斜角度α１５７と傾斜角度β１５７とで二方向に傾斜しているため、遊技球がジグザグ状に移動するときの移動方向に応じてその移動速度を交互に変化させることができる。
【０３１１】
従って、底通路壁１５７が傾斜角度α１５７で一方向に傾斜するだけであって、底通路壁１５７の前後両側の前通路壁１５６ａ、後通路壁１５５ａに突起１６０ａ〜１６０ｅがなければ、底通路壁１５７上に落下した遊技球は、上流側から下流側へと所定の移動速度で一方向へと単純に移動するだけであるが、底通路壁１５７が傾斜角度α１５７と傾斜角度β１５７とで二方向に傾斜することと、底通路壁１５７の前後両側に左右方向に交互に突起１６０ａ〜１６０ｅを配置することによって、底通路壁１５７上での遊技球の移動に複雑な変化を持たせることができる。
【０３１２】
なお、突起１６０ａ〜１６０ｅは左右方向に等間隔で配置しているが、図８２に二点鎖線で示すように、移動速度の遅いａ矢示方向、ｃ矢示方向の先にある前通路壁１５６ａ側の突起１６０ｂ，１６０ｄは上手側に配置する等、左右の突起１６０ａ〜１６０ｅ間の間隔を変化させて配置することも可能である。
【０３１３】
図８４、図８５は本発明の第１７の実施形態を例示する。この大入賞手段１３２は、図８４、図８５に示すように、入賞口ケース１５０に上向き開口状に形成された入賞口１５１と、前後方向に出退して入賞口１５１の上側を開閉可能であり且つ入賞口１５１の上側に突出して入賞口１５１が閉状態のときに遊技球を左方向に案内可能な開閉部材１５２と、開閉部材１５２の左右両側に配置され且つ遊技球を左方向に案内可能な第１球案内通路１５３及び第２球案内通路１５４とを備えている。
【０３１４】
第１球案内通路１５３には、前通路壁１５６ａと、後通路壁１５５ａと、底通路壁１５７と、前通路壁１５６ａに設けられた突起１６０とが設けられている。第２球案内通路１５４には前通路壁１５６ａと、後通路壁１５５ａと、底通路壁１５８とが設けられている。
【０３１５】
第１球案内通路１５３は、遊技盤１７の前面に装着された取り付け板１５５側の後通路壁１５５ａと、この後通路壁１５５ａの前側に所定の間隔をおいて略平行に配置された前板１５６側の前通路壁１５６ａと、前後通路壁１５５ａ，１５６ａ間に傾斜角度α１５７で左下がりの傾斜状に配置された底通路壁１５７とを備えている。後通路壁１５５ａには、開閉部材１５２の左右両側から入賞口１５１の左右両側を経て入賞口１５１の下側を取り囲む囲繞壁１５９が一体に設けられている。
【０３１６】
底通路壁１５７，１５８は、図８５に示すように、これと一体の後通路壁１５５ａ側の高さが高く、別体の前通路壁１５６ａ側の高さが低くなるように傾斜角度β１５７で後下りに傾斜しており、左右方向の同一位置ではその前後で高低差ｈがある。底通路壁１５７，１５８は、一体の後通路壁１５５ａ側の板厚を厚くし、別体の前通路壁１５６ａ側の板厚を薄くして、底通路壁１５７，１５８の前後の高低差ｈを確保している。前通路壁１５６ａには、第１球案内通路１５３の入賞口１５１側の端部に突起１６０が設けられている。
【０３１７】
このように底通路壁１５７を後通路壁１５５ａと一体に形成する場合には、底通路壁１５７は傾斜角度β１５７で前下りの傾斜状に設けてもよく、第１の実施形態と同様の効果を奏することが可能である。
【０３１８】
また底通路壁１５７は傾斜角度β１５７で前下りの傾斜状に設ける場合でも、第１６の実施形態と同様に、後通路壁１５５ａ及び前通路壁１５６ａに左右方向に交互に突起１６０ａ〜１６０ｅを設けてもよい。
【０３１９】
図８６〜図９２は本発明の第１８の実施形態を例示する。この前扉４は、図８６に示すように、合成樹脂等の樹脂材料により一体成型された樹脂製扉枠３５０と、この樹脂製扉枠３５０を裏側から補強する板金製等の金属製扉枠３９と、樹脂製扉枠３５０の前側に着脱自在に装着された前扉カバー４０とを備えている。
【０３２０】
樹脂製扉枠３５０は、視認窓４２の左右両側に上下方向に配置された左縦枠部（ヒンジ側縦枠部）３５１及び右縦枠部（反ヒンジ側縦枠部）３５２と、視認窓４２の上下両側に左右方向に配置され且つ左縦枠部３５１と右縦枠部３５２との上下両端を左右に連結する上横枠部３５３及び下横枠部３５４を備え、外周側には各枠部３５１〜３５４に跨がって周方向の略全周に化粧用の外周枠部３５５が設けられている。
【０３２１】
前扉カバー４０は、図８６に示すように、樹脂製扉枠３５０の左縦枠部３５１、右縦枠部３５２、上横枠部３５３及び下横枠部３５４に対応して左側部カバー３５６、右側部カバー３５７、上部カバー３５８、下部ユニット３５９に別れている。左側部カバー３５６、右側部カバー３５７、上部カバー３５８、下部ユニット３５９は、樹脂製扉枠３５０の外周枠部３５５に対応する部分がその外周枠部３５５に前側から当接するように、左縦枠部３５１、右縦枠部３５２、上横枠部３５３及び下横枠部３５４に取り付けネジ等で固定されている。なお、前扉カバー４０の構成は第１の実施形態と同様である。
【０３２２】
金属製扉枠３９は、図８７に示すように、左右両側に上下方向に配置された左縦部材（ヒンジ側縦部材）４４及び右縦部材（反ヒンジ側縦部材）４５と、上下両側に左右方向に配置され且つ左縦部材４４及び右縦部材４５の上下両端を左右に連結する上横部材４６及び下横部材４７とを備え、この左右縦部材４４，４５及び上下横部材４６，４７を上下、左右の四隅の結合部ＵＬ，ＵＲ，ＬＬ，ＬＲで結合して矩形状に構成されている。
【０３２３】
四隅の結合部ＵＬ，ＵＲ，ＬＬ，ＬＲには、図８７〜図９１に示すように、対応する各部材４４〜４７相互間に前後に重合する重合部４８ｕｌ，４８ｕｒ，４９ｌｌ，４９ｌｒと被重合部５０ｕｌ，５０ｕｒ，５１ｌｌ，５１ｌｒとが設けられており、その重合部４８ｕｌ，４８ｕｒ，４９ｌｌ，４９ｌｒと被重合部５０ｕｌ，５０ｕｒ，５１ｌｌ，５１ｌｒとがネジ（締結手段）５２〜５５により前後方向に締結されている。
【０３２４】
上側の左右結合部ＵＬ，ＵＲには、図８７〜図８９に示すように、重合部４８ｕｌ，４８ｕｒ及び被重合部５０ｕｌ，５０ｕｒの他に、上横部材４６と左右縦部材４４，４５とが左右方向（左右方向及び／又は上下方向）に当接する当接部５６ｕｌ，５６ｕｒ及び被当接部５７ｕｌ，５７ｕｒを備えている。また下側の左右結合部ＬＬ，ＬＲの内、一方の左結合部ＬＬは、重合部４９ｌｌ及び被重合部５１ｌｌの他に、下横部材４７と左縦部材４４とが左右方向（左右方向及び／又は上下方向）に当接する当接部５８ｌｌ及び被当接部５９ｌｌを備え、他方の右結合部ＬＲは、重合部４９ｌｒ及び被重合部５１ｌｒがあるが、下横部材４７が右縦部材４５に対して左右方向（左右方向及び／又は上下方向）に当接しない構成になっている。
【０３２５】
上横部材４６は板状であって、図８７〜図８９に示すように、下縁側がアーチ状になっている。この上横部材４６の左右両側の左右結合部ＵＬ，ＵＲには、屈曲状に形成された当接部５６ｕｌ，５６ｕｒを介して左右方向の外側に突出する重合部４８ｕｌ，４８ｕｒが上下方向に複数設けられている。
【０３２６】
そし、左右結合部ＵＬ，ＵＲにおいて、その当接部５６ｕｌ，５６ｕｒが左右縦部材４４，４５の被当接部５７ｕｌ，５７ｕｒに左右方向の内側から当接され、重合部４８ｕｌ，４８ｕｒが左右縦部材４４，４５の前面側の被重合部５０ｕｌ，５０ｕｒに対して重合されてネジ５２，５３により締結されている。
【０３２７】
左右縦部材４４，４５は断面コ字状である。左縦部材４４の上端側には、図８８に示すように、内側に突出するように被重合部５０ｕｌが設けられ、その被重合部５０ｕｌの先端が被当接部５７ｕｌとなっている。右縦部材４５の上端側には、前面に被重合部５０ｕｒが設けられ、また内側が被当接部５７ｕｒとなっている。
【０３２８】
下横部材４７は板状であって、その左結合部ＬＬ側には、図９１に示すように、屈曲状に形成された当接部５８ｌｌを介して左右方向の両側に突出する重合部４９ｌｌが設けられている。当接部５８ｌｌは左縦部材４４の被当接部５９ｌｌに内側から当接され、また当接部５８ｌｌの両側の各重合部４９ｌｌが左縦部材４４の被重合部５１ｌｌに重合されてネジ５４により締結されている。なお、下横部材４７の重合部４９ｌｌ、左縦部材４４の被重合部５１ｌｌ等は上下幅が大になっている。
【０３２９】
下横部材４７の右結合部ＬＲ側には、屈曲部４７ａを介して左右方向の外側に突出する重合部４９ｌｒが設けられており、その屈曲部４７ａと右縦部材４５の被重合部５１ｌｒとの間に所定の間隔が設けられ、重合部４９ｌｒが右縦部材４５の前面側の被重合部５１ｌｒに重合されてネジ５５により締結されている。
【０３３０】
金属製扉枠３９の左縦部材４４、右縦部材４５、上横部材４６及び下横部材４７は、ネジ５２〜５５により着脱自在に固定され、またネジ５２〜５５は各部材４６，４７の取り付け孔５２ａ〜５５ａに上下及び左右方向の遊びを介して挿通されている。
【０３３１】
金属製扉枠３９の左縦部材４４、右縦部材４５、上横部材４６及び下横部材４７は、樹脂製扉枠３５０の左縦枠部３５１、右縦枠部３５２、上横枠部３５３及び下横枠部３５４に取り付けネジ３５１ａ〜３５４ａにより着脱自在に固定されている。取り付けネジ３５１ａ〜３５４ａは金属製扉枠３９の各部材４４〜４７の取り付け孔３５１ｂ〜３５４ｂに上下及び左右方向の遊びを介して挿通されている。
【０３３２】
ガラスユニット４３は、図９０に示すように、所定の間隔を置いて配置された前後２枚のガラス板７６と、このガラス板７６を外周側から保持する保持部材７７とを備え、樹脂製扉枠３５０の裏側において、下側の左右一対の係合手段７８を介して下横部材４７の受け部７９上に載置され、上側が左右一対の締結手段８０により締結されている。
【０３３３】
係合手段７８は、保持部材７７に形成された係合突部８１と、下横部材４７の受け部７９側に形成され且つ係合突部８１が係合する係合凹部８２とを有する。係合凹部８２は受け部７９と樹脂製扉枠３５０との間に形成され、上側から係合突部８１が挿脱自在である。
【０３３４】
前扉４の金属製扉枠３９を製造するに際しては、第１の実施形態と同様に、適宜板金材を用いてプレス成型等により所定形状の左右縦部材４４，４５及び上下横部材４６，４７を作り、その左右縦部材４４，４５及び上下横部材４６，４７を上下、左右の四隅の結合部ＵＬ，ＵＲ，ＬＬ，ＬＲで結合して矩形状に組み立てる。
【０３３５】
この場合、上側の左右結合部ＵＬ，ＵＲ、下側の左結合部ＬＬは、対応する部材４４〜４７同士の当接部５６ｕｌ，５６ｕｒ，５８ｌｌを被当接部５７ｕｌ，５７ｕｒ，５９ｌｌに対して左右方向に当接させた状態で、その重合部４８ｕｌ，４８ｕｒ，４９ｌｌを被重合部５０ｕｌ，５０ｕｒ，５１ｌｌに重合させてネジ５２〜５４により前後方向に締結する。また下側の右結合部ＬＲは、その下横部材４７の重合部４９ｌｒを右縦部材４５の被重合部５１ｌｒに重合させてネジ５５により前後方向に締結する。
【０３３６】
これにより部材４４〜４７相互に製作誤差があっても、金属製扉枠３９に必要な所定の強度を確保できる状態に各部材４４〜４７を組み立てることができる。
【０３３７】
次に樹脂製扉枠３５０の裏側に金属製扉枠３９を当接させて、金属製扉枠３９を取り付けネジ３５１ａ〜３５４ａにより樹脂製扉枠３５０に固定する。この場合、金属製扉枠３９は、上側の左右結合部ＵＬ，ＵＲ、下側の左結合部ＬＬでは、対応する部材４４〜４７同士を当接させた状態で締結し、下側の右結合部ＬＲでは、当接せずに重合させた状態で締結しているにも拘わらず、部材４４〜４７相互の製作誤差によるバラツキが取り付けネジ３５１ａ〜３５４ａと取り付け孔３５１ｂ〜３５４ｂとの遊びの範囲内であれば、その取り付け孔３５１ｂ〜３５４ｂに取り付けネジ３５１ａ〜３５４ａを挿通して樹脂製扉枠３５０の各取り付け部に螺合し締結することができる。
【０３３８】
従って、一体型の樹脂製扉枠３５０を使用する場合にも、左縦部材４４、右縦部材４５、上横部材４６及び下横部材４７を結合して構成された金属製扉枠３９を補強用として装着することが可能である。
【０３３９】
図９３、図９４は本発明の第１９の実施形態を例示する。前扉カバー４０の上部カバー３５８の左右中央側が前側に張り出す場合、その内部に配置される左右一対の上部スピーカ６８は、図９３に示すように平面視において前外向きに配置することがある。この上部スピーカ６８はスピーカケース３６２内に収容され、そのスピーカケース３６２を介して金属製扉枠３９の上横部材４６又は樹脂製扉枠３５０の上横枠部３５３に固定されたスピーカ取り付け台３６３に装着されている。
【０３４０】
上部カバー６２は、上部スピーカ６８に対応する音出し用の開口部９３と、この開口部９３を裏側から覆うスピーカカバー９６とを備えている。スピーカカバー９６はネット、多孔板等の金属板をプレス成型して構成された金属製であって、開口部９３を裏側から塞ぐ球面状のカバー部９９を有し、そのカバー部９９の外周側の取り付け部１０２が上部カバー３５８の裏面側の取り付けボス９２に取り付けネジ１００により着脱自在に固定されている。
【０３４１】
取り付け部１０２はアース線３６５の端子具と共に取り付けネジ１００により共締めされている。上部スピーカ６８にはそのスピーカフレーム３６６にもアース線３６７が接続されている。各アース線３６５，３６７の端子具は、左右の上部スピーカ６８間で金属製扉枠３９の上横部材４６に固定された中継部材３６８に取り付けネジ３６９で固定されている。
【０３４２】
中継部材３６８は樹脂製扉枠３５０の上横枠部３５３の開口３７０を経て上横部材４６と接触した状態にあり、固定ネジ３７１により上横部材４６に電気的に接続されている。上横部材４６は適宜手段を介してアースされている。
【０３４３】
このような構成を採用すれば、上横部材４６を介して上部スピーカ６８及びスピーカカバー９６をアースできる。またスピーカカバー９６用の取り付けボス９４にアース線３６５の端子具を共締めしているので、構造的に簡素化することができる。
【０３４４】
図９５〜図９７は本発明の第２０の実施形態を例示する。外レール１１２を第１外周部材１１６の内周壁１７５に位置決めする幅方向位置決め手段２０２は、図９５〜図９７に示すように、外レール１１２の後端側を規制する後端側位置決め部３７３と、外レール１１２の前端側を規制する前端側位置決め部３７４とに分けて構成してもよい。なお、外レール１１２の後端と遊技盤１７の前面との間に微少間隙を設けることが望ましい。
【０３４５】
後端側位置決め部３７３は、外レール１１２の後端に形成された切り欠き部３７５と、第１外周部材１１６の内周壁１７５の後端側に形成され且つ外レール１１２の切り欠き部３７５にレール幅方向に係合する突起３７６とにより構成されている。切り欠き部３７５には突起３７６の両側にレール長手方向の隙間ｓ３７３があり、始端側衝撃吸収部２２５で外レール１１２が内外方向に弾性変形して遊技球が衝突したときの衝撃を緩和すべく、切り欠き部３７５と突起３７６との隙間ｓ３７３の範囲内で外レール１１２のレール長手方向の相対移動を許容するようになっている。後端側位置決め部３７３は、外レール１１２の長手方向の中央部よりも始端側衝撃吸収部２２５寄りに偏位して所定の間隔をおいて複数（２個又は３個）設けられている。
【０３４６】
前端側位置決め部３７４は、外レール１１２の前端側を覆う覆い部２２２により構成されている。覆い部２２２は外レール１１２の前端に当接又は近接している。なお、覆い部２２２は、複数の後端側位置決め部３７３が配置されている配置領域Ｘから始端側及び終端側の両側に離れた位置に設けられ、この後端側位置決め部３７３の配置領域Ｘでは覆い部２２２が除去されている。
【０３４７】
このように幅方向位置決め手段２０２は、後端側位置決め部３７３と前端側位置決め部３７４とにより構成することも可能であり、この場合にも外レール１１２を第１外周部材１１６に対してレール幅方向及びレール長手方向に位置決めしながら、外レール１１２の第１外周部材１１６に対する相対移動により、始端側衝撃吸収部２２５での衝撃吸収動作を許容することができる。また後端側位置決め部３７３の配置領域Ｘでは覆い部２２２がないので、第１外周部材１１６の内周壁１７５に外レール１１２を装着する際の作業も容易に行うことができる。
【０３４８】
図９８、図９９は本発明の第２１の実施形態を例示する。右打ち通路１２７には、図９８、図９９に示すように、流下速度制限手段２７５が設けられている。右打ち通路１２７は、センターケース１１９と第１、第２外周部材１１６，１１７との間に円弧状に設けられており、センターケース１１９の外周側に配置された上向き凸円弧状の内周通路壁２７６と、第１、第２外周部材１１６，１１７の内周に配置された外周通路壁２７７と、内周通路壁２７６の後端に一体に連結され且つ遊技盤１７の前面に当接する後通路壁２７８とを有する。後通路壁２７８は外周通路壁２７７から分離している。なお、右打ち通路１２７の前側はガラス板７６により閉じられている。
【０３４９】
流下速度制限手段２７５は、右打ち通路１２７内での遊技球の流下速度を制限するためのもので、上向き凸円弧状の内周通路壁２７６に周方向に所定間隔を置いて配置された前後方向の内突条部２７９を備えている。内突条部２７９は１／２〜１／４程度の截頭半円錐状であって、内周通路壁２７６の前後幅と略同一長さで前後方向に設けられており、その後端側の突出高さｈ１０、上下幅ｗ１０が前端側の突出高さｈ２０、上下幅ｗ２０よりも大であり、後端側から前端側へと突出高さ、上下幅が徐々に小さくなっている。
【０３５０】
右打ち通路１２７の内周通路壁２７６と外周通路壁２７７との間隔は、遊技球が一方の内周通路壁２７６又は外周通路壁２７７に接触したときに、他方の外周通路壁２７７又は内周通路壁２７６と遊技球との隙間が、遊技球の半径ｒと略同じ又は半径ｒ未満となる程度が望ましい。また内突条部２７９と外周通路壁２７７との間隔は、遊技球が一方に接触したときに遊技球と他方との隙間が遊技球の半径ｒ未満となる程度が望ましい。
【０３５１】
このように流下速度制限手段２７５では、上向き凸円弧状の内周通路壁２７６に内突条部２７９を設けたものでもよい。右打ち通路１２７内の遊技球は、内周通路壁２７６と外周通路壁２７７とに衝突しながら下方へと流下するが、内周通路壁２７６が上向き凸円弧状であるため、例えば図９８に示すように、最上位の内突条部２７９に衝突して弾かれた遊技球は、外周通路壁２７７に衝突した後に次の内突条部２７９に衝突する等、内周通路壁２７６上の内突条部２７９に衝突しながら流下することになる。
【０３５２】
従って、内周通路壁２７６上に内突条部２７９を設けただけでも、遊技球の流下速度を制限することができる。勿論、この場合には、右打ち通路１２７の途中で遊技球が滞留しない範囲内で内周通路壁２７６と外周通路壁２７７との間隔を制限する必要がある。
【０３５３】
また内突条部２７９は、後通路壁２７８が内周通路壁２７６と一体であることから、後端側の突出高さｈ１０、上下幅ｗ１０を前端側の突出高さｈ２０、上下幅ｗ２０よりも大とし、後端側から前端側へと突出高さ、上下幅を徐々に小さくしているため、内周通路壁２７６、後通路壁２７８、内突条部２７９を含むセンターケース１１９を容易に金型成型することができる。
【０３５４】
図１００、図１０１は本発明の第２２の実施形態を例示する。この右打ち通路１２７は、図１００、図１０１に示すように、センターケース１１９と第１、第２外周部材１１６，１１７との間に円弧状に設けられており、その内部に流下速度制限手段２７５が設けられている。
【０３５５】
右打ち通路１２７は、センターケース１１９の外周側に配置された上向き凸円弧状の内周通路壁２７６と、第１、第２外周部材１１６，１１７の内周に配置された外周通路壁２７７と、内周通路壁２７６の後端に一体に連結され且つ遊技盤１７の前面に当接する後通路壁２７８と、後通路壁２７８と対向してガラス板７６側に配置された前通路壁２８１とを備えている。前通路壁２８１は、センターケース１１９の前側に取り付けネジ２８２を介して取り付けられている。
【０３５６】
前通路壁２８１には、右打ち通路１２７を流下中の遊技球を視認できるよう視認部２８３が設けられている。この視認部２８３は、通過中の遊技球に対応する部分に設けた通路長手方向の開口窓により構成されている。なお、この視認部２８３は、前通路壁２８１の全体を透明な合成樹脂製により構成してもよいし、全体を透明な合成樹脂製として、通過中の遊技球に対応する部分を除いて不透明層を形成することにより構成してもよい。
【０３５７】
流下速度制限手段２７５は、上向き円弧状の内周通路壁２７６に周方向に所定間隔を置いて配置された前後方向の内突条部２７９と、後通路壁２７８及び前通路壁２８１に周方向に所定間隔をおいて放射状に配置された後突条部２８４及び前突条部２８５とを備えている。
【０３５８】
内突条部２７９は１／２〜１／４程度の截頭半円錐状であって、内周通路壁２７６の前後幅と略同一長さで前後方向に設けられており、その後端側の突出高さｈ１０、上下幅ｗ１０が前端側の突出高さｈ２０、上下幅ｗ２０よりも大であり、後端側から前端側へと突出高さ、上下幅が徐々に小さくなっている。後突条部２８４及び前突条部２８５は、１／２〜１／４程度の半円状であって、周方向に交互に配置されている。後突条部２８４及び前突条部２８５は、前後に相対向して周方向の略同一位置に配置してもよい。  
【０３５９】
なお、右打ち通路１２７の内周通路壁２７６と外周通路壁２７７との間隔、内突条部２７９と外周通路壁２７７との間隔は、第２０の実施形態と略同様である。
【０３６０】
このような構成の流下速度制限手段２７５でも、第２０の実施形態と同様に右打ち通路１２７内の遊技球の流下速度を制限することができる。また内周通路壁２７６、後通路壁２７８、内突条部２７９、後突条部２８４を含むセンターケース１１９を容易に金型成型することができる。
【０３６１】
図１０２、図１０３は本発明の第２３の実施形態を例示する。この右打ち通路１２７は、図１０２、図１０３に示すように、センターケース１１９と第１、第２外周部材１１６，１１７との間に円弧状に設けられており、その内部に流下速度制限手段２７５が設けられている。
【０３６２】
右打ち通路１２７は、センターケース１１９の外周側に配置された上向き凸円弧状の内周通路壁２７６と、第１、第２外周部材１１６，１１７の内周に配置された外周通路壁２７７と、内周通路壁２７６の後端に一体に連結され且つ遊技盤１７の前面に当接する後通路壁２７８とを備えている。なお、右打ち通路１２７の前側はガラス板７６により閉じられている。
【０３６３】
流下速度制限手段２７５は、上向き円弧状の内周通路壁２７６に周方向に所定間隔を置いて配置された前後方向の内突条部２７９と、後通路壁２７８に周方向に所定間隔をおいて放射状に配置された後突条部２８４とを備えている。内突条部２７９は内周通路壁２７６に全体的に分散して設けられているのに対して、後突条部２８４は後通路壁２７８の下部側の一部に設けられている。
【０３６４】
内突条部２７９は１／２〜１／４程度の截頭半円錐状であって、内周通路壁２７６の前後幅と略同一長さで前後方向に設けられており、その後端側の突出高さｈ１０、上下幅ｗ１０が前端側の突出高さｈ２０、上下幅ｗ２０よりも大であり、後端側から前端側へと突出高さ、上下幅が徐々に小さくなっている。後突条部２８４は、１／２〜１／４程度の半円状であり、内突条部２７９と交互に設けられている。
【０３６５】
なお、右打ち通路１２７の内周通路壁２７６と外周通路壁２７７との間隔、内突条部２７９と外周通路壁２７７との間隔は、第２０の実施形態と略同様である。
【０３６６】
このような構成の流下速度制限手段２７５でも、第２０の実施形態と同様に右打ち通路１２７内の遊技球の流下速度を制限することができる。また内周通路壁２７６、後通路壁２７８、内突条部２７９、後突条部２８４を含むセンターケース１１９を容易に金型成型することができる。
【０３６７】
図１０４〜図１０６は本発明の第２４の実施形態を例示する。この右打ち通路１２７は、図１０４〜図１０６に示すように、センターケース１１９と第１、第２外周部材１１６，１１７との間に円弧状に設けられており、その内部に流下速度制限手段２７５が設けられている。
【０３６８】
右打ち通路１２７は、センターケース１１９の外周側に配置された上向き凸円弧状の内周通路壁２７６と、第１、第２外周部材１１６，１１７の内周に配置された外周通路壁２７７と、内周通路壁２７６の後端に一体に連結され且つ遊技盤１７の前面に当接する後通路壁２７８とを備えている。なお、右打ち通路１２７の前側はガラス板７６により閉じられている。
【０３６９】
流下速度制限手段２７５は、内周通路壁２７６に周方向に所定間隔を置いて配置された前後方向の内突条部２７９と、外周通路壁２７７に周方向に所定間隔を置いて配置された前後方向の外突条部２８６とを備えている。内突条部２７９と外突条部２８６は周方向に交互に設けられている。
【０３７０】
内突条部２７９、外突条部２８６は截頭半三角錐状であって、前後方向に形成された稜線部２７９ａ，２８６ａと、この稜線部２７９ａ，２８６ａの上下両側に配置された略五角形状の緩傾斜面２７９ｂ，２８６ｂと急傾斜面２７９ｃ，２８６ｃとを有し、後端側の突出高さｈ１０、上下幅ｗ１０が前端側の突出高さｈ２０、上下幅ｗ２０よりも大であり、後端側から前端側へと突出高さ、上下幅が徐々に小さくなっている。
【０３７１】
なお、右打ち通路１２７の内周通路壁２７６と外周通路壁２７７との間隔は、第２０の実施形態と略同じであり、また内突条部２７９と外周通路壁２７７との間隔、及び外突条部２８６と内周通路壁２７６との間隔は、第２０の実施形態と略同様である。
【０３７２】
このように稜線部２７９ａ，２８６ａの上下両側に緩傾斜面２７９ｂ，２８６ｂ及び急傾斜面２７９ｃ，２８６ｃが配置された截頭半三角錐状の内突条部２７９、外突条部２８６により構成された流下速度制限手段２７５でも、第２０の実施形態と同様に右打ち通路１２７内の遊技球の流下速度を制限することができる。また後通路壁２７８がセンターケース１１９と一体であるため、内周通路壁２７６、後通路壁２７８、外突条部２８６、内突条部２７９を含むセンターケース１１９を容易に金型成型することができる。更に外周通路壁２７７、外突条部２８６を含む第１、第２外周部材１１６，１１７を容易に金型成型することができる。  
【０３７３】
図１０７〜図１０９は本発明の第２５の実施形態を例示する。この右打ち通路１２７は、図１０７〜図１０９に示すように、センターケース１１９と第１、第２外周部材１１６，１１７との間に円弧状に設けられており、その内部に流下速度制限手段２７５が設けられている。
【０３７４】
右打ち通路１２７は、センターケース１１９の外周側に配置された円弧状の内周通路壁２７６と、第１、第２外周部材１１６，１１７の内周に配置された円弧状の外周通路壁２７７と、センターケース１１９の内周通路壁２７６の前端に一体に連結された前通路壁２８１と、内周通路壁２７６の後端に着脱自在に装着され且つ遊技盤１７の前面に当接する後通路壁２７８とを備えている。
【０３７５】
流下速度制限手段２７５は、内周通路壁２７６に周方向に所定間隔を置いて配置された前後方向の内突条部２７９と、前通路壁２８１及び後通路壁２７８に周方向に所定間隔を置いて放射状に配置された前突条部２８５及び後突条部２８４とを備えている。前突条部２８５及び後突条部２８４は周方向に交互に設けられている。
【０３７６】
内突条部２７９は鋸歯形の截頭半三角錐状であって、前後方向に形成された稜線部２７９ａと、この稜線部２７９ａの上側に配置された緩傾斜面２７９ｂと、稜線部２７９ａの下側に略垂直に配置された起立面２７９ｄとを有する。内周通路壁２７６と前通路壁２８１とが一体であるため、内突条部２７９の前端側の突出高さｈ１０、上下幅ｗ１０が後端側の突出高さｈ２０、上下幅ｗ２０よりも大であり、前端側から後端側へと突出高さ、上下幅が徐々に小さくなっている。
【０３７７】
なお、右打ち通路１２７の内周通路壁２７６と外周通路壁２７７との間隔、内突条部２７９と外周通路壁２７７との間隔は、第２０の実施形態と略同様である。
【０３７８】
このように流下速度制限手段２７５は鋸歯型の内突条部２７９を備えたものでもよい。また内周通路壁２７６の前端に前通路壁２８１を一体に備える場合には、内突条部２７９の前端側の突出高さｈ１０、上下幅ｗ１０を後端側の突出高さｈ２０、上下幅ｗ２０よりも大にして、前端側から後端側へと突出高さ、上下幅を徐々に小さくすることにより、センターケース１１９を容易に金型成型することができる。
【０３７９】
図１１０、図１１１は本発明の第２６の実施形態を例示する。この金属製扉枠３９は、図１１０に示すように、左右両側に上下方向に配置された左縦部材（ヒンジ側縦部材）４４及び右縦部材（反ヒンジ側縦部材）４５と、上下両側に左右方向に配置され且つ左縦部材４４及び右縦部材４５の上下両端を左右に連結する上横部材４６及び下横部材４７とを備え、この左右縦部材４４，４５及び上下横部材４６，４７を上下、左右の四隅の結合部ＵＬ，ＵＲ，ＬＬ，ＬＲで結合して矩形状に構成されている。
【０３８０】
四隅の結合部ＵＬ，ＵＲ，ＬＬ，ＬＲには、対応する各部材４４〜４７相互間に前後に重合する重合部４８ｕｌ，４８ｕｒ，４９ｌｌ，４９ｌｒと被重合部５０ｕｌ，５０ｕｒ，５１ｌｌ，５１ｌｒとが設けられており、その重合部４８ｕｌ，４８ｕｒ，４９ｌｌ，４９ｌｒと被重合部５０ｕｌ，５０ｕｒ，５１ｌｌ，５１ｌｒとがネジ（締結手段）５２〜５５により前後方向に締結されている。
【０３８１】
上側の左右結合部ＵＬ，ＵＲは、重合部４８ｕｌ，４８ｕｒ及び被重合部５０ｕｌ，５０ｕｒの他に、上横部材４６と左右縦部材４４，４５とが左右方向に当接する当接部５６ｕｌ，５６ｕｒ及び被当接部５７ｕｌ，５７ｕｒを備えている。
【０３８２】
下横部材４７は、図１１０、図１１１に示すように第１部材４７１と第２部材４７２とを左右方向に連結して構成されている。そして、この下横部材４７の左の結合部ＬＬは、重合部４９ｌｌが左縦部材４４の被重合部５１ｌｌに重合してネジ５４により左右方向に調整可能に固定され、また右の結合部ＬＲ側は、その当接部５８ｌｒが右縦部材４５の被当接部５９ｌｒに当接し、重合部４９ｌｒが右縦部材４５の被重合部５１ｌｒに重合してネジ５５により固定されている。
【０３８３】
第１部材４７１、第２部材４７２は、第１部材４７１の対向端側に重合部４７１ａ、当接部４７１ｂが設けられ、第２部材４７２の対向端側に被重合部４７２ａ、被当接部４７２ｂが設けられており、その当接部４７１ｂと被当接部４７２ｂとが当接し、重合部４７１ａと被重合部４７２ａとが重合してネジ（締結手段）４７３により固定されている。他の構成は各実施形態と同様である。
【０３８４】
このように下横部材４７は、第１部材４７１と第２部材４７２とを連結して構成してもよい。この場合にも、第１部材４７１と第２部材４７２とを左右方向に当接させて、第１部材４７１と左縦部材４４とが左右方向に当接しない構造を採用することにより、製作誤差を吸収することができる。勿論、第１部材４７１と左縦部材４４、第２部材４７２と右縦部材４５の夫々を左右方向に当接させて、第１部材４７１と第２部材４７２とが左右方向に当接しない構造を採用してもよい。
【０３８５】
なお、この実施形態では、第１部材４７１、第２部材４７２により下横部材４７を構成しているが、上横部材４６等、他の構成部材でもよい。またこの実施形態では、第１部材４７１と第２部材４７２とを連結して下横部材４７を構成しているが、上横部材４６よりも若干短い下横部材４７を使用して、その下横部材４７と左縦部材４４又は右縦部材４５とを連結部材を介して左右に連結する構成を採用してもよい。
【０３８６】
図１１２、図１１３は本発明の第２７の実施形態を例示する。この緩衝部材２１４は上下方向に長い縦長矩形状であり、この緩衝部材２１４には遊技球の衝突面２３６ａと、取り付け台２３１の受け部２３７に当接する当接面２９５との中間位置に、外レール１１２に対して遠近方向となる上下方向に３個の通孔２９８ａ〜２９８ｃが設けられている。一方、取り付け台２３１は、前覆い部２３８から遊技盤１７側に突出する３本の保持突起２９７ａ〜２９７ｃが各通孔２９８ａ〜２９８ｃに対応して設けられ、この各保持突起２９７ａ〜２９７ｃを通孔２９８ａ〜２９８ｃに挿通して緩衝部材２１４を保持するようになっている。
【０３８７】
３本の保持突起２９７ａ〜２９７ｃの内、外レール１１２に最も近い側は短かい短保持突起２９７ａとし、外レール１１２に最も遠い側は通孔２９８ｃの略全長に及ぶ長さの長保持突起２９７ｃとし、両保持突起２９７ａ，２９７ｃの中間側は中間長さの中保持突起２９７ｂとしている。他の構成は各実施形態と同様である。
【０３８８】
この場合には、３本の保持突起２９７ａ〜２９７ｃにより１個の緩衝部材２１４を保持している。このように３本以上の保持突起２９７ａ〜２９７ｃにより緩衝部材２１４を保持することも可能である。また上側の２本の保持突起２９７ａ，２９７ｂを下側の長保持突起２９７ｃよりも短くすることにより、上側の２本の保持突起２９７ａ，２９７ｂの先端側に通孔２９８ａ，２９８ｂの余剰部分ができるので、その余剰部分により緩衝部材２１４の内部に中空部を形成することができる。
【０３８９】
上側の２本の保持突起２９７ａ，２９７ｂは同じ長さでもよいが、外レール１１２に近く遊技球の衝撃の大きい上部側は短保持突起２９７ａとし、上部側よりも衝撃の小さい中間側は短保持突起２９７ａよりも長い中保持突起２９７ｂとすることにより、その保持突起２９７ａ，２９７ｂの長短に応じて通孔２９８ａ〜２９８ｃの余剰部分ができるため、緩衝部材２１４の衝撃の大小に応じた大きさの中空部を設けることができる。
【０３９０】
なお、通孔２９８ａの余剰部分により構成される中空部は、遊技球の直径よりも大であり、遊技球が衝突したときの変形量は大である。また通孔２９８ｂの余剰部分により構成される中空部は、遊技球の半径ｒよりも大で直径よりも小である。従って、遊技球が衝突したときの変形量は通孔２９８ａに比較して小となる。
【０３９１】
図１１４は本発明の第２８の実施形態を例示する。この緩衝部材２１４には、外レール１１２に対して遠近方向となる上下方向に３個の通孔２９８ａ〜２９８ｃが設けられている。一方、取り付け台２３１は、前覆い部２３８から遊技盤１７側に突出する２本の保持突起２９６ｂ，２９６ｃが下側の２個の通孔２９８ｂ，２９８ｃに対応して設けられ、この保持突起２９６ｂ，２９６ｃを通孔２９８ｂ，２９８ｃに挿通して緩衝部材２１４を保持するようになっている。
【０３９２】
２本の保持突起２９６ｂ，２９６ｃの内、外レール１１２に近い側は短保持突起２９６ｂとし、外レール１１２に最も遠い側は通孔２９８ｃの略全長に及ぶ長い長保持突起２９６ｃとしている。外レール１１２に最も近い通孔２９８ａは保持用には利用されておらず、その全体で中空部が構成されている。短保持突起２９６ｂが挿通する通孔２９８ｂは、その先端側の余剰部分により中空部が構成されている。他の構成は各実施形態と同様である。
【０３９３】
このように３個以上等の複数の通孔２９８ａ〜２９８ｃがある場合には、その最上位の通孔２９８ａは中空部の専用として利用することができる。従って、この場合には、通孔２９８ａが中空部用の専用であるにも拘わらず、緩衝部材２１４に他の通孔２９８ｂ，２９８ｃと同様に通孔２９８ａを成型できるので、その製作を容易に行うことができる。
【０３９４】
なお、緩衝部材２１４に専用の中空部を設けてもよい。その場合の中空部は、通孔により構成してもよいし、緩衝部材２１４の後側から凹入する等の凹入部により構成してもよい。緩衝部材２１４に中空部を設けるに当たっては、遊技球の衝突後の緩衝部材２１４の復元性を確保するために一部を開放状にすることが望ましい。
【０３９５】
図１１５〜図１１９は本発明の第２９の実施形態を例示する。この下部レール１８８は、第２外周部材１１７のレール部１１７ｂと分割され、第２外周部材１１７と反対側の内レール１１１と一体に構成されている。
【０３９６】
下部レール１８８は、図１１５〜１１７に示すように、左右一対のレール部１８８ａ，１８８ｂを備え、左右のレール部１８８ａ，１８８ｂの内、案内通路１１０側のレール部１８８ａは内レール１１１と一体に連続状に形成され、また案内通路１１０と反対側のレール部１８８ｂは傾斜状に構成され、第２外周部材１１７のレール部１１７ｂと連続して設けられている。
【０３９７】
内レール１１１とレール部１８８ａとの内周側の球案内面１１１ａ，１８８１ａは、その周方向の略全体が前広がりの傾斜状であり、前端側が後端側よりも外側に広がった形状になっている。そのため遊技領域４１の左打ち通路１２６を流下する遊技球が遊技釘等に弾かれて横方向に移動して内レール１１１の球案内面１１１ａに図１１７の１２６ａ矢示方向に衝突したときには、その遊技球の多くは球案内面１１１ａの傾斜に沿ってガラス板７６側へと１２６ｂ矢示方向へと移動する。
【０３９８】
内レール１１１とレール部１８８ａとに跨がる球案内面１１１ａ，１８８１ａの周方向の全域の内、遊技領域４１の上下方向の略中央に対応する中央対応位置４１Ａ（図１１６参照）から下側では、図１１７〜図１１９に示すように、中央対応位置４１Ａから案内凹部１８９側に近くなるほど球案内面１１１ａ，１８８１ａの傾斜角度α１１７，α１１８，α１１９が徐々に大（α１１７＜α１１８＜α１１８）になっている。なお、図１１７、図１１８及び図１１９は、図１１５の１１７Ａ矢視拡大断面図、１１８Ａ矢視拡大断面図、１１９Ａ矢視拡大断面図である。
【０３９９】
そのため内レール１１１とレール部１８８ａとに跨がる球案内面１１１ａ，１８８１ａの内、少なくとも中央対応位置４１Ａよりも下側に配置され且つアウト球を下側から受けて案内する下部側案内領域１８８Ａでは、案内凹部１８９側に近くなるほど球案内面１１１ａ，１８８１ａの傾斜角度が大になっている。従って、前飾り部１９１の上流側近傍から前飾り部１９１の前面側に対応する範囲は、その傾斜角度が大になっている。
【０４００】
このように構成した場合、遊技領域４１の下部側に流下して球案内面１１１ａ，１８８１ａの下部側案内領域１８８Ａに流下したアウト球は、その球案内面１１１ａ，１８８１ａの傾斜に沿ってガラス板７６側へと移動した後、そのガラス板７６に当接した状態で球案内面１１１ａ，１８８１ａの前部側を経て案内凹部１８９へと移動する。
【０４０１】
従って、下部側案内領域１８８Ａでは、球案内面１８８１ａの後部側によって接触阻止部１９２ａを構成でき、球案内面１１１ａ，１８８１ａの前部側によって接触阻止部１９２ａを迂回する迂回部１９３ａを構成できるため、下部レール１８８のレール部１８８ａの構造を簡素化することができる。
【０４０２】
案内通路１１０と反対側には、第２外周部材１１７のレール部１１７ｂとレール部１８８ｂとの上面側に球案内面１１７１ｂ，１８８１ｂが設けられている。この球案内面１１７１ｂ，１８８１ｂは、その上側に流下したアウト球がガラス板７６に沿って球案内面１１７１ｂ，１８８１ｂの前部側を案内凹部１８９へと通過し、球案内面１１７１ｂ，１８８１ｂの後部側を通過しないだけの傾斜角度で前下り状に傾斜している。
【０４０３】
なお、レール部１８８ａ，１８８ｂの球案内面１８８１ａ，１８８１ｂは、案内凹部１８９に接近するほど傾斜角度が徐々に大になるように傾斜させてもよいし、例えば下部側案内領域１８８Ａをアウト球の流れ方向に複数の領域に区分して、その区分毎に段階的に傾斜角度が大になるようにしてもよい。
【０４０４】
またアウト球が球案内面１８８１ａ，１８８１ｂの前部側を通過し、球案内面１８８１ａ，１８８１ｂの後部側を通過しない構造であれば、下部側案内領域１８８Ａの全体、又は前飾り部１９１の上手側の所定領域を略一定の傾斜角度とすることも可能である。下部レール１８８のレール部１８８ａ，１８８ｂは、図１１９に示すように、球案内面１８８１ａ，１８８１ｂを有する案内壁２０８ａと、この案内壁２０８ａの前端に遊技盤１７と略平行に形成された前壁２０８ｂと、この前壁２０８ｂの外端側から遊技盤１７側に屈曲する屈曲壁２０８ｃとを一体に有するが、他の断面形状でもよい。
【０４０５】
図１２０は本発明の第３０の実施形態を例示する。この実施形態では、図１２０に示すように、前枠３の左枠部（ヒンジ側枠部）２０は、アルミ系型材等の金属製型材により構成されており、遊技盤装着部１５の前後に溝部４７４と段部４７５とが上下方向の全長に設けられている。第１外周部材１１６の左外周部分（ヒンジ側部分）１７３には外周部材側逃げ部３２６ｂが設けられている。また左枠部２０の溝部４７４の内、外周部材側逃げ部３２６ｂに対応する部分が装着部側逃げ部３２６ａとして利用されている。従って、この実施形態では、これら装着部側逃げ部３２６ａと外周部材側逃げ部３２６ｂとにより逃げ部３２６が構成されることになる。
【０４０６】
段部４７５の前側には板バネ製の付勢手段２７が設けられている。付勢手段２７の取り付け部２７ａは左枠部２０の側面に固定されている。なお、付勢手段２７は自由状態では二点鎖線で示す状態にある。
【０４０７】
このように前枠３の左枠部２０に金属製型材等を採用する場合には、その左枠部２０に溝部４７４を設けることにより、左枠部２０自体の強度が向上する利点がある。また左枠部２０に設けられた溝部４７４を利用して装着部側逃げ部３２６ａを構成することも可能てあり、左枠部２０にそれ専用の装着部側逃げ部３２６ａを設ける必要がない。なお、他の構成は各実施形態と略同様である。
【０４０８】
図１２１、図１２２は本発明の第３１の実施形態を例示する。この実施形態では、図１２１、図１２２に示すように、遊技盤１７の前側の遊技領域４１の内、センターケース１１９の右側で右打ち通路１２７の下側に、他の遊技領域４１から区画された区画領域４１ｂが設けられている。センターケース１１９のステージ部１３７と、第２外周部材１１７の下部レール１８８との間には、第１特別図柄始動手段３８０とアウト口１３４とが設けられている。
【０４０９】
区画領域４１ｂは、センターケース１１９側に配置された区画壁３８１と、第２外周部材１１７の側部レール１８７との間に設けられており、上部側は左右幅が狭く、下部側は左右幅が大になっている。区画領域４１ｂには、普通図柄始動手段１３１、第２特別図柄始動手段３８２、大入賞手段３８３、確変振り分け手段３８４が上下方向に所定の間隔をおいて設けられている。
【０４１０】
区画領域４１ｂの上部には、右打ち通路１２７の下側に接続する第１流下通路３８５が設けられている。第１流下通路３８５の中間には、遊技球が通過可能なゲート式の普通図柄始動手段１３１と、この普通図柄始動手段１３１の左右両側に配置され且つ遊技球が上側から下側へと通過可能な通過路３８６，３８７と、これらの前側に配置された無色透明又は着色透明な前板３８８とが設けられている。
【０４１１】
前板３８８の前面には、第１視認性低下手段１９５が貼着されている。第１視認性低下手段１９５は、第１流下通路３８５から普通図柄始動手段１３１及び通過路３８６，３８７の下側近傍に跨がる領域に対応している。なお、第１視認性低下手段１９５は普通図柄始動手段１３１及び通過路３８６，３８７の上下両側に対応する範囲に設けてもよい。
【０４１２】
区画領域４１ｂの下部側は、第１流下通路３８５の下側から遊技領域４１の中央側に張り出しており、その上部に第２特別図柄図柄始動手段３８２と、遊技球の移動方向を不規則に変化させる回転手段３８９とが左右に配置され、また第２特別図柄図柄始動手段３８２と回転手段３８９との下側に大入賞手段３８３が配置されている。そして、これらの周辺に第１横通路３９０、第２横通路３９１、第２流下通路３９２、第３流下通路３９３、第４流下通路３９４、第５流下通路３９５、第６流下通路３９６等が縦横に配置されている。
【０４１３】
第２特別図柄始動手段３８２は、入賞ケース３９７に上向き開口状に形成された入賞口３９８と、前後方向に摺動して入賞口３９８の上側を開放し且つ開放時に遊技球を回転手段３８９側に案内可能な開閉部材３９９と、入賞口３９８に入賞した遊技球を検出する特別図柄始動検出スイッチ４００と、特別図柄始動検出スイッチ４００を通過した遊技球を遊技盤１７の裏側へと誘導する誘導通路４０１とを備え、普通図柄表示手段１２４の変動後の普通図柄が特定態様となったときに開閉部材３９９が後退して入賞口３９８を開放するようになっている。特別図柄始動検出スイッチ４００が遊技球を検出したときに特別図柄表示手段１２５の特別図柄が所定時間変動する。
【０４１４】
第２特別図柄始動手段３８２の上側には第１横通路３９０が設けられ、また第２特別図柄始動手段３８２の左右両側には、第１横通路３９０の上手側から分岐する第２流下通路３９２と、第１横通路３９０の下手側に接続する第３流下通路３９３とが設けられている。
【０４１５】
従って、第１流下通路３８５を経て流下した遊技球は、第２特別図柄始動手段３８２上の第１横通路３９０を経て回転手段３８９、第３流下通路３９３側へと流下するか、第２特別図柄始動手段３８２の右側の第２流下通路３９２を経て流下する。
【０４１６】
また第２特別図柄始動手段３８２の開閉部材３９９が入賞口３９８を開放すれば、第１横通路３９０の上手側からの遊技球は入賞口３９８に入賞し、開閉部材３９９が入賞口３９８を閉じれば、第１横通路３９０の遊技球は開閉部材３９９上を通過して回転手段３８９、第３流下通路３９３側へと流下する。
【０４１７】
回転手段３８９は、外周に多数の突部４０２が設けられた回転体４０３と、回転体４０３を回転自在に支持する前後方向の支軸４０４とを備え、第２特別図柄始動手段３８２上の第１横通路３９０の下手側に対向して配置され、第２特別図柄始動手段３８２との間に第３流下通路３９３が設けられている。
【０４１８】
大入賞手段３８３は、入賞ケース４０５に上向き開口状に形成された入賞口４０６と、前後方向に摺動して入賞口４０６の上側を開放し且つ開放時に遊技球を回転手段３８９と反対側に案内可能な開閉部材４０７と、入賞口４０６に入賞した遊技球を検出する入賞検出スイッチ４０８と、入賞検出スイッチ４０８を通過した遊技球を確変振り分け手段３８４側へと誘導する誘導通路４０９とを備え、普通図柄表示手段１２４の変動後の普通図柄が特定態様となったときに開閉部材４０７が後退して入賞口４０６を開放するようになっている。
【０４１９】
第２特別図柄始動手段３８２の上側には第１横通路３９０が設けられ、また第２特別図柄始動手段３８２の左右両側には、第１横通路３９０の上手側から分岐する第２流下通路３９２と、第１横通路３９０の下手側に接続する第３流下通路３９３とが設けられている。
【０４２０】
大入賞手段３８３の上側には、第１横通路３９０と反対側に遊技球を案内する第２横通路３９１が設けられ、また大入賞手段３８３の左右両側には、第２横通路３９１の上手側に第４流下通路３９４が設けられ、第２横通路３９１の下手側に第５流下通路３９５と第６流下通路３９６とが設けられている。
【０４２１】
第４流下通路３９４は第３流下通路３９３からの遊技球を第１特別図柄始動手段３８０の上手側に誘導する。第５流下通路３９５は第２横通路３９１又は第２流下通路３９２からの遊技球を入賞検出スイッチ（図示省略）を経て遊技盤１７の裏側又はアウト口１３４側へと誘導し、また第６流下通路３９６は第２横通路３９１又は第２流下通路３９２からの遊技球を入賞検出スイッチを経ずに遊技盤１７の裏側又はアウト口１３４側へと誘導する。
【０４２２】
誘導通路４０９の下流側には、確変振り分け手段３８４が配置されている。確変振り分け手段３８４は、確変Ｖ通路４１０と、確変非Ｖ通路４１１と、誘導通路４０９からの遊技球を確変Ｖ通路４１０と確変非Ｖ通路４１１との何れかに振り分ける振り分け部材４１２と、確変Ｖ通路４１０を通過する遊技球を検出する確変Ｖスイッチ４１３と、確変非Ｖ通路４１１を通過する遊技球を検出する確変非Ｖスイッチ４１４とを備えている。
【０４２３】
振り分け部材４１２は確変Ｖ通路４１０を開閉自在であり、この振り分け部材４１２が確変Ｖ通路４１０を開いたときに誘導通路４０９からの遊技球を確変Ｖ通路４１０に振り分ける。確変Ｖ通路４１０の遊技球を確変Ｖスイッチ４１３が検出すると、特別遊技状態の終了後に特別図柄表示手段１２５の特別図柄が変動する場合に、所定変動回数に達するまで変動後に特別図柄が特別態様となる確率を高確率状態にする。
【０４２４】
区画領域４１ｂの下部側には、第２特別図柄始動手段３８２、回転手段３８９、大入賞手段３８３、確変振り分け手段３８４等を前側から覆う前板４１５が設けられている。この前板４１５の前面には、第２特別図柄始動手段３８２に対応する部分に第３視認性低下手段１９９が設けられ、第５流下通路３９５、誘導通路４０９を含む大入賞手段３８３に対応する部分に第２視認性低下手段１９８が設けられている。
【０４２５】
第２視認性低下手段１９８、第３視認性低下手段１９９は、第２特別図柄始動手段３８２、大入賞手段３８３の前側以外の確変振り分け手段３８４、横通路、流下通路等のように、その内部を通過する遊技球の視認性が要求される部分からは外れている。第１視認性低下手段１９５、第２視認性低下手段１９８、第３視認性低下手段１９９は、第１の実施形態と同様である。
【０４２６】
前板４１５の第２特別図柄始動手段３８２、大入賞手段３８３の前側以外の第１横通路３９０、第２横通路３９１、第２流下通路３９２、第３流下通路３９３、第４流下通路３９４、第６流下通路３９６、確変振り分け手段３８４、回転手段３８９に対応する部分は、無色透明又は淡い着色透明に構成された視認性良好部４２０〜４２７となっている。
【０４２７】
従って、第１横通路３９０、第２横通路３９１、第２流下通路３９２、第３流下通路３９３、第４流下通路３９４、第６流下通路３９６、確変振り分け手段３８４等を遊技球が通過する場合には、視認性良好部４２０〜４２７を介して内部の遊技球を容易に視認することができる。
【０４２８】
このように前板３８８，４１５の各部位毎に要求される遊技球の視認性の度合いに応じて第１視認性低下手段１９５、第２視認性低下手段１９８、第３視認性低下手段１９９等の視認性低下手段を設けるに際して、前板３８８，４１５が各部位毎に独立している場合には、各前板３８８，４１５毎に必要な度合いの視認性低下手段を設ければよいし、１枚の前板３８８，４１５が複数の部位に跨がる場合には、１枚の前板３８８，４１５に同じ度合い又は異なる度合いの複数の視認性低下手段を設ければよい。
【０４２９】
なお、第１横通路３９０、第２横通路３９１、第２流下通路３９２、第３流下通路３９３、第４流下通路３９４、第６流下通路３９６を通過する遊技球に対する視認性の要求度合いが異なる場合には、視認性良好部４２０〜４２７に代えて、その要求度合いに応じた視認性低下手段を設けるようにしてもよい。
【０４３０】
また第１の実施形態、第３０の実施形態では、第１視認性低下手段１９５、第２視認性低下手段１９８、第３視認性低下手段１９９の３種類の視認性低下手段を備えたものについて例示しているが、１台の遊技盤１７を考えた場合に、視認性低下手段の種類は２種類でもよいし、４種類以上でもよい。部位毎に遊技球に対する視認性の要求度合いが異なる場合には、その各部位の視認性の要求度合いに応じた視認性低下手段を用いればよい。視認性低下手段は、遊技球に対する視認性の要求度合いに応じて設ける他、遊技球の視認性以外のものの視認性を条件に設けてもよい。
【０４３１】
以上、本発明の各実施形態について詳述したが、本発明は各実施形態に限定されるものではなく、その趣旨が逸脱しない範囲で種々の変更が可能である。実施形態ではパチンコ機について例示しているが、パチンコ機の他、弾球遊技機、アレンジボール機等の遊技機においても同様に実施可能である。
【０４３２】
前扉４は、略矩形状に構成された金属製扉枠３９と、この金属製扉枠３９に装着された前扉カバー４０等の装飾部材とを備え、その金属製扉枠３９は、上横部材４６、下横部材４７、ヒンジ側縦部材４４及び反ヒンジ側縦部材４５を四隅の結合部ＵＬ，ＵＲ，ＬＬ，ＬＲで前後に重合してネジ５２〜５５等の締結手段により前後に締結して構成する場合、その上横部材４６、下横部材４７、ヒンジ側縦部材４４及び反ヒンジ側縦部材４５を予め係合して金属製扉枠３９を構成し、その金属製扉枠３９に前扉カバー４０等の装飾部材を装着してもよい。
【０４３３】
また合成樹脂等の樹脂材料により一体に構成された樹脂製扉枠３５０を用いて、この樹脂製扉枠３５０に上横部材４６、下横部材４７、ヒンジ側縦部材４４及び反ヒンジ側縦部材４５を装着した後、上横部材４６、下横部材４７、ヒンジ側縦部材４４及び反ヒンジ側縦部材４５を四隅の結合部ＵＬ，ＵＲ，ＬＬ，ＬＲのネジ５２〜５５等により前後に締結することにより、樹脂製扉枠３５０上で金属製扉枠３９を構成することも可能である。
【０４３４】
また金属製扉枠３９の上側左右のヒンジ側結合部ＵＬ、反ヒンジ側結合部ＵＲは、対応する部材が重合面方向に当接し、下側左右のヒンジ側結合部ＬＬ、反ヒンジ側結合部ＬＲの内、その一方のヒンジ側結合部ＬＬ又は反ヒンジ側結合部ＬＲは、対応する部材が重合面方向に当接し、他方の反ヒンジ側結合部ＬＲ又はヒンジ側結合部ＬＬは、対応する部材が重合面方向に当接しない構成を採用することが望ましい。その場合、重合面方向の当接方向は左右方向又は上下方向でもよいし、左右方向及び上下方向の二方向でもよいし、更には斜め方向でもよい。
【０４３５】
また重合面方向に当接しない結合部は、重合面方向に全く当接しない構造が望ましいが、例えば調整方向に対して直交する方向等、各部材の製作誤差の吸収又は調整に関係のない方向には二部材が当接するようにしてもよい。従って、重合面方向に当接しないとは、製作誤差の吸収又は調整方向には当接しない意である。
【０４３６】
各結合部ＵＬ，ＵＲ，ＬＬ，ＬＲの対応する二部材は、一方の部材に重合部を、他方の部材に重合部と重合する被重合部を夫々備えた構造であればよい。各結合部ＵＬ，ＵＲ，ＬＬ，ＬＲの内、その重合面方向に当接する結合部の二部材は、その一方の部材に左右方向及び／又は上下方向の当接部を、他方の部材にその当接部が左右方向及び／又は上下方向に当接する被当接部を夫々備えた構造であればよい。
【０４３７】
遊技盤１７の前面の遊技領域４１に遊技球を打ち込んで遊技を行う遊技機において、遊技盤１７の前面に装着され且つ前部側よりも後部側の肉厚が大きいレール部材として内レール１１１を例示しているが、内レール１１１以外の外レール１１２、その他の各種のレールにおいても同様に実施可能である。
【０４３８】
またレール部材の後端側にレール長手方向の溝部２４７を設けるに当たっては、その溝部２４７の深さは遊技球の半径ｒ未満が適当であるが、半径ｒと略同程度、又は半径ｒよりも若干大でもよい。
【０４３９】
発射手段１８からの遊技球を遊技領域４１へと案内する案内通路１１０の内側に配置された内レール１１１の場合、遊技盤１７から起立する起立壁２４８の外側に突条部２４９を設けるのが一般的である。しかし、起立壁２４８の内側に突条部２４９を設けてもよいし、内外両側に突条部２４９を設けてもよい。
【０４４０】
内レール１１１は、起立壁２４８のレール長手方向の両端側を固定手段により遊技盤１７に固定し、起立壁２４８の後端側から遊技盤１７側へと後方に突出する位置決め突起３４１等を遊技盤１７側の位置決め孔３４５等に挿入して、内レール１１１を遊技盤１７に装着する。その場合の固定手段としては取り付けネジ１４２，１４３等が考えられるが、圧入ピン、突起部等を利用してもよい。また位置決め突起３４１を利用する場合でも、その位置決め突起３４１と位置決め孔３４５との関係は、遊びのない密嵌状態でもよいし、所定の遊びのある遊嵌状態でもよい。
【０４４１】
溝部２４７はレール長手方向に連続状に設けてもよいが、内レール１１１の強度を確保する上からは、外周部２４５と内周部２４６とを一体に連結する連結部３４３，３４４を中間に１個又は複数個設けて、溝部２４７をレール長手方向の複数に分割してもよい。その場合、その連結部３４３，３４４に位置決め突起３４１，３４２を設けることが望ましい。勿論、位置決め突起３４１，３４２は外周部２４５と内周部２４６との一方に設けてもよい。
【０４４２】
内レール１１１が内外方向に弾性変形可能な場合、その弾性変形による遊技盤１７の前面の擦過痕の発生を防止するためには、突起部１４５と挿入孔２５３との間に遊びがあるか否かに拘わらず、突起部１４５の両側又は片側に突部２５２を配置して、その突部２５２の突出高さｈ２５２分の隙間を形成することが望ましい。  
【０４４３】
遊技領域４１の外周に配置された第１外周部材１１６の内周に外レール１１２を円弧状に装着するに当たって、レール長手方向に弾性変形可能な弾性変形部２１２を備えた外レール１１２を用い、その始端側当接部２０３と終端側当接部２０９を第１外周部材１１６の始端側被当接部２０６と終端側被当接部２１１に当接させて装着する場合には、弾性変形部２１２の近傍で外レール１１２の内外方向の位置を規制する規制手段２１８を設けるが、その弾性変形部２１２は外レール１１２の遊技球の案内領域Ｓ外の終端側当接部２０９の近傍に配置し、規制手段２１８は終端側当接部２０９と弾性変形部２１２との間に配置することが望ましい。
【０４４４】
また規制手段２１８には、終端側当接部２０９よりも弾性変形部２１２に近い側に配置された外側規制部２１９と、終端側当接部２０９と外側規制部２１９との間に配置された内側規制部２２０とを備えたものが適当であるが、外レール１１２が適正な状態では、外レール１１２は外側規制部２１９と内側規制部２２０との少なくとも一方に当接すれば十分である。弾性変形部２１２の両側に規制手段２１８を配置することも可能であり、その場合には、外レール１１２に対して内外方向の同一側又は反対側から当接する１個の規制部を各規制手段２１８に設けることも可能である。
【０４４５】
第１外周部材１１６の内周に円弧状に外レール１１２を装着して、この外レール１１２により発射手段１８からの遊技球を遊技領域４１へと案内する場合、外レール１１２が金属製、樹脂製の何れであるかに関係なく、外レール１１２が遊技盤１７の前面に当接して内外方向に弾性変形すれば、その外レール１１２により遊技盤１７の前面に擦過痕が発生する。従って、この擦過痕を防止するためには、外レール１１２と遊技盤１７との間に所定の間隙を設ける必要がある。
【０４４６】
外レール１１２と遊技盤１７との間に間隙を設ける手段としては、外レール１１２の内外方向に移動しない箇所に、遊技盤１７との間に間隙を確保するスペーサを設けてもよいが、第１外周部材１１６に対して外レール１１２をレール幅方向に位置決めする幅方向位置決め手段を設けることが望ましい。
【０４４７】
なお、遊技盤１７の前面の外レール１１２による擦過痕は、始端側衝撃吸収部２２５、終端側衝撃吸収部２２６等のように、内外方向の弾性変形により遊技球の衝撃を吸収する衝撃吸収部を備えた外レール１１２が前提となる。その場合の衝撃吸収部は外レール１１２の球衝突領域の略全長に設けてもよいし、発射手段１８からの遊技球が外レール１１２に衝突する始端側領域Ｓ２２５、及び／又は外レール１１２の終端側領域Ｓ２２６に緩衝部材２１４の外周側に対応する箇所に設けてもよい。
【０４４８】
また始端側衝撃吸収部２２５を外レール１１２の始端側領域Ｓ２２５に設ける場合でも、その間隙は外レール１１２の球衝突領域等の略全長に設けてもよい。衝撃吸収部のレール長手方向の両方の内、その少なくとも一方側に、第１外周部材１１６と外レール１１２とのレール長手方向の相対移動を許容する相対移動許容手段があればよい。
【０４４９】
緩衝部材２１４を取り付ける取り付け台２３１は、第１外周部材１１６と一体でもよいし、第１外周部材１１６とは別部材により構成し、第１外周部材１１６とは別に遊技盤１７に装着してもよい。また緩衝部材２１４は、遊技球が衝突したときの衝突力を外レール１１２に伝える構成であれば、形状、構造は問題ではない。
【０４５０】
取り付け台２３１は、緩衝部材２１４を球衝突方向の下手側から受ける受け部２３７と、緩衝部材２１４を前側から覆う前覆い部２３８と、この前覆い部２３８から遊技盤１７側に突出し且つ緩衝部材２１４に挿通して保持する保持突起２３９とを備えたものが適当である。なお、保持突起２３９は、外レール１１２から遊技球の半径ｒと略同程度又はそれ以上離れていることが望ましい。
【０４５１】
外レール１１２はステンレス製帯板材等の金属材料により構成してもよいし、遊技領域４１の外側に配置された外周部材等の内周壁により構成するか、ステンレス製帯板材等の金属材料と外周部材等の内周壁とを組み合わせて構成する等、異なる材質の部材を遊技球の案内方向に配置して構成することも可能である。
【０４５２】
第１球案内通路（上手側球案内通路）１５３、第２球案内通路（下手側球案内通路）１５４は、何れか一方でもよいし、両方を設けてもよい。第１球案内通路１５３、第２球案内通路１５４の底通路壁１５７，１５８は、一方向に傾斜状に配置することが望ましいが、前通路壁１５６ａと後通路壁１５５ａとの何れか一方と一体であれば十分であり、遊技球を案内可能な範囲内で円弧状に湾曲するか、又は複数段の階段状に構成構成してもよい。
【０４５３】
底通路壁１５７，１５８の上面は、底通路壁１５７，１５８と一体の通路壁側が高く、底通路壁１５７，１５８と別体の通路壁側が低いことが条件であるが、底通路壁１５７，１５８の下面は前後方向に略同一高さにするか、又は底通路壁１５７，１５８と一体の通路壁側が低く、底通路壁１５７，１５８と別体の通路壁側が高くなるようにすることが望ましい。
【０４５４】
第１球案内通路（上手側球案内通路）１５３において、底通路壁１５７，１５８と別体の前通路壁１５６ａ又は後通路壁１５５ａに突起を設ける場合、別体の前通路壁１５６ａ又は後通路壁１５５ａの少なくとも下流側端部に、遊技球の移動方向を一体の後通路壁１５５ａ又は前通路壁１５６ａ側へと変化させる突起を配置するが、第１球案内通路１５３の通路方向に複数の突起を設けてもよい。
【０４５５】
前通路壁１５６ａと後通路壁１５５ａとの両側に突起を設けてもよいが、その場合には、別体の前通路壁１５６ａ又は別体の後通路壁１５５ａの突起が下流側端部となるように、前通路壁１５６ａ側の突起と後通路壁１５５ａ側の突起とを遊技球の案内方向に交互に配置することが望ましい。
【０４５６】
前飾り部１９１は遊技盤１７の前面に当接すれば十分であるが、遊技盤１７のアウト口１３４の内周部に嵌合する嵌合部を、誘導通路部１９０の左右両側から上側で前飾り部１９１の裏側に設けてもよい。また前飾り部１９１は下部レール１８８から分離して、前飾り部１９１と下部レール１８８とを遊技盤１７に対して別々に設けてもよい。
【０４５７】
接触阻止部１９３ａ，１９３ｂは、下部レール１８８上のアウト球の前飾り部１９１に対する接触を阻止できれば十分である。従って、前飾り部１９１の前側近傍の下部レール１８８上に隆起状、その他の接触阻止部１９３ａ，１９３ｂを設ける他、下部レール１８８上のアウト球がガラス板７６側を通過するように、下部レール１８８の上面を前下りに傾斜させるだけでもよい。接触阻止部１９３ａ，１９３ｂは遊技盤１７の前面に設けてもよい。下部レール１８８の少なくとも下部側案内領域１８８Ａの球案内面１８８１ａ，１８８１ｂを傾斜状にする場合、その略全域を略同一角度の傾斜状に構成することも可能である。
【０４５８】
遊技盤１７側の外周部材１１６と遊技盤装着部１５との端部同士の干渉を避ける逃げ部（干渉回避部）３２６は、外周部材１１６側に設けてもよいし、遊技盤装着部１５側に設けてもよい。また遊技盤装着部１５と外周部材１１６との両方に逃げ部３２６ａ，３２６ｂを設けてもよい。その場合、遊技盤装着部１５側の逃げ部３２６ａと外周部材１１６側の逃げ部３２６ｂとの逃げ量は略同等でもよいし、何れか一方の逃げ量を他方の逃げ量よりも大にしてもよい。
【０４５９】
また遊技盤１７の外周部材１１６に逃げ部３２６を設ける場合に、外周部材１１６が遊技盤１７のヒンジ５，６側の端縁近傍にあれば、逃げ部３２６では外周部材１１６のヒンジ５，６側の前部側が、外周部材１１６のヒンジ５，６側の後部側よりも内側にあればよい。また外周部材１１６が遊技盤１７のヒンジ５，６側の端縁から離れている場合には、逃げ部３２６では外周部材１１６のヒンジ５，６側の前部側が遊技盤１７のヒンジ５，６側の前端縁よりも内側にあればよい。
【符号の説明】
【０４６０】
１    パチンコ機
２    外枠
３    前枠
４    前扉
５    第１ヒンジ
６    第２ヒンジ
１０    上横枠材
１１    下横枠材
１２    左縦枠材（ヒンジ側縦枠材）
１３    右縦枠材（反ヒンジ側縦枠材）
１４    飾り部材
１５    遊技盤装着部
１７    遊技盤
１７ａ  ヒンジ側端部
１８    発射手段
２０    左枠部（ヒンジ側枠部）
２１    右枠部（反ヒンジ側枠部）
３９    金属製扉枠
４０    前扉カバー
４１    遊技領域
４２    視認窓
４４    左縦部材（ヒンジ側縦部材）
４５    右縦部材（反ヒンジ側縦部材）
４６    上横部材
４７    下横部材
１１６  第１外周部材
１１７  第２外周部材
１３２  大入賞手段
１３４  アウト口
１５０  入賞口ケース
１５１  入賞口
１５２  開閉部材
１５３  第１球案内通路（上手側球案内通路）
１５４  第２球案内通路（下手側球案内通路）
１５５  取り付け板
１５５ａ  後通路壁
１５６  前板
１５６ａ  前通路壁
１５７，１５８  底通路壁
１６０，１６１，１６０ａ〜１６０ｅ  突起
１６４  誘導通路
１８８  下部レール
１８８ａ，１８８ｂ  レール部
１８８１ａ，１８８１ｂ  球案内面
１９１  前飾り部
１９２ａ，１９２ｂ  接触阻止部
１９３ａ，１９３ｂ  迂回部
１９５  第１視認性低下手段
１９８  第２視認性低下手段
１９９  第３視認性低下手段
３２６  逃げ部（干渉回避部）
【図１】
2020069251.tif 000003
【図２】
2020069251.tif 000004
【図３】
2020069251.tif 000005
【図４】
2020069251.tif 000006
【図５】
2020069251.tif 000007
【図６】
2020069251.tif 000008
【図７】
2020069251.tif 000009
【図８】
2020069251.tif 000010
【図９】
2020069251.tif 000011
【図１０】
2020069251.tif 000012
【図１１】
2020069251.tif 000013
【図１２】
2020069251.tif 000014
【図１３】
2020069251.tif 000015
【図１４】
2020069251.tif 000016
【図１５】
2020069251.tif 000017
【図１６】
2020069251.tif 000018
【図１７】
2020069251.tif 000019
【図１８】
2020069251.tif 000020
【図１９】
2020069251.tif 000021
【図２０】
2020069251.tif 000022
【図２１】
2020069251.tif 000023
【図２２】
2020069251.tif 000024
【図２３】
2020069251.tif 000025
【図２４】
2020069251.tif 000026
【図２５】
2020069251.tif 000027
【図２６】
2020069251.tif 000028
【図２７】
2020069251.tif 000029
【図２８】
2020069251.tif 000030
【図２９】
2020069251.tif 000031
【図３０】
2020069251.tif 000032
【図３１】
2020069251.tif 000033
【図３２】
2020069251.tif 000034
【図３２−１】
2020069251.tif 000035
【図３３】
2020069251.tif 000036
【図３４】
2020069251.tif 000037
【図３５】
2020069251.tif 000038
【図３６】
2020069251.tif 000039
【図３７】
2020069251.tif 000040
【図３８】
2020069251.tif 000041
【図３９】
2020069251.tif 000042
【図４０】
2020069251.tif 000043
【図４１】
2020069251.tif 000044
【図４２】
2020069251.tif 000045
【図４３】
2020069251.tif 000046
【図４４】
2020069251.tif 000047
【図４５】
2020069251.tif 000048
【図４６】
2020069251.tif 000049
【図４７】
2020069251.tif 000050
【図４８】
2020069251.tif 000051
【図４９】
2020069251.tif 000052
【図５０】
2020069251.tif 000053
【図５１】
2020069251.tif 000054
【図５２】
2020069251.tif 000055
【図５３】
2020069251.tif 000056
【図５４】
2020069251.tif 000057
【図５５】
2020069251.tif 000058
【図５５−１】
2020069251.tif 000059
【図５６】
2020069251.tif 000060
【図５７】
2020069251.tif 000061
【図５８】
2020069251.tif 000062
【図５９】
2020069251.tif 000063
【図６０】
2020069251.tif 000064
【図６１】
2020069251.tif 000065
【図６２】
2020069251.tif 000066
【図６３】
2020069251.tif 000067
【図６４】
2020069251.tif 000068
【図６５】
2020069251.tif 000069
【図６６】
2020069251.tif 000070
【図６７】
2020069251.tif 000071
【図６８】
2020069251.tif 000072
【図６９】
2020069251.tif 000073
【図７０】
2020069251.tif 000074
【図７１】
2020069251.tif 000075
【図７２】
2020069251.tif 000076
【図７３】
2020069251.tif 000077
【図７４】
2020069251.tif 000078
【図７５】
2020069251.tif 000079
【図７６】
2020069251.tif 000080
【図７７】
2020069251.tif 000081
【図７８】
2020069251.tif 000082
【図７９】
2020069251.tif 000083
【図８０】
2020069251.tif 000084
【図８１】
2020069251.tif 000085
【図８２】
2020069251.tif 000086
【図８３】
2020069251.tif 000087
【図８４】
2020069251.tif 000088
【図８５】
2020069251.tif 000089
【図８６】
2020069251.tif 000090
【図８７】
2020069251.tif 000091
【図８８】
2020069251.tif 000092
【図８９】
2020069251.tif 000093
【図９０】
2020069251.tif 000094
【図９１】
2020069251.tif 000095
【図９２】
2020069251.tif 000096
【図９３】
2020069251.tif 000097
【図９４】
2020069251.tif 000098
【図９５】
2020069251.tif 000099
【図９６】
2020069251.tif 000100
【図９７】
2020069251.tif 000101
【図９８】
2020069251.tif 000102
【図９９】
2020069251.tif 000103
【図１００】
2020069251.tif 000104
【図１０１】
2020069251.tif 000105
【図１０２】
2020069251.tif 000106
【図１０３】
2020069251.tif 000107
【図１０４】
2020069251.tif 000108
【図１０５】
2020069251.tif 000109
【図１０６】
2020069251.tif 000110
【図１０７】
2020069251.tif 000111
【図１０８】
2020069251.tif 000112
【図１０９】
2020069251.tif 000113
【図１１０】
2020069251.tif 000114
【図１１１】
2020069251.tif 000115
【図１１２】
2020069251.tif 000116
【図１１３】
2020069251.tif 000117
【図１１４】
2020069251.tif 000118
【図１１５】
2020069251.tif 000119
【図１１６】
2020069251.tif 000120
【図１１７】
2020069251.tif 000121
【図１１８】
2020069251.tif 000122
【図１１９】
2020069251.tif 000123
【図１２０】
2020069251.tif 000124
【図１２１】
2020069251.tif 000125
【図１２２】
2020069251.tif 000126
【図１２３】
2020069251.tif 000127